(57)【特許請求の範囲】
【請求項１】
複数の遊技台に遊技媒体を供給するとともに、該複数の遊技台から排出された該遊技媒体を回収する遊技媒体循環手段を備えた遊技台島の制御システムであって、
上記遊技台島から離れた場所に設置され、上記遊技媒体循環手段を制御するための制御指示信号を送信する遠隔制御手段と、
上記遠隔制御手段から送信される上記制御指示信号に基づいて、上記遊技媒体循環手段を制御する島制御手段と、
遊技台島における上記遊技媒体循環手段の稼働状況と、上記制御指示信号が指示する上記遊技媒体循環手段の稼働内容とを比較する比較手段と、
上記遠隔制御手段の近傍に設置され、上記比較手段による比較で相違する内容を報知する相違内容報知手段と
を備えることを特徴とする遊技台島の制御システム。
【請求項２】
上記遊技台島に設置され、無効操作を入力する無効操作入力手段と、
上記無効操作入力手段が上記無効操作を入力した場合に、上記島制御手段が行う制御を制限する制御制限手段と、
上記遠隔制御手段の近傍に設置され、上記島制御手段による制御が制限されると、該島制御手段による制御が制限された上記遊技台島を特定可能に報知する制御制限報知手段とを備える
ことを特徴とする請求項１に記載の遊技台島の制御システム。
【請求項３】
上記遊技台島に設置され、解除操作を入力する解除操作入力手段と、
上記解除操作入力手段が上記解除操作を入力した場合に、上記制御制限手段による上記島制御手段の制御の制限を解除する解除手段と、
上記遠隔制御手段の近傍に設置され、上記島制御手段による制御の制限が上記解除手段により解除されると、該制限が解除された上記遊技台島を特定可能に報知する解除報知手段と
を備えることを特徴とする請求項１または請求項２に記載の遊技台島の制御システム。
【請求項４】
上記解除手段によって上記島制御手段の制御の制限が解除された後に、上記比較手段による比較結果に基づいて、上記解除報知手段の報知により特定された遊技台島における上記遊技媒体循環手段の稼働状況と、上記制御指示信号が指示する上記遊技媒体循環手段の稼働内容とが一致するように、上記遊技媒体循環手段を制御する比較島制御手段を備える
ことを特徴とする請求項３に記載の遊技台島の制御システム。
【請求項５】
上記相違内容報知手段は、
遊技台島における上記遊技媒体循環手段の稼働状況と、上記制御指示信号が指示する上記遊技媒体循環手段の稼働内容との相違する内容を強調表示した
ことを特徴とする請求項１〜請求項４の何れか１項に記載の遊技台島の制御システム。
【発明の詳細な説明】
【技術分野】
【０００１】
本発明は、複数の遊技台に遊技媒体を供給するとともに、複数の遊技台から排出された遊技媒体を回収する遊技媒体循環手段を備えた遊技台島の制御システムに関する。
【背景技術】
【０００２】
従来より、複数のパチンコ機やパチスロ機等の遊技台が設置される遊技台島は、各遊技台に遊技媒体を供給するとともに、各遊技台から排出された遊技媒体を回収する遊技球循環設備や遊技メダル循環設備等の遊技媒体循環手段を備えている。
【０００３】
このような遊技台島を複数有する遊技場では、遊技台島の制御システムを設置して、遊技場内の事務所に設けた管理端末等の遠隔制御手段から各遊技台島に対して制御指示信号を送信することによって、各遊技台島の遊技球循環設備の稼働や停止等をリモート制御することがある（例えば、特許文献１参照。）。
【０００４】
このような遊技台島の制御システムでは、例えば、開店前や閉店後に行われる各遊技台島の遊技球循環設備の処理を、管理端末からの制御指示信号の送信により実行する。これにより、開店前や閉店後に、遊技場内で作業を行うスタッフ（以下、作業スタッフという）が各遊技台島の遊技球循環設備を見回ることなく、遊技球循環設備毎に稼働や停止等の作業を行うことが可能になり、その分、作業スタッフの作業効率が向上される。
【０００５】
また、管理端末からのリモート制御を手元で無効にする無効操作を入力する手段（以下、無効操作入力手段という）を各遊技台島に設け、無効操作入力手段から無効操作が入力されると、この無効操作入力手段が設置された遊技台島の遊技球循環設備を、管理端末から切り離す技術（以下、リモート制御無効可能技術ともいう）を、特許文献１に記載の遊技台島の制御システムに採用した制御システム（以下、リモート制御無効可能システムともいう）が知られている。
【０００６】
このリモート制御無効可能システムにより、例えば、遊技台島の遊技球循環設備のメンテナンス作業を行う際に、無効操作入力手段を介して無効操作をしておくだけで、メンテナンス作業の最中に管理端末からの制御指示信号で遊技球循環設備が不意に稼働してしまうということが防止され、メンテナンス作業の安全性の向上が図られる。
【０００７】
また、遊技場内の事務所に設けた管理端末の表示画面に、遊技場内の各遊技台島に設けられた遊技球循環設備の稼働状況を表示できるようにした技術（以下、管理端末稼働表示技術という）が知られている（例えば、特許文献２参照。）。
【０００８】
この技術により、遊技場内の管理を行うスタッフ（以下、管理スタッフという）は、遊技球循環設備の稼働状況を管理端末側で確認することができるので、稼働状況の確認のために各遊技台島の遊技球循環設備を見回る必要がなくなり、遊技場を管理する作業の効率化が図られる。
【先行技術文献】
【特許文献】
【０００９】
【特許文献１】特開２００２−２１０１９５号公報
【特許文献２】特開平１０−１１８３０５号公報
【発明の概要】
【発明が解決しようとする課題】
【００１０】
しかしながら、上記リモート制御無効可能システムでは、管理端末の表示画面に、遊技場内の各遊技台島に設けられた遊技球循環設備の稼働状況を表示できるようにされていない。このため、管理端末の表示画面に遊技球循環設備の稼働状況と、制御指示信号が指示する遊技球循環設備の稼働内容とが表示されないため、管理スタッフに対して、遊技球循環設備の稼働状況（実稼働状況）と、制御指示信号が指示する遊技球循環設備の稼働内容（想定稼働状況）とを一致させるために、遊技球循環設備をどのように稼働させればよいかを認識させることができず、遊技球循環設備を稼働させる作業の効率の向上を図ることができなかった。
【００１１】
【００１２】
【００１３】
【００１４】
本発明は、こうした問題に鑑みなされたものであり、作業スタッフの作業効率の向上を図ることを目的とする。
【課題を解決するための手段】
【００１５】
上記課題を解決するための手段として、請求項１の発明の遊技台島の制御システムは、複数の遊技台に遊技媒体を供給するとともに、該複数の遊技台から排出された該遊技媒体を回収する遊技媒体循環手段を備えた遊技台島の制御システムであって、上記遊技台島から離れた場所に設置され、上記遊技媒体循環手段を制御するための制御指示信号を送信する遠隔制御手段と、上記遠隔制御手段から送信される上記制御指示信号に基づいて、上記遊技媒体循環手段を制御する島制御手段と、遊技台島における上記遊技媒体循環手段の稼働状況と、上記制御指示信号が指示する上記遊技媒体循環手段の稼働内容とを比較する比較手段と、上記遠隔制御手段の近傍に設置され、上記比較手段による比較で相違する内容を報知する相違内容報知手段とを備えることを特徴とする遊技台島の制御システムを要旨とする。
【００１６】
このように構成された請求項１の遊技台島の制御システムは、遊技台島から離れた場所に設置された遠隔制御手段によって、遊技媒体循環手段を制御するための制御指示信号が送信される。そして島制御手段によって、遠隔制御手段から送信される制御指示信号に基づいて、遊技媒体循環手段が制御される。
また、比較手段によって、遊技台島における遊技媒体循環手段の稼働状況と、制御指示信号が指示する遊技媒体循環手段の稼働内容とが比較され、更に、遠隔制御手段の近傍に設置された相違内容報知手段によって、比較手段による比較で相違する内容が報知される。
従って、遊技媒体循環手段の稼働状況と、制御指示信号が指示する遊技媒体循環手段の稼働内容との相違を遠隔制御手段側で知らせることが可能になる。
【００１７】
請求項２の発明の遊技台島の制御システムは、遊技台島に設置された無効操作入力手段によって無効操作が入力された場合に、制御制限手段によって、島制御手段による制御が制限される。
そして、遠隔制御手段の近傍に設置された制御制限報知手段によって、島制御手段による制御が制限された遊技台島が特定可能に報知される。
【００１８】
従って、制御制限報知手段により報知されている遊技台島は島制御手段による制御が制限されており、制御制限報知手段により報知されていない遊技台島は島制御手段による制御が制限されていないということを、遠隔制御手段側で認識させることが可能になる。
【００１９】
【００２０】
【００２１】
請求項３の発明の遊技台島の制御システムは、上記遊技台島に設置され、解除操作を入力する解除操作入力手段と、上記解除操作入力手段が上記解除操作を入力した場合に、上記制御制限手段による上記島制御手段の制御の制限を解除する解除手段と、上記遠隔制御手段の近傍に設置され、上記島制御手段による制御の制限が上記解除手段により解除されると、該制限が解除された上記遊技台島を特定可能に報知する解除報知手段とを備えることを要旨とする。
【００２２】
これにより、請求項１または請求項２の作用に加え、遊技台島に設置された解除操作入力手段によって解除操作が入力された場合に、解除手段によって、制御制限手段による島制御手段の制御の制限が解除される。そして、島制御手段による制御の制限が解除手段により解除されると、遠隔制御手段の近傍に設置された解除報知手段によって、制限が解除された遊技台島が特定可能に報知される。
【００２３】
従って、制限が解除された遊技台島を遠隔制御手段側で知らせることが可能になる。
【００２４】
【００２５】
請求項４の発明の遊技台島の制御システムは、上記解除手段によって上記島制御手段の制御の制限が解除された後に、上記比較手段による比較結果に基づいて、上記解除報知手段の報知により特定された遊技台島における上記遊技媒体循環手段の稼働状況と、上記制御指示信号が指示する上記遊技媒体循環手段の稼働内容とが一致するように、上記遊技媒体循環手段を制御する比較島制御手段を備えることを要旨とする。
【００２６】
これにより、請求項３の作用に加え、比較島制御手段によって、解除手段による島制御手段の制御制限の解除の後に、解除報知手段の報知により特定された遊技台島における遊技媒体循環手段の稼働状況と、制御指示信号が指示する遊技媒体循環手段の稼働内容とが一致するように、遊技媒体循環手段が制御される。
請求項５の発明の遊技台島の制御システムは、上記相違内容報知手段が、遊技台島における上記遊技媒体循環手段の稼働状況と、上記制御指示信号が指示する上記遊技媒体循環手段の稼働内容との相違する内容を強調表示したことを要旨とする。
これにより、請求項１〜請求項４の作用に加え、相違内容報知手段によって、遊技台島における遊技媒体循環手段の稼働状況と、制御指示信号が指示する遊技媒体循環手段の稼働内容との相違する内容が強調表示される。
【発明の効果】
【００２７】
請求項１の発明の遊技台島の制御システムは、遊技媒体循環手段の稼働状況と、制御指示信号が指示する遊技媒体循環手段の稼働内容とを一致させるために、遊技媒体循環手段をどのように稼働させればよいかを容易に認識させることができ、遊技媒体循環手段を稼働させる作業の効率の向上を図ることができるという優れた効果を奏する。
請求項２の発明の遊技台島の制御システムは、制御制限報知手段により報知されている遊技台島（以下、制限報知遊技台島ともいう）は島制御手段による制御が制限されており、制御制限報知手段により報知されていない遊技台島（以下、非制限報知遊技台島ともいう）は島制御手段による制御が制限されていないということを、遠隔制御手段側で認識させることが可能になる。
【００２８】
【００２９】
【００３０】
【００３１】
【００３２】
【００３３】
【００３４】
【００３５】
請求項３の発明の遊技台島の制御システムは、請求項１または請求項２の効果に加え、解除報知手段による報知によって、島制御手段による制御の制限が解除された遊技台島であることを認識させることができる。このため、別の作業スタッフが既にメンテナンス作業を終了させており作業スタッフを出向かわせる必要はない遊技台島であると認識させることができる。従って、別の作業スタッフが既にメンテナンス作業を行った遊技台島へ新たに作業スタッフを出向かわせるという無駄な作業を抑制でき、作業スタッフの作業効率の向上を図ることができるという極めて優れた効果を奏する。
【００３６】
【００３７】
請求項４の発明の遊技台島の制御システムは、請求項３の効果に加え、島制御手段による制御が制限されている間に制御指示信号で指示された処理（以下、制限時指示処理という）が解除操作の後に行われることになる。このため、解除操作の後に、制限時指示処理を実行する作業を遊技場のスタッフが行う必要がなくなる。これにより、遊技場のスタッフの作業効率の更なる向上を図ることができるという優れた効果を奏する。
【図面の簡単な説明】
【００３８】
【図１】遊技台島制御システム１の全体構成を示すブロック図である。
【図２】遊技台島１００内における遊技球循環設備の配置を説明する図である。
【図３】管理端末装置２の内部構成を表すブロック図である。
【図４】一括操作画面Ｇ０１の説明図である。
【図５】島コントロール制御ユニット装置５の内部構成を表すブロック図である。
【図６】入出力端子部３３ｃ，３４ｃ，３５ｃ，３６ｃの構成の説明図である。
【図７】入出力端子部３７ｃの構成の説明図である。
【図８】操作スイッチ群装置６の正面図である。
【図９】操作スイッチ群装置６の内部構成を表すブロック図である。
【図１０】制御無効処理を表すフローチャートである。
【図１１】稼働状況表示処理を表すフローチャートである。
【図１２】稼働状況表示画面Ｇ３１〜Ｇ３２の説明図である。
【図１３】比較表示画面Ｇ３４の説明図である。
【図１４】スイッチパネル側還元機稼働処理を表すフローチャートである。
【図１５】管理端末側還元機稼働処理を表すフローチャートである。
【図１６】スイッチパネル側還元機停止処理を表すフローチャートである。
【図１７】管理端末側還元機停止処理を表すフローチャートである。
【図１８】玉通路シャッター開放処理を表すフローチャートである。
【図１９】玉通路シャッター閉鎖処理を表すフローチャートである。
【図２０】還元機定期監視処理の前半部分を表すフローチャートである。
【図２１】還元機定期監視処理の後半部分を表すフローチャートである。
【図２２】玉通路シャッター定期監視処理を表すフローチャートである。
【図２３】スイッチパネル側ヒータ稼働処理を表すフローチャートである。
【図２４】管理端末側ヒータ稼働処理を表すフローチャートである。
【図２５】スイッチパネル側ヒータ停止処理を表すフローチャートである。
【図２６】管理端末側ヒータ停止処理を表すフローチャートである。
【図２７】ヒータ定期監視処理を表すフローチャートである。
【図２８】ヒータ制御処理を表すフローチャートである。
【図２９】スイッチパネル側玉抜きストッパー開放処理を表すフローチャートである。
【図３０】管理端末側玉抜きストッパー開放処理を表すフローチャートである。
【図３１】スイッチパネル側玉抜きストッパー閉鎖処理を表すフローチャートである。
【図３２】管理端末側玉抜きストッパー閉鎖処理を表すフローチャートである。
【図３３】玉抜きストッパー定期監視処理を表すフローチャートである。
【図３４】玉流れ異常処理を表すフローチャートである。
【図３５】玉漏れ異常処理を表すフローチャートである。
【図３６】スイッチパネル側布ベルト稼働処理を表すフローチャートである。
【図３７】管理端末側布ベルト稼働処理を表すフローチャートである。
【図３８】スイッチパネル側布ベルト停止処理を表すフローチャートである。
【図３９】管理端末側布ベルト停止処理を表すフローチャートである。
【図４０】布ベルト定期監視処理を表すフローチャートである。
【図４１】布ベルト巻取り処理を表すフローチャートである。
【図４２】緩み解消動作処理を表すフローチャートである。
【図４３】布ベルト・システム起動処理を表すフローチャートである。
【図４４】リモート開店前処理の第１の部分を表すパケットシーケンスチャートチャートである。
【図４５】リモート開店前処理の第２の部分を表すパケットシーケンスチャートである。
【図４６】リモート開店前処理の第３の部分を表すパケットシーケンスチャートである。
【図４７】リモート還元機ＯＮ・ＯＦＦ処理を表すパケットシーケンスチャートである。
【図４８】リモート玉抜きストッパーＯＮ・ＯＦＦ処理を表すパケットシーケンスチャートである。
【図４９】リモートヒータＯＮ・ＯＦＦ処理を表すパケットシーケンスチャートである。
【図５０】リモート布ベルト自動巻取りＯＮ・ＯＦＦ処理を表すパケットシーケンスチャートである。
【図５１】島状態取得処理を表すパケットシーケンスチャートである。
【図５２】島状態表示処理を表すパケットシーケンスチャートである。
【図５３】発生履歴取得処理の第１の部分を表すパケットシーケンスチャートである。
【図５４】発生履歴取得処理の第２の部分を表すパケットシーケンスチャートである。
【図５５】発生履歴取得処理の第３の部分を表すパケットシーケンスチャートである。
【図５６】発生履歴取得処理の第４の部分を表すパケットシーケンスチャートである。
【図５７】発生履歴取得処理の第５の部分を表すパケットシーケンスチャートである。
【図５８】発生履歴取得処理の第６の部分を表すパケットシーケンスチャートである。
【図５９】発生履歴表示処理を表すパケットシーケンスチャートである。
【図６０】台状態取得処理を表すパケットシーケンスチャートである。
【図６１】台状態表示処理を表すパケットシーケンスチャートである。
【図６２】動作条件設定・表示処理を表すパケットシーケンスチャートである。
【図６３】リモート閉店後処理の前半部分を表すパケットシーケンスチャートである。
【図６４】リモート閉店後処理の後半部分を表すパケットシーケンスチャートである。
【図６５】夜間監視開始処理を表すパケットシーケンスチャートである。
【図６６】夜間監視解除処理を表すパケットシーケンスチャートである。
【図６７】島状態表示画面Ｇ０２の説明図である。
【図６８】異常詳細表示画面Ｇ０３の説明図である。
【図６９】ベルト交換画面Ｇ０４の説明図である。
【図７０】夜間監視画面Ｇ０５の説明図である。
【図７１】島履歴画面Ｇ０６の説明図である。
【図７２】島全体設定シートＧ０７の説明図である。
【図７３】ベルト設定シートＧ０８の説明図である。
【図７４】島別設定１シートＧ０９の説明図である。
【図７５】島別設定２シートＧ１０の説明図である。
【図７６】島別設定３シートＧ１１の説明図である。
【図７７】ダウンロードシートＧ１２の説明図である。
【図７８】ダウンロード中のダイアローグＤ０１の説明図である。
【図７９】ダウンロード前のダイアローグＤ０２，Ｄ０３の説明図である。
【図８０】動作条件設定画面でのダイアローグＤ０４〜Ｄ０７の説明図である。
【図８１】島情報表示装置８の表示画面Ｇ２１〜Ｇ２４の説明図である。
【発明を実施するための形態】
【００３９】
以下に本発明の実施形態について図面をもとに説明する。
図１は本発明が適用された遊技台島制御システム１の全体構成を示すブロック図、図２は、遊技台島１００内における還元機２００、玉通路シャッター２１０等の配置を説明する図である。
【００４０】
遊技台島制御システム１は、図１に示すように、複数の遊技台１２０が一列に並んで設置された遊技台島１００を複数備えた遊技場で使用される。尚、図１では、遊技台島１００は、１台だけ示し、遊技台１２０は、２台だけ示す。
【００４１】
遊技台島１００には、遊技台島１００における長手方向の中央に設置され（図２参照）、遊技台１２０から回収した遊技球を遊技台島１００の上部へ揚送する還元機２００と、遊技台１２０から回収した遊技球を貯留する貯留タンク２７０（図２参照）から還元機２００への遊技球の流れを必要に応じて止める玉通路シャッター２１０と、還元機２００に
より揚送された遊技球を各遊技台１２０に補給するために還元機２００から遊技台島１００の端部に向けて下方に傾斜した補給樋２５０（図２参照）上を流下する遊技球に付着した湿気を除去するために、その補給樋２５０を暖めるヒータ２２０と、その補給樋２５０の下流側端部に設置され（図２参照）、この補給樋２５０上で滞留している遊技球を抜き取るための玉抜きストッパー２３０と、還元機２００により揚送される遊技球を研磨するために還元機２００に装着された布ベルトを巻取る布ベルト巻取り装置２４０とが設置されている。
【００４２】
なお以下、還元機２００、玉通路シャッター２１０、ヒータ２２０、玉抜きストッパー２３０、布ベルト巻取り装置２４０、補給樋２５０、回収樋２６０及び貯留タンク２７０，２８０をまとめて遊技球循環設備ともいう。
【００４３】
また図２に示すように、遊技台島１００には、遊技台１２０（図２では不図示。図１参照）から排出された遊技球を回収する回収樋２６０と、回収樋２６０により回収された遊技球を貯留する貯留タンク２７０，２８０とが設置されている。尚、貯留タンク２８０に貯留された遊技球は、図示しない遊技球搬送機構によって、貯留タンク２７０へ搬送され、貯留タンク２７０内に貯留される。
【００４４】
更に遊技台島制御システム１は、図１に示すように、遊技場全体を管理する管理端末装置２と、遊技場内の遊技台島１００間で通信を行うネットワークアダプタ３と、遊技台島１００に設置された各種装置、各種基板との間で通信を行う通信基板４と、遊技台島１００の全体を制御する島コントロール制御ユニット装置５と、還元機２００、玉通路シャッター２１０、ヒータ２２０、玉抜きストッパー２３０及び布ベルト巻取り装置２４０を操作するためのボタン５１ａ，５２ａ，５３ａ，５４ａ，５５ａ（図９参照）を備える操作スイッチ群装置６と、複数の遊技台１２０が接続されて、その遊技台１２０との間で各種信号の入出力を行う複数の台Ｉ／Ｏ基板７と、金庫開放センサ１４１（後述）及び両替機開放センサ１４２（後述）が接続されて、その金庫開放センサ１４１及び両替機開放センサ１４２との間で各種信号の入出力を行う島端Ｉ／Ｏ基板７ａと、遊技台島１００に関する情報を表示する島情報表示装置８とを備える。
【００４５】
管理端末装置２とネットワークアダプタ３との間は、ネットワーク回線Ｃ１を介してデータ通信可能に接続され、ネットワークアダプタ３と各遊技台島１００の通信基板４との間はネットワーク回線Ｃ２を介してデータ通信可能に接続されている。
【００４６】
また通信基板４は、ネットワーク回線Ｃ３を介して、島コントロール制御ユニット装置５及び島情報表示装置８にデータ通信可能に接続されるとともに、ネットワーク回線Ｃ４を介して、複数の台Ｉ／Ｏ基板７にデータ通信可能に接続される。
【００４７】
尚、遊技台島１００内には、その長手方向の両面それぞれに複数の遊技台１２０が一列に整列して配置されている。
また、遊技台島１００内には、その長手方向の両面それぞれに台Ｉ／Ｏ基板７が一列に整列して配置される。そして、台Ｉ／Ｏ基板７は、隣接する４台の遊技台１２０に接続され、各遊技台１２０の図示しない信号出力端子から出力された信号を入力する。
【００４８】
また、遊技台島１００の長手方向の中央には、通信基板４が設置され、この通信基板４を挟んだ左右に隣接して、４つの台Ｉ／Ｏ基板７が配置されている。そして、通信基板４は、この４つの台Ｉ／Ｏ基板７のそれぞれとの間で、ネットワーク回線Ｃ４を介してデータ通信可能に接続される。更に、隣接する台Ｉ／Ｏ基板７同士は、ネットワーク回線Ｃ４を介してデータ通信可能に接続される。これにより、通信基板４と全ての台Ｉ／Ｏ基板７との間でデータ通信が可能となる。
【００４９】
また島コントロール制御ユニット装置５は、還元機２００と、玉通路シャッター２１０と、ヒータ２２０と、玉抜きストッパー２３０と、布ベルト巻取り装置２４０に接続されており、これらを制御する。
【００５０】
また操作スイッチ群装置６は、島コントロール制御ユニット装置５との間で、ネットワーク回線Ｃ５を介して、データ通信が可能に接続されるとともに、電源供給線Ｖ１を介して、島コントロール制御ユニット装置５からＡＣ３２ボルト電源の供給を受ける。
【００５１】
また台Ｉ／Ｏ基板７には、４台の遊技台１２０の他に、４台の遊技台１２０のそれぞれに対応した呼出ランプ装置１１０とアウト玉計数器１２１とが信号入出力可能に接続される。更に、台Ｉ／Ｏ基板７は、隣接する遊技台１２０の２台毎に遊技台１２０の上方に設けられた点検用の欄間（不図示）の開放を検出する２つの欄間開放センサ１３１と、遊技台１２０の内枠（不図示）の開放を検出する４つの内枠開放センサ１３２とに信号入出力可能に接続される。この構成により、呼出ランプ装置１１０、アウト玉計数器１２１、欄間開放センサ１３１及び内枠開放センサ１３２からの信号が、台Ｉ／Ｏ基板７を経由して通信基板４へ入力される。
【００５２】
また島端Ｉ／Ｏ基板７ａは、遊技台島１００内の複数の球貸し機（不図示）に投入された硬貨を回収するために遊技台島１００の長手方向の一端に設置された金庫（不図示）の開放を検出する金庫開放センサ１４１と、遊技台島１００の長手方向の一端に設置された両替機（不図示）の開放を検出する両替機開放センサ１４２とに接続されるとともに、この球貸し機または金庫に隣接して設置されている台Ｉ／Ｏ基板７に、ネットワーク回線Ｃ４を介してデータ通信可能に接続される。この構成により、金庫開放センサ１４１と両替機開放センサ１４２からの信号が、台Ｉ／Ｏ基板７と島端Ｉ／Ｏ基板７ａとを経由して、通信基板４へ入力される。
【００５３】
図３は、管理端末装置２の内部構成を表すブロック図である。
管理端末装置２は、図３に示すように、キーボードやマウスで構成される操作部２２ａ及び液晶ディスプレイ（以下、ＬＣＤという）で構成される表示パネル２２ｂからなるユーザインターフェース（以下、ユーザＩ／Ｆという）２２と、ネットワークアダプタ３との間でデータ通信を行う通信部２３と、管理端末装置２全体の動作を制御する制御部２１とから構成される。
【００５４】
これらのうち制御部２１は、所定の処理プログラムに基づいて処理を実行するＣＰＵ２１ａと、種々の処理プログラムが格納されたＲＯＭ２１ｂと、種々のデータを格納するＲＡＭ２１ｃと、ユーザＩ／Ｆ２２と通信部２３が接続され、ＣＰＵ２１ａ及びＲＡＭ２１ｂとの間で信号及びデータの入出力を行う入出力部２１ｄとから構成され、ＣＰＵ２１ａ，ＲＯＭ２１ｂ，ＲＡＭ２１ｃ及び入出力部２１ｄはバス２１ｅを介して接続されている。
【００５５】
図４は、管理端末装置２側から遊技台島１００内の還元機２００、ヒータ２２０、玉抜きストッパー２３０及び布ベルト巻取り装置２４０を制御するために表示パネル２２ｂに表示される一括操作画面Ｇ０１の説明図である。
【００５６】
尚、管理端末装置２は、表示パネル２２ｂの表示画面上に表示される後述の各種ボタンを押下する操作が行われると、その旨を示す信号（以下、制御指示信号ＳＳという）をネットワークアダプタ３へ送信するように構成されている。
【００５７】
一括操作画面Ｇ０１には、図４に示すように、開店処理（後述）を実施する場合に押下される開店処理ボタンＨ０１０１と、閉店処理（後述）を実施する場合に押下される閉店処理ボタンＨ０１０２と、還元機２００を稼働する場合に押下される還元機稼働ボタンＨ０１０３と、還元機２００を停止する場合に押下される還元機停止ボタンＨ０１０４と、玉抜きストッパー２３０を開放する場合に押下される玉抜きストッパー開放ボタンＨ０１０５と、玉抜きストッパー２３０を閉鎖する場合に押下される玉抜きストッパー閉鎖ボタンＨ０１０６と、ヒータ２２０を稼働する場合に押下されるヒータ稼働ボタンＨ０１０７と、ヒータ２２０を停止する場合に押下されるヒータ停止ボタンＨ０１０８と、布ベルト巻取り装置２４０を稼働する場合に押下される布ベルト巻取り装置稼働ボタンＨ０１０９と、布ベルト巻取り装置２４０を停止する場合に押下される布ベルト巻取り装置停止ボタンＨ０１１０とが表示される。
【００５８】
更に一括操作画面Ｇ０１には、遊技台島１００における異常等の発生履歴（以下、島履歴という）を表示する島履歴リストＨ０１１１と、島履歴リストＨ０１１１の１画面分を前に移動表示する場合に押下される前ボタンＨ０１１２と、島履歴リストＨ０１１１の１画面分を次に移動表示する場合に押下される次ボタンＨ０１１３と、島状態表示画面（後述）に遷移する場合に押下される島状態表示ボタンＨ０１１４と、一括操作画面Ｇ０１に遷移する場合に押下される一括操作ボタンＨ０１１５と、島履歴画面Ｇ０６（後述）に遷移する場合に押下される島履歴ボタンＨ０１１６と、動作条件設定画面Ｇ０７（後述）に遷移する場合に押下される動作条件設定ボタンＨ０１１７と、ホーム画面に遷移する場合に押下される台管理ボタンＨ０１１８とが表示される。
【００５９】
このように構成された管理端末装置２において、ＣＰＵ２１ａは、遊技台島１００の稼働状況を表示パネル２２ｂに表示させる稼働状況表示処理（後述）を実行する。
図５は島コントロール制御ユニット装置５の内部構成を表すブロック図、図６は入出力端子部３３ｃ，３４ｃ，３５ｃ，３６ｃの構成を説明する図、図７は入出力端子部３７ｃの構成を説明する図である。
【００６０】
島コントロール制御ユニット装置５は、図５に示すように、島コントロール制御ユニット装置５全体の動作を制御するメイン制御基板３１と、遊技台島１００内に設置された各種装置や各種センサ等が接続されて各種信号の入出力を行う第１サブ基板３３，第２サブ基板３４，第３サブ基板３５，第４サブ基板３６，第５サブ基板３７と、島コントロール制御ユニット装置５に接続された各種装置に関する情報を８個のＬＥＤの点灯により表示する状態確認用ＬＥＤ群３８と、島コントロール制御ユニット装置５と第１サブ基板３３，第２サブ基板３４，第３サブ基板３５，第４サブ基板３６，第５サブ基板３７とを接続するコネクタケーブル３２ａ，３２ｂ，３２ｃ，３２ｄ，３２ｅとから構成される。
【００６１】
これらのうちメイン制御基板３１は、メイン制御基板３１全体の動作を制御する制御部４１と、起動時に第１サブ基板３３，第２サブ基板３４，第３サブ基板３５，第４サブ基板３６，第５サブ基板３７をハード的にリセットするリセットＩＣ４２と、島コントロール制御ユニット装置５に接続された各種装置に電源を供給する電源供給部４３と、コネクタケーブル３２ａ，３２ｂ，３２ｃ，３２ｄ，３２ｅが接続されるメイン側第１コネクタ４４と、操作スイッチ群装置６が接続されるメイン側第２コネクタ４５と、通信基板４及び島情報表示装置８が接続されるメイン側第３コネクタ４６と、状態確認用ＬＥＤ群３８に駆動信号を伝えるＬＥＤ駆動回路４７とから構成される。
【００６２】
そして制御部４１は、所定の処理プログラムに基づいて処理を実行するＣＰＵ４１ａと、種々の処理プログラムが格納されたＲＯＭ４１ｂと、種々のデータを格納するＲＡＭ４１ｃと、リセットＩＣ４２とメイン側第１コネクタ４４とメイン側第２コネクタ４５とメイン側第３コネクタ４６とＬＥＤ駆動回路４７とが接続され、ＣＰＵ４１ａ及びＲＡＭ４１ｂとの間で信号及びデータの入出力を行う入出力部４１ｄとから構成され、ＣＰＵ４１
ａ，ＲＯＭ４１ｂ，ＲＡＭ４１ｃ及び入出力部４１ｄはバス４１ｅを介して接続されている。
【００６３】
尚、ＲＡＭ４１ｃには、還元機２００が稼働中であることを示す還元機稼働フラグＦ１と、玉通路シャッター２１０が開放中であることを示す玉通路シャッター開放フラグＦ２と、玉抜きストッパー２３０が開放中であることを示す玉抜きストッパー開放フラグＦ３と、ヒータ２２０が稼働中であることを示すヒータ稼働フラグＦ４と、布ベルト巻取り装置２４０が稼働中であることを示す布ベルト稼働フラグＦ５と、ヒータ２２０の温度制御が有効であることを示すヒータ温度制御フラグＦ６と、還元機２００の稼働時に異常があることを示す還元機稼働異常フラグＦ７と、還元機２００の停止時に異常があることを示す還元機停止異常フラグＦ８と、玉通路シャッター２１０の開放時に異常があることを示す玉通路シャッター開放異常フラグＦ９と、玉通路シャッター２１０の閉鎖時に異常があることを示す玉通路シャッター閉鎖異常フラグＦ１０とがセットされる領域が設けられている。
【００６４】
また、メイン側第１コネクタ４４は電源供給部４３から電源の供給を受け、コネクタケーブル３２ａを介して、第１サブ基板３３に対してＤＣ５ボルト電源及びＤＣ２４ボルト電源を供給するとともに、第１サブ基板３３との間でデータ通信を行う。
【００６５】
同様にメイン側第１コネクタ４４は、コネクタケーブル３２ｂを介して、第２サブ基板３４に対してＤＣ５ボルト電源、ＤＣ２４ボルト電源及びＤＣ３２ボルトを供給するとともに、第２サブ基板３４との間でデータ通信を行う。また、コネクタケーブル３２ｃを介して、第３サブ基板３５に対してＤＣ５ボルト電源及びＤＣ２４ボルト電源を供給するとともに、第３サブ基板３５との間でデータ通信を行う。また、コネクタケーブル３２ｄを介して、第４サブ基板３６に対してＤＣ５ボルト電源、ＤＣ２４ボルト電源及びＡＣ１００ボルト電源を供給するとともに、第４サブ基板３６との間でデータ通信を行う。また、コネクタケーブル３２ｅを介して、ＤＣ５ボルト電源及びＤＣ２４ボルト電源を供給するとともに、第５サブ基板３７との間でデータ通信を行う。
【００６６】
次に第１サブ基板３３は、コネクタケーブル３２ａが接続されるサブ側コネクタ３３ａと、遊技台島１００内に設置された各種装置や各種センサ等が接続される入出力端子部３３ｃと、入出力端子部３３ｃに入力した信号をサブ側コネクタ３３ａへ出力するとともに、サブ側コネクタ３３ａに入力した信号を入出力端子部３３ｃへ出力する入出力回路３３ｂとから構成される。
【００６７】
尚、入出力端子部３３ｃは、図６（ａ）の端子表Ｔ１に示すように、オーバーロード検知端子Ｐ１、断線検知機能付きのオーバーフロー検知端子Ｐ２、還元機稼働中検知端子Ｐ３、玉通路シャッター開放中検知端子Ｐ４、玉通路シャッター閉鎖中検知端子Ｐ５、還元機稼働指示端子Ｐ６、還元機停止指示端子Ｐ７、フラッシュランプ点灯指示端子Ｐ８、玉通路シャッター開放電源端子Ｐ９及び玉通路シャッター閉鎖電源端子Ｐ１０から構成される。
【００６８】
また、第２サブ基板３４は、コネクタケーブル３２ｂが接続されるサブ側コネクタ３４ａと、遊技台島１００内に設置された各種装置や各種センサ等が接続される入出力端子部３４ｃと、入出力端子部３４ｃに入力した信号をサブ側コネクタ３４ａへ出力するとともに、サブ側コネクタ３４ａに入力した信号を入出力端子部３４ｃへ出力する入出力回路３４ｂとから構成される。
【００６９】
尚、入出力端子部３４ｃは、図６（ｂ）の端子表Ｔ２に示すように、布ベルト緩み検知端子Ｐ１１、圧接ローラ回転検知端子Ｐ１２、１ロール終了検知端子Ｐ１３、送りモータ過負荷電流検知端子Ｐ１４、送りモータ稼働電源端子Ｐ１５、巻取りモータ稼働電源端子Ｐ１６及びクランプ開放電源端子Ｐ１７から構成される。
【００７０】
また、第３サブ基板３５は、コネクタケーブル３２ｃが接続されるサブ側コネクタ３５ａと、遊技台島１００内に設置された各種装置や各種センサ等が接続される入出力端子部３５ｃと、入出力端子部３５ｃに入力した信号をサブ側コネクタ３５ａへ出力するとともに、サブ側コネクタ３５ａに入力した信号を入出力端子部３５ｃへ出力する入出力回路３５ｂとから構成される。
【００７１】
尚、入出力端子部３５ｃは、図６（ｃ）の端子表Ｔ３に示すように、断線検知機能付きの玉通過検知端子Ｐ１８〜Ｐ２１及びソレノイド開閉動作電源端子Ｐ２２〜Ｐ２５から構成される。
【００７２】
また、第４サブ基板３６は、コネクタケーブル３２ｄが接続されるサブ側コネクタ３６ａと、遊技台島１００内に設置された各種装置や各種センサ等が接続される入出力端子部３６ｃと、入出力端子部３６ｃに入力した信号をサブ側コネクタ３６ａへ出力するとともに、サブ側コネクタ３６ａに入力した信号を入出力端子部３６ｃへ出力する入出力回路３６ｂとから構成される。
【００７３】
尚、入出力端子部３６ｃは、図６（ｄ）の端子表Ｔ４に示すように、温度検知端子Ｐ２６〜Ｐ２７及び断線検知機能付きのヒータ電源端子Ｐ２８〜Ｐ３３から構成される。
また、第５サブ基板３７は、コネクタケーブル３２ｅが接続されるサブ側コネクタ３７ａと、遊技台島１００内に設置された各種装置や各種センサ等が接続される入出力端子部３７ｃと、入出力端子部３７ｃに入力した信号をサブ側コネクタ３７ａへ出力するとともに、サブ側コネクタ３７ａに入力した信号を入出力端子部３７ｃへ出力する入出力回路３７ｂとから構成される。
【００７４】
尚、入出力端子部３７ｃは、図７の端子表Ｔ５に示すように、断線検知機能付きの補給樋上流部・玉不足検知端子Ｐ３４〜Ｐ３７、断線検知機能付きの回収樋下流部・玉詰まり検知端子Ｐ３８〜Ｐ４９、断線検知機能付きの回収樋上流部・玉計数装置使用検知端子Ｐ５０、煙感知端子Ｐ５１〜Ｐ５２、還元機扉開放中検知端子Ｐ５３、点検扉開放中検知端子Ｐ５４〜Ｐ５７等から構成される。
【００７５】
このように構成された島コントロール制御ユニット装置５において、ＣＰＵ４１ａは、制御指示信号ＳＳを無効にする制御無効処理（後述）と、還元機２００、玉通路シャッター２１０、ヒータ２２０、玉抜きストッパー２３０及び布ベルト巻取り装置２４０を制御するための後述する各種処理（スイッチパネル側還元機稼働処理、管理端末側還元機稼働処理、スイッチパネル側還元機停止処理、管理端末側還元機停止処理、還元機定期監視処理、スイッチパネル側玉通路シャッター開放処理、スイッチパネル側玉通路シャッター閉鎖処理、玉通路シャッター定期監視処理、スイッチパネル側ヒータ稼働処理、管理端末側ヒータ稼働処理、スイッチパネル側ヒータ停止処理、管理端末側ヒータ停止処理、ヒータ定期監視処理、スイッチパネル側玉抜きストッパー開放処理、管理端末側玉抜きストッパー開放処理、スイッチパネル側玉抜きストッパー閉鎖処理、管理端末側玉抜きストッパー閉鎖処理、玉抜きストッパー定期監視処理、スイッチパネル側布ベルト稼働処理、管理端末側布ベルト稼働処理、スイッチパネル側布ベルト停止処理、管理端末側布ベルト停止処理、布ベルト定期監視処理、布ベルト・システム起動処理）とをそれぞれ独立して実行する。
【００７６】
図８は操作スイッチ群装置６の正面図、図９は操作スイッチ群装置６の内部構成を表すブロック図である。
操作スイッチ群装置６は、図８に示すように、還元機２００を稼働・停止する場合に押下される還元機用操作部５１と、玉通路シャッター２１０を開放・閉鎖する場合に押下される玉通路シャッター用操作部５２と、玉抜きストッパー２３０を稼働・停止する場合に押下される玉抜きストッパー用操作部５３と、ヒータ２２０を稼働・停止する場合に押下されるヒータ用操作部５４と、布ベルト巻取り装置２４０を稼働・停止する場合に押下される布ベルト巻取り装置用操作部５５と、還元機２００の状態を表示する還元機用状態表示部５６と、玉通路シャッター２１０の状態を表示する玉通路シャッター用状態表示部５７と、玉抜きストッパー２３０の状態を表示する玉抜きストッパー用状態表示部５８と、ヒータ２２０の状態を表示するヒータ用状態表示部５９と、布ベルト巻取り装置２４０の状態を表示する布ベルト巻取り装置用状態表示部６０と、布ベルト巻取り装置２４０の引張モータと巻取モータへ電源を供給・遮断（図９参照）する布ベルト巻取り装置ブレーカ６１と、オーバーフロー発生後の復旧確認のために操作されるオーバーフロー確認用操作部６２と、遊技台島１００のメンテナンス作業の開始時と終了時に操作されるメンテナンス用操作部６３と、上述の構成要素を操作スイッチ群装置６の正面に配置するスイッチパネル６４とから構成される。
【００７７】
また図９に示すように、還元機用操作部５１は、ボタン５１ａと２色ＬＥＤ５１ｂとから構成される。同様に、玉通路シャッター用操作部５２はボタン５２ａと２色ＬＥＤ５２ｂ、玉抜きストッパー用操作部５３はボタン５３ａと２色ＬＥＤ５３ｂ、ヒータ用操作部５４はボタン５４ａと２色ＬＥＤ５４ｂ、布ベルト巻取り装置用操作部５５はボタン５５ａと２色ＬＥＤ５５ｂとから構成される。
【００７８】
また、還元機用状態表示部５６は７セグＬＥＤ５６ａ、玉通路シャッター用状態表示部５７は７セグＬＥＤ５７ａ、玉抜きストッパー用状態表示部５８は７セグＬＥＤ５８ａ、ヒータ用状態表示部５９は７セグＬＥＤ５９ａ、布ベルト巻取り装置用状態表示部６０は７セグＬＥＤ６０ａから構成される。
【００７９】
また、オーバーフロー確認用操作部６２は、ボタン６２ａとＬＥＤ６２ｂとから構成される。
また、メンテナンス用操作部６３は、ボタン６３ａとＬＥＤ６３ｂとから構成される。尚、メンテナンス用操作部６３は、ボタン６３ａの押下によりオン状態とオフ状態を切り替わり、ＬＥＤ６３ｂはオン状態の時に点灯し、オフ状態の時に消灯するように構成されている。
【００８０】
そして、ボタン５１ａ，５２ａ，５３ａ，５４ａ，５５ａ，６２ａ，６３ａと、２色ＬＥＤ５１ｂ，５２ｂ，５３ｂ，５４ｂ，５５ｂと、７セグＬＥＤ５６ａ，５７ａ，５８ａ，５９ａ，６０ａと、ＬＥＤ６２ｂ，６３ｂは入出力部６５に接続される。これにより、ボタン５１ａ，５２ａ，５３ａ，５４ａ，５５ａ，６２ａ，６３ａの押下を示す信号が島コントロール制御ユニット装置５へ出力されるとともに、２色ＬＥＤ５１ｂ，５２ｂ，５３ｂ，５４ｂ，５５ｂと、７セグＬＥＤ５６ａ，５７ａ，５８ａ，５９ａ，６０ａと、ＬＥＤ６２ｂ，６３ｂとの点灯状態を指示する信号が島コントロール制御ユニット装置５から入力される。
【００８１】
次に、島コントロール制御ユニット装置５のＣＰＵ４１ａが実行する制御無効処理の手順を、図１０を用いて説明する。図１０は制御無効処理を表すフローチャートである。この制御無効処理は、ＣＰＵ４１ａが起動している間に繰り返し実行される処理である。
【００８２】
この制御無効処理においては、島コントロール制御ユニット装置５のＣＰＵ４１ａは、まず、Ｓ１０にて、メンテナンス用操作部６３のボタン６３ａがオフ状態からオン状態に変化したか否かを判断する。ここで、オフ状態からオン状態に変化していなければ（Ｓ１０）、Ｓ４０に移行する。一方、オフ状態からオン状態に変化すれば（Ｓ１０）、Ｓ２０にて、制御指示信号ＳＳを無効にする設定を行う。即ち、管理端末装置２から制御指示信号ＳＳを受信しても、受信した制御指示信号ＳＳに基づいて、還元機２００、ヒータ２２０、玉抜きストッパー２３０及び布ベルト巻取り装置２４０が稼働・停止しないように設定し、Ｓ８０に移行する。
【００８３】
具体的には、還元機２００、ヒータ２２０、玉抜きストッパー２３０及び布ベルト巻取り装置２４０を制御するために表示される管理端末装置２の一括操作画面Ｇ０１上のボタンＨ０１０１〜Ｈ０１１０が押下されても、これらのボタンＨ０１０１〜Ｈ０１１０が押下されることにより実行される処理（後述のリモート開店処理、リモート閉店処理、管理端末側還元機稼働処理、管理端末側還元機停止処理、管理端末側ヒータ稼働処理、管理端末側ヒータ停止処理、管理端末側玉抜きストッパー開放処理、管理端末側玉抜きストッパー閉鎖処理、管理端末側布ベルト稼働処理、管理端末側布ベルト停止処理）が起動しないように設定する。
【００８４】
その後Ｓ３０にて、この遊技台島１００の島番号を示す島番号情報が付加され、無効設定が行われたことを示す無効設定情報を管理端末装置２に送信し、Ｓ７０に移行する。
またＳ４０に移行すると、メンテナンス用操作部６３のボタン６３ａがオン状態からオフ状態に変化したか否かを判断する。ここで、オン状態からオフ状態に変化していなければ（Ｓ４０）、Ｓ７０に移行する。一方、オン状態からオフ状態に変化すれば（Ｓ４０）、Ｓ５０にて、制御指示信号ＳＳの無効設定を解除する。即ち、管理端末装置２から制御指示信号ＳＳを受信すると、受信した制御指示信号ＳＳに基づいて、還元機２００、ヒータ２２０、玉抜きストッパー２３０及び布ベルト巻取り装置２４０が稼働・停止するように設定する。
【００８５】
具体的には、管理端末装置２の一括操作画面Ｇ０１上のボタンＨ０１０１〜Ｈ０１１０が押下されると、これらのボタンＨ０１０１〜Ｈ０１１０が押下されることにより実行される処理が起動するように設定する。
【００８６】
その後Ｓ６０にて、この遊技台島１００の島番号を示す島番号情報が付加され、無効設定が解除されたことを示す無効解除情報を管理端末装置２に送信し、Ｓ７０に移行する。
そしてＳ７０に移行すると、制御指示信号ＳＳを受信したか否かを判断する。ここで、制御指示信号ＳＳを受信していなければ（Ｓ７０）、制御無効処理を一旦終了する。
【００８７】
一方、制御指示信号ＳＳを受信した場合には（Ｓ７０）、Ｓ８０にて、制御指示信号ＳＳで指示される内容通りに還元機２００、玉抜きストッパー２３０、ヒータ２２０及び布ベルト巻取り装置２４０が稼働したか否かを、還元機稼働中検知端子Ｐ３、ソレノイド開閉動作電源端子Ｐ２２〜Ｐ２５、ヒータ電源端子Ｐ２８〜Ｐ３３及び巻取りモータ稼働電源端子Ｐ１６のオン／オフに基づいて確認する。
【００８８】
そしてＳ９０にて、制御指示信号ＳＳで指示される内容通りに還元機２００、玉抜きストッパー２３０、ヒータ２２０及び布ベルト巻取り装置２４０が稼働したか否かを判断する。ここで、制御指示信号ＳＳで指示される内容通りに稼働している場合には（Ｓ９０）、制御無効処理を一旦終了する。
【００８９】
一方、制御指示信号ＳＳで指示される内容通りに稼働しない場合には（Ｓ９０）、Ｓ１００にて、この遊技台島１００の島番号を示す島番号情報が付加され、還元機２００、玉抜きストッパー２３０、ヒータ２２０及び布ベルト巻取り装置２４０の少なくとも１つが制御指示信号ＳＳで指示される内容通りに稼働しないことを示す非稼働情報を管理端末装置２に送信し、制御無効処理を一旦終了する。
【００９０】
次に、管理端末装置２のＣＰＵ２１ａが実行する稼働状況表示処理の手順を、図１１〜１３を用いて説明する。図１１は稼働状況表示処理を表すフローチャート、図１２は管理端末装置２の表示パネル２２ｂに表示される稼働状況表示画面Ｇ３１〜Ｇ３２の説明図、図１３は管理端末装置２の表示パネル２２ｂに表示される比較表示画面Ｇ３４の説明図である。この稼働状況表示処理は、ＣＰＵ２１ａが起動している間に繰り返し実行される処理である。
【００９１】
この稼働状況表示処理においては、管理端末装置２のＣＰＵ２１ａは、まず、Ｓ２１０にて、Ｓ１００で島コントロール制御ユニット装置５から送信される非稼働情報を受信したか否かを判断する。ここで、非稼働情報を受信していなければ（Ｓ２１０）、Ｓ２３０に移行する。
【００９２】
一方、非稼働情報を受信していれば（Ｓ２１０）、Ｓ２２０にて、受信した非稼働情報から島番号情報を抽出し、この島番号情報により示される島番号に該当する遊技台島１００が、稼働しない遊技台島である旨を表示パネル２２ｂに表示させ（図１２（ａ）の稼働状況表示画面Ｇ３１を参照）、Ｓ２３０に移行する。尚、稼働状況表示画面Ｇ３１は、「１」〜「４」の島番号を付された４台の遊技台島１００のうち、島番号「２」及び「４」を付された遊技台島１００が、稼働しない遊技台島であり、その他の遊技台島１００が異常の無い遊技台島であることを示している。
【００９３】
そしてＳ２３０に移行すると、Ｓ３０で島コントロール制御ユニット装置５から送信される無効設定情報を受信したか否かを判断する。ここで、無効設定情報を受信していなければ（Ｓ２３０）、Ｓ２５０に移行する。
【００９４】
一方、無効設定情報を受信していれば（Ｓ２３０）、Ｓ２４０にて、受信した無効設定情報から島番号情報を抽出し、この島番号情報により示される島番号に該当する遊技台島１００が、メンテナンス作業中である旨を表示パネル２２ｂに表示させ（図１２（ａ）の稼働状況表示画面Ｇ３１を参照）、Ｓ２５０に移行する。
【００９５】
尚、稼働状況表示画面Ｇ３１には、「１」〜「４」の島番号を付された４台の遊技台島１００のそれぞれについて、メンテナンス作業の状況を表示するためのメンテナンス状況表示部Ｈ３１０１，Ｈ３１０２，Ｈ３１０３，Ｈ３１０４が表示される。図１２（ａ）では、メンテナンス状況表示部Ｈ３１０４に「メンテナンス中」と表示されており、島番号「４」を付された遊技台島１００でメンテナンス作業が行われていることを示している。
【００９６】
そしてＳ２５０に移行すると、Ｓ２４０による「メンテナンス中」表示の開始から所定消去時間（本実施形態では、例えば２０分）が経過したか否かを判断する。ここで、所定消去時間が経過していなければ（Ｓ２５０）、Ｓ２７０に移行する。一方、所定消去時間が経過していれば（Ｓ２５０）、Ｓ２６０にて、該当する島番号についての「メンテナンス中」表示を消去し、Ｓ２７０に移行する。
【００９７】
そしてＳ２７０に移行すると、Ｓ６０で島コントロール制御ユニット装置５から送信される無効解除情報を受信したか否かを判断する。ここで、無効解除情報を受信していなければ（Ｓ２７０）、Ｓ２９０に移行する。
【００９８】
一方、無効解除情報を受信していれば（Ｓ２７０）、Ｓ２８０にて、受信した無効解除情報から島番号情報を抽出し、この島番号情報により示される島番号に該当する遊技台島１００が、メンテナンス終了である旨を表示パネル２２ｂに表示させ（図１２（ｂ）の稼働状況表示画面Ｇ３２を参照）、Ｓ２９０に移行する。
【００９９】
尚、図１２（ｂ）では、メンテナンス状況表示部Ｈ３１０４に「メンテ終了」と表示されており、島番号「４」を付された遊技台島１００でメンテナンス作業が終了したことを示している。
【０１００】
そしてＳ２９０に移行すると、後述の比較表示画面Ｇ３４を表示させる対象となる遊技台島１００を選択する比較表示選択操作（以下、比較表示選択操作という）が操作部２２ａを介して行われたか否かを判断する。尚、この比較表示選択操作は、Ｓ２８０でメンテナンス作業が終了した遊技台島である旨の表示がなされた遊技台島１００を選択する操作のみが有効とされている。
【０１０１】
ここで、比較表示選択操作が行われていない場合には（Ｓ２９０）、稼働状況表示処理を一旦終了する。一方、比較表示選択操作が行われた場合には（Ｓ２９０）、Ｓ３００にて、表示選択操作により指示された遊技台島１００について、制御指示信号ＳＳで指示された稼働内容と、実際に実行された稼働状況とを比較する。その後Ｓ３１０にて、Ｓ３００での比較結果を表示パネル２２ｂに表示させ（図１３の比較表示画面Ｇ３４を参照）、Ｓ３２０に移行する。
【０１０２】
比較表示画面Ｇ３４は、島番号「４」を付された遊技台島１００についてＳ３００の比較を行った結果を示したものである。そして比較表示画面Ｇ３４には、図１３に示すように、制御指示信号ＳＳで指示された遊技台島１００の稼働状況（以下、想定稼働状況という）を表示する想定稼働状況表示リストＨ３４０１と、実際に実行された遊技台島１００の稼働状況（以下、実稼働状況という）を表示する実稼働状況リストＨ３４０２と、後述する再実行処理を開始する場合に押下される再実行開始ボタンＨ３４０３と、再実行処理を行わずに比較表示画面Ｇ３４の表示を終了する場合に押下される比較表示終了ボタンＨ３４０４とが表示される。
【０１０３】
また想定稼働状況表示リストＨ３４０１は、還元機２００、ヒータ２２０、玉抜きストッパー２３０及び布ベルト巻取り装置２４０のそれぞれについて、制御指示信号ＳＳが稼働を指示したか否かを示すものである。そして想定稼働状況表示リストＨ３４０１には、制御指示信号ＳＳが稼働を指示した場合に「ＯＮ」、稼働を指示していない場合に「ＯＦＦ」と表示される。
【０１０４】
また実稼働状況リストＨ３４０２は、還元機２００、ヒータ２２０、玉抜きストッパー２３０及び布ベルト巻取り装置２４０のそれぞれについて、制御指示信号ＳＳの指示に従って稼働したか否かを示すものである。そして実稼働状況リストＨ３４０２には、制御指示信号ＳＳに従って稼働した場合に「ＯＮ」、制御指示信号ＳＳに従って稼働しなかった場合に「ＯＦＦ」と表示される。更に、還元機２００、ヒータ２２０、玉抜きストッパー２３０及び布ベルト巻取り装置２４０のそれぞれについて、想定稼働状況と実稼働状況とが相違する場合には、「ＯＮ」または「ＯＦＦ」と表示される欄が強調表示される（ＫＨ０１，ＫＨ０２，ＫＨ０３参照）。
【０１０５】
そしてＳ３２０に移行すると、再実行開始ボタンＨ３４０３が押下されたか否かを判断する。ここで、再実行開始ボタンＨ３４０３が押下されていない場合には（Ｓ３２０）、Ｓ３３０に移行する。一方、再実行開始ボタンＨ３４０３が押下された場合には（Ｓ３２０）、Ｓ３４０にて、再実行処理を行い、Ｓ３５０に移行する。この再実行処理は、想定稼働状況と実稼働状況とが一致するように、還元機２００、ヒータ２２０、玉抜きストッパー２３０及び布ベルト巻取り装置２４０を稼働させる処理である。例えば、図１３に示す比較表示画面Ｇ３４では、還元機２００、ヒータ２２０及び玉抜きストッパー２３０について、想定稼働状況と実稼働状況とに相違がある。このため、還元機２００、ヒータ２２０及び玉抜きストッパー２３０を稼働させる制御指示信号ＳＳを島コントロール制御ユニット装置５へ送信する。これにより、還元機２００、ヒータ２２０及び玉抜きストッパー２３０が稼働する。
【０１０６】
またＳ３３０に移行すると、比較表示終了ボタンＨ３４０４が押下されたか否かを判断する。ここで、比較表示終了ボタンＨ３４０４が押下されていない場合には（Ｓ３３０）、Ｓ３２０に移行し、上述の処理を繰り返す。一方、比較表示終了ボタンＨ３４０４が押下された場合には（Ｓ３３０）、Ｓ３５０に移行する。
【０１０７】
そしてＳ３５０に移行すると、比較表示画面Ｇ３４の表示を終了し、比較表示画面Ｇ３４を表示する直前に表示されていた表示画面（例えば、稼働状況表示画面Ｇ３２）を表示パネル２２ｂに表示させて、稼働状況表示処理を一旦終了する。
【０１０８】
［スイッチパネル側還元機稼働処理］
まず、島コントロール制御ユニット装置５のＣＰＵ４１ａが実行するスイッチパネル側還元機稼働処理の手順を、図１４を用いて説明する。図１４はスイッチパネル側還元機稼働処理を表すフローチャートである。このスイッチパネル側還元機稼働処理は、還元機２００が停止中に操作スイッチ群装置６の還元機用操作部５１のボタン５１ａが押下された時に実行される処理である。
【０１０９】
このスイッチパネル側還元機稼働処理においては、島コントロール制御ユニット装置５のＣＰＵ４１ａは、まず、Ｓ１０１０にて、還元機停止指示端子Ｐ７をオフにし、更にＳ１０２０にて、還元機稼働指示端子Ｐ６をオンにする。これにより、還元機２００への稼動指示が開始される。
【０１１０】
その後Ｓ１０３０にて、還元機稼働中検知端子Ｐ３がオンになっているか否かを判断する。即ち、還元機２００が稼働中であるか否かを判断する。ここで、還元機稼働中検知端子Ｐ３がオンであれば、還元機２００が稼働中であると判断し（Ｓ１０３０）、Ｓ１０４０にて、還元機稼働フラグＦ１をセットし、スイッチパネル側還元機稼働処理を終了する。
【０１１１】
一方、還元機稼働中検知端子Ｐ３がオフであれば、還元機２００が停止中であると判断し（Ｓ１０３０）、Ｓ１０５０にて、還元機稼働中検知端子Ｐ３がオフと判断されてから５００ミリ秒経過したか否かを判断する。ここで、５００ミリ秒経過していなければ（Ｓ１０５０）、Ｓ１０３０に移行し、上述の処理を繰り返す。一方、５００ミリ秒経過すると（Ｓ１０５０）、Ｓ１０６０にて、還元機稼働異常フラグＦ７をセットし、更にＳ１０７０にて、稼働指示に従って還元機２００が稼働しない旨（還元機稼働異常）を島情報表示装置８に報知させ、スイッチパネル側還元機稼働処理を終了する。
【０１１２】
［管理端末側還元機稼働処理］
次に、島コントロール制御ユニット装置５のＣＰＵ４１ａが実行する管理端末側還元機稼働処理の手順を、図１５を用いて説明する。図１５は管理端末側還元機稼働処理を表すフローチャートである。この管理端末側還元機稼働処理は、還元機稼働ボタンＨ０１０３が押下された時に実行される処理である。
【０１１３】
この管理端末側還元機稼働処理においては、島コントロール制御ユニット装置５のＣＰＵ４１ａは、まず、Ｓ１１３０にて、後述のＳ６６５０でセットされる布ベルト稼働フラグＦ５がセットされているか否かを判断する。即ち、布ベルト巻取り装置２４０が稼働中であるか否かを判断する。ここで、布ベルト稼働フラグＦ５がセットされていれば、布ベルト巻取り装置２４０が稼働中であると判断し（Ｓ１１３０）、管理端末側還元機稼働処理を終了する。これにより、布ベルト巻取り装置２４０が稼働中の場合には還元機稼働ボタンＨ０１０３が押下されても還元機２００は稼働しない。
【０１１４】
一方、布ベルト稼働フラグＦ５がクリアされていれば、布ベルト巻取り装置２４０が停止中であると判断し（Ｓ１１３０）、Ｓ１１４０にて、還元機停止指示端子Ｐ７をオフにし、更にＳ１１５０にて、還元機稼働指示端子Ｐ６をオンにする。これにより、還元機２００への稼動指示が開始される。
【０１１５】
その後Ｓ１１６０にて、還元機稼働中検知端子Ｐ３がオンになっているか否かを判断する。即ち、還元機２００が稼働中であるか否かを判断する。ここで、還元機稼働中検知端子Ｐ３がオンであれば、還元機２００が稼働中であると判断し（Ｓ１１６０）、Ｓ１１７０にて、還元機稼働フラグＦ１をセットし、更にＳ１１８０にて、玉通路シャッター２１０を開放させる玉通路シャッター開放処理（後述）を実行し、この処理が終了した後に、管理端末側還元機稼働処理を終了する。
【０１１６】
一方、還元機稼働中検知端子Ｐ３がオフであれば、還元機２００が停止中であると判断し（Ｓ１１６０）、Ｓ１１９０にて、還元機稼働中検知端子Ｐ３がオフと判断されてから５００ミリ秒経過したか否かを判断する。ここで、５００ミリ秒経過していなければ（Ｓ１１９０）、Ｓ１１６０に移行し、上述の処理を繰り返す。一方、５００ミリ秒経過すると（Ｓ１１９０）、Ｓ１２００にて、還元機稼働異常フラグＦ７をセットし、Ｓ１２１０にて、稼働指示に従って還元機２００が稼働しない旨（還元機稼働異常）を島情報表示装置８に報知させ、Ｓ１２２０にて、玉通路シャッター２１０を閉鎖させる玉通路シャッター閉鎖処理（後述）を実行し、この処理が終了した後に、管理端末側還元機稼働処理を終了する。
【０１１７】
［スイッチパネル側還元機停止処理］
次に、島コントロール制御ユニット装置５のＣＰＵ４１ａが実行するスイッチパネル側還元機停止処理の手順を、図１６を用いて説明する。図１６はスイッチパネル側還元機停止処理を表すフローチャートである。このスイッチパネル側還元機停止処理は、還元機２００が稼働中に操作スイッチ群装置６の還元機用操作部５１のボタン５１ａが押下された時に実行される処理である。
【０１１８】
このスイッチパネル側還元機停止処理においては、島コントロール制御ユニット装置５のＣＰＵ４１ａは、まず、Ｓ１３１０にて、還元機稼働指示端子Ｐ６をオフにし、更にＳ１３２０にて、還元機停止指示端子Ｐ７をオンにする。これにより、還元機２００への停止指示が開始される。
【０１１９】
その後Ｓ１３３０にて、還元機稼働中検知端子Ｐ３がオンになっているか否かを判断する。即ち、還元機２００が稼働中であるか否かを判断する。ここで、還元機稼働中検知端子Ｐ３がオフであれば、還元機２００が停止中であると判断し（Ｓ１３３０）、Ｓ１３４０にて、還元機稼働フラグＦ１をクリアし、スイッチパネル側還元機停止処理を終了する。
【０１２０】
一方、還元機稼働中検知端子Ｐ３がオンであれば、還元機２００が稼働中であると判断し（Ｓ１３３０）、Ｓ１３５０にて、還元機稼働中検知端子Ｐ３がオンと判断されてから５００ミリ秒経過したか否かを判断する。ここで、５００ミリ秒経過していなければ（Ｓ１３５０）、Ｓ１３３０に移行し、上述の処理を繰り返す。一方、５００ミリ秒経過すると（Ｓ１３５０）、Ｓ１３６０にて、還元機停止異常フラグＦ８をセットし、Ｓ１３７０にて、停止指示に従って還元機２００が停止しない旨（還元機停止異常）を島情報表示装置８に報知させる。その後Ｓ１３８０にて還元機停止指示端子Ｐ７をオンにし、更にＳ１３９０にて還元機稼働指示端子Ｐ６をオフにする。そして、スイッチパネル側還元機停止処理を終了する。
【０１２１】
［管理端末側還元機停止処理］
次に、島コントロール制御ユニット装置５のＣＰＵ４１ａが実行する管理端末側還元機停止処理の手順を、図１７を用いて説明する。図１７は管理端末側還元機停止処理を表すフローチャートである。この管理端末側還元機停止処理は、還元機停止ボタンＨ０１０４が押下された時に実行される処理である。
【０１２２】
この管理端末側還元機停止処理においては、島コントロール制御ユニット装置５のＣＰＵ４１ａは、まず、Ｓ１５３０にて、玉通路シャッター２１０を閉鎖させる玉通路シャッター閉鎖処理（後述）を実行し、この処理が終了した後に、Ｓ１５４０にて、後述のＳ１７４０またはＳ２０１０でセットされる玉通路シャッター開放フラグＦ２がセットされているか否かを判断する。即ち、玉通路シャッター２１０が開放中であるか否かを判断する。
【０１２３】
ここで、玉通路シャッター開放フラグＦ２がセットされていれば、玉通路シャッター２１０が開放中であると判断し（Ｓ１５４０）、管理端末側還元機停止処理を終了する。これにより、玉通路シャッター２１０が開放中の場合には還元機停止ボタンＨ０１０４が押下されても還元機２００は停止しない。
【０１２４】
一方、玉通路シャッター開放フラグＦ２がクリアされていれば、玉通路シャッター２１０が閉鎖中であると判断し（Ｓ１５４０）、Ｓ１５５０にて、還元機稼働指示端子Ｐ６をオフにし、更にＳ１５６０にて、還元機停止指示端子Ｐ７をオンにする。これにより、還元機２００への停止指示が開始される。
【０１２５】
その後Ｓ１５７０にて、還元機稼働中検知端子Ｐ３がオンになっているか否かを判断する。即ち、還元機２００が稼働中であるか否かを判断する。ここで、還元機稼働中検知端子Ｐ３がオフであれば、還元機２００が停止中であると判断し（Ｓ１５７０）、Ｓ１５８０にて、還元機稼働フラグＦ１をクリアし、管理端末側還元機停止処理を終了する。
【０１２６】
一方、還元機稼働中検知端子Ｐ３がオンであれば、還元機２００が稼働中であると判断し（Ｓ１５７０）、Ｓ１５９０にて、還元機稼働中検知端子Ｐ３がオンと判断されてから５００ミリ秒経過したか否かを判断する。ここで、５００ミリ秒経過していなければ（Ｓ１５９０）、Ｓ１５７０に移行し、上述の処理を繰り返す。一方、５００ミリ秒経過すると（Ｓ１５９０）、Ｓ１６００にて、還元機停止異常フラグＦ８をセットし、Ｓ１６１０にて、停止指示に従って還元機２００が停止しない旨（還元機停止異常）を島情報表示装置８に報知させる。その後Ｓ１６２０にて還元機停止指示端子Ｐ７をオンにし、更にＳ１６３０にて還元機稼働指示端子Ｐ６をオフにする。そしてＳ１６４０にて、還元機稼働フラグＦ１をクリアし、管理端末側還元機停止処理を終了する。
【０１２７】
［玉通路シャッター開放処理］
次に、Ｓ１１８０にて行われる玉通路シャッター開放処理の手順を、図１８を用いて説明する。図１８は玉通路シャッター開放処理を表すフローチャートである。
【０１２８】
この玉通路シャッター開放処理が起動されると、まず、Ｓ１７１０にて、玉通路シャッター閉鎖電源端子Ｐ１０をオフにし、更にＳ１７２０にて、玉通路シャッター開放電源端子Ｐ９をオンにする。これにより、玉通路シャッター２１０への開放指示が開始される。
【０１２９】
その後Ｓ１７３０にて、玉通路シャッター開放中検知端子Ｐ４がオンになっているか否かを判断する。即ち、玉通路シャッター２１０が開放中であるか否かを判断する。ここで、玉通路シャッター開放中検知端子Ｐ４がオンであれば、玉通路シャッター２１０が開放中であると判断し（Ｓ１７３０）、Ｓ１７４０にて、玉通路シャッター開放フラグＦ２をセットし、玉通路シャッター開放処理を終了する。
【０１３０】
一方、玉通路シャッター開放中検知端子Ｐ４がオフであれば、玉通路シャッター２１０が開放中ではないと判断し（Ｓ１７３０）、Ｓ１７５０にて、玉通路シャッター開放中検知端子Ｐ４がオフと判断されてから１０秒経過したか否かを判断する。ここで、１０秒経過していなければ（Ｓ１７５０）、Ｓ１７３０に移行し、上述の処理を繰り返す。一方、１０秒経過すると、Ｓ１７６０にて、玉通路シャッター開放異常フラグＦ９をセットし、更にＳ１７７０にて、開放指示に従って玉通路シャッター２１０が開放しない旨（玉通路シャッター開放異常）を島情報表示装置８に報知させる。その後Ｓ１７８０にて玉通路シャッター開放電源端子Ｐ９をオフにし、更にＳ１７９０にて玉通路シャッター閉鎖電源端子Ｐ１０をオフにする。そしてＳ１８００にて、玉通路シャッター開放フラグＦ２をクリアし、玉通路シャッター開放処理を終了する。
【０１３１】
［玉通路シャッター閉鎖処理］
次に、Ｓ１２２０及びＳ１５３０にて行われる玉通路シャッター閉鎖処理の手順を、図１９を用いて説明する。図１９は玉通路シャッター閉鎖処理を表すフローチャートである。
【０１３２】
この玉通路シャッター閉鎖処理が起動されると、まず、Ｓ１９１０にて、玉通路シャッター開放電源端子Ｐ９をオフにし、更にＳ１９２０にて、玉通路シャッター閉鎖電源端子Ｐ１０をオンにする。これにより、玉通路シャッター２１０への閉鎖指示が開始される。
【０１３３】
その後Ｓ１９３０にて、玉通路シャッター閉鎖中検知端子Ｐ５がオンになっているか否かを判断する。即ち、玉通路シャッター２１０が閉鎖中であるか否かを判断する。ここで、玉通路シャッター閉鎖中検知端子Ｐ５がオンであれば、玉通路シャッター２１０が閉鎖中であると判断し（Ｓ１９３０）、Ｓ１９４０にて、玉通路シャッター閉鎖中検知端子Ｐ５がオンと判断されてから５秒経過したか否かを判断する。ここで、５秒経過していなければ（Ｓ１９４０）、Ｓ１９３０に移行し、上述の処理を繰り返す。一方、５秒経過すると（Ｓ１９４０）、Ｓ１９５０にて、玉通路シャッター開放フラグＦ２をクリアし、玉通路シャッター閉鎖処理を終了する。
【０１３４】
一方、玉通路シャッター閉鎖中検知端子Ｐ５がオフであれば、玉通路シャッター２１０が閉鎖中ではないと判断し（Ｓ１９３０）、Ｓ１９６０にて、玉通路シャッター閉鎖中検知端子Ｐ５がオフと判断されてから１０秒経過したか否かを判断する。ここで、１０秒経過していなければ（Ｓ１９６０）、Ｓ１９３０に移行し、上述の処理を繰り返す。一方、１０秒経過すると（Ｓ１９６０）、Ｓ１９７０にて、玉通路シャッター閉鎖異常フラグＦ１０をセットし、Ｓ１９８０にて、閉鎖指示に従って玉通路シャッター２１０が閉鎖しない旨（玉通路シャッター閉鎖異常）を島情報表示装置８に報知させる。その後Ｓ１９９０にて、玉通路シャッター開放電源端子Ｐ９をオフにし、更にＳ２０００にて、玉通路シャッター閉鎖電源端子Ｐ１０をオフにする。そしてＳ２０１０にて、玉通路シャッター開放フラグＦ２をセットし、玉通路シャッター閉鎖処理を終了する。
【０１３５】
［還元機定期監視処理］
次に、島コントロール制御ユニット装置５のＣＰＵ４１ａが実行する還元機定期監視処理の手順を、図２０及び図２１を用いて説明する。図２０は還元機定期監視処理の前半部分、図２１は還元機定期監視処理の後半部分を表すフローチャートである。この還元機定期監視処理は、ＣＰＵ４１ａが起動している間に５００ミリ秒毎に実行される処理である。
【０１３６】
この還元機定期監視処理においては、島コントロール制御ユニット装置５のＣＰＵ４１ａは、まず、Ｓ２１１０にて、オーバーロード検知端子Ｐ１がオンになっているか否かを判断する。
【０１３７】
ここで、オーバーロード検知端子Ｐ１がオンであれば（Ｓ２１１０）、Ｓ２１２０にて、玉通路シャッター閉鎖処理（上述）を行い、この処理が終了後に、Ｓ２１３０にて、還元機２００でオーバーロードが発生している旨（オーバーロード異常）を島情報表示装置８に報知させ、更にＳ２１４０にて、スイッチパネル側還元機停止処理（上述）を行い、還元機定期監視処理を終了する。尚、オーバーロードとは、還元機２００を稼動させるモータに過負荷がかかった際に、還元機２００の電源を落とす処理のことであり、還元機２００の電源を落とすことで還元機２００の故障を未然に防ぐためのものである。また、還元機２００の初期稼動時は、還元機駆動時よりもモータに付加がかかるため、所定時間（還元機が駆動を開始してから正常に駆動するまでの時間、約１秒）以上の間モータの過負荷を検出した際にオーバーロードの処理を行うよう制御されている。
【０１３８】
一方、オーバーロード検知端子Ｐ１がオフであれば（Ｓ２１１０）、Ｓ２１５０にて、オーバーフロー検知端子Ｐ２がオンになっているか否かを判断する。ここで、オーバーフロー検知端子Ｐ２がオンであれば（Ｓ２１５０）、Ｓ２１６０にて、オーバーフロー検知端子Ｐ２がオンと判断されてから２秒経過したか否かを判断する。ここで、２秒経過していなければ（Ｓ２１６０）、Ｓ２１５０に移行し、上述の処理を繰り返す。一方、２秒経過すると（Ｓ２１６０）、Ｓ２１７０にて、玉通路シャッター閉鎖処理（上述）を行い、この処理が終了後に、Ｓ２１８０にて、遊技台島１００でオーバーフローが発生している旨（オーバーフロー異常）を島情報表示装置８に報知させ、更にＳ２１９０にて、スイッチパネル側還元機稼働処理（上述）を行い、この処理が終了後に、還元機定期監視処理を終了する。
【０１３９】
またＳ２１５０にて、オーバーフロー検知端子Ｐ２がオフであれば（Ｓ２１５０）、Ｓ２２００にて、断線検知機能付きのオーバーフロー検知端子Ｐ２で断線が検知されたか否かを判断する。ここで、断線が検知されていれば（Ｓ２２００）、Ｓ２２１０にて、オーバーフローセンサが断線している旨（オーバーフローセンサ断線異常）を島情報表示装置８に報知させ、還元機定期監視処理を終了する。
【０１４０】
一方、断線が検知されていなければ（Ｓ２２００）、Ｓ２２２０にて、還元機停止異常フラグＦ８がセットされているか否かを判断する。ここで、還元機停止異常フラグＦ８がセットされていなければ（Ｓ２２２０）、Ｓ２２６０に移行する。一方、還元機停止異常フラグＦ８がセットされていれば（Ｓ２２２０）、Ｓ２２３０にて、還元機稼働中検知端子Ｐ３がオンになっているか否かを判断する。即ち、還元機２００が稼働中であるか否かを判断する。
【０１４１】
ここで、還元機稼働中検知端子Ｐ３がオンであれば、還元機２００が稼働中であると判断し（Ｓ２２３０）、還元機定期監視処理を終了する。一方、還元機稼働中検知端子Ｐ３がオフであれば、還元機２００が停止中であると判断し（Ｓ２２３０）、Ｓ２２４０にて、還元機停止異常フラグＦ８をクリアし、Ｓ２２５０にて、還元機稼働フラグＦ１をクリアして、Ｓ２２６０に移行する。
【０１４２】
そしてＳ２２６０に移行すると、還元機稼働異常フラグＦ７がセットされているか否かを判断する。ここで、還元機稼働異常フラグＦ７がセットされていなければ（Ｓ２２６０）、還元機定期監視処理を終了する。一方、還元機稼働異常フラグＦ７がセットされてい
れば（Ｓ２２６０）、Ｓ２２７０にて、還元機稼働中検知端子Ｐ３がオンになっているか否かを判断する。即ち、還元機２００が稼働中であるか否かを判断する。
【０１４３】
ここで、還元機稼働中検知端子Ｐ３がオフであれば、還元機２００が停止中であると判断し（Ｓ２２７０）、還元機定期監視処理を終了する。一方、還元機稼働中検知端子Ｐ３がオンであれば、還元機２００が稼働中であると判断し（Ｓ２２７０）、Ｓ２２８０にて、還元機稼働異常フラグＦ７をクリアし、Ｓ２２９０にて、還元機稼働フラグＦ１をセットして、還元機定期監視処理を終了する。
【０１４４】
［スイッチパネル側玉通路シャッター開放処理］
次に、島コントロール制御ユニット装置５のＣＰＵ４１ａが実行するスイッチパネル側玉通路シャッター開放処理の手順を説明する。このスイッチパネル側玉通路シャッター開放処理は、玉通路シャッター２１０が閉鎖中に操作スイッチ群装置６の玉通路シャッター用操作部５２のボタン５２ａが押下された時に実行される処理であり、図１８に記載した処理と同じ処理を行う。
【０１４５】
［スイッチパネル側玉通路シャッター閉鎖処理］
次に、島コントロール制御ユニット装置５のＣＰＵ４１ａが実行するスイッチパネル側玉通路シャッター閉鎖処理の手順を説明する。このスイッチパネル側玉通路シャッター閉鎖処理は、玉通路シャッター２１０が開放中に操作スイッチ群装置６の玉通路シャッター用操作部５２のボタン５２ａが押下された時に実行される処理であり、図１９に記載した処理と同じ処理を行う。
【０１４６】
［玉通路シャッター定期監視処理］
次に、島コントロール制御ユニット装置５のＣＰＵ４１ａが実行する玉通路シャッター定期監視処理の手順を、図２２を用いて説明する。図２２は玉通路シャッター定期監視処理を表すフローチャートである。この玉通路シャッター定期監視処理は、ＣＰＵ４１ａが起動している間に５００ミリ秒毎に実行される処理である。
【０１４７】
この玉通路シャッター定期監視処理においては、島コントロール制御ユニット装置５のＣＰＵ４１ａは、まず、Ｓ３３１０にて、玉通路シャッター閉鎖異常フラグＦ１０がセットされているか否かを判断する。ここで、玉通路シャッター閉鎖異常フラグＦ１０がセットされていなければ（Ｓ３３１０）、Ｓ３３５０に移行する。一方、玉通路シャッター閉鎖異常フラグＦ１０がセットされていれば（Ｓ３３１０）、Ｓ３３２０にて、玉通路シャッター閉鎖中検知端子Ｐ５がオンになっているか否かを判断する。即ち、玉通路シャッター２１０が閉鎖中であるか否かを判断する。
【０１４８】
ここで、玉通路シャッター閉鎖中検知端子Ｐ５がオンであれば、玉通路シャッター２１０が閉鎖中であると判断し（Ｓ３３２０）、玉通路シャッター定期監視処理を終了する。一方、玉通路シャッター閉鎖中検知端子Ｐ５がオフであれば、玉通路シャッター２１０が開放中であると判断し（Ｓ３３２０）、Ｓ３３３０にて、玉通路シャッター閉鎖異常フラグＦ１０をクリアし、Ｓ３３４０にて、玉通路シャッター開放フラグＦ２をクリアして、Ｓ３３５０に移行する。
【０１４９】
そしてＳ３３５０に移行すると、玉通路シャッター開放異常フラグＦ９がセットされているか否かを判断する。ここで、玉通路シャッター開放異常フラグＦ９がセットされていなければ（Ｓ３３５０）、玉通路シャッター定期監視処理を終了する。一方、玉通路シャッター開放異常フラグＦ９がセットされていれば（Ｓ３３５０）、Ｓ３３６０にて、玉通路シャッター開放中検知端子Ｐ４がオンになっているか否かを判断する。即ち、玉通路シャッター２１０が開放中であるか否かを判断する。
【０１５０】
ここで、玉通路シャッター開放中検知端子Ｐ４がオフであれば、玉通路シャッター２１０が閉鎖中であると判断し（Ｓ３３６０）、玉通路シャッター定期監視処理を終了する。一方、玉通路シャッター開放中検知端子Ｐ４がオンであれば、玉通路シャッター２１０が閉鎖中であると判断し（Ｓ３３６０）、Ｓ３３７０にて、玉通路シャッター開放異常フラグＦ９をクリアし、Ｓ３３８０にて、玉通路シャッター開放フラグＦ２をセットして、玉通路シャッター定期監視処理を終了する。
【０１５１】
［スイッチパネル側ヒータ稼働処理］
次に、島コントロール制御ユニット装置５のＣＰＵ４１ａが実行するスイッチパネル側ヒータ稼働処理の手順を、図２３を用いて説明する。図２３はスイッチパネル側ヒータ稼働処理を表すフローチャートである。このスイッチパネル側ヒータ稼働処理は、ヒータ２２０が停止中に操作スイッチ群装置６のヒータ用操作部５４のボタン５４ａが押下された時に実行される処理である。
【０１５２】
このスイッチパネル側ヒータ稼働処理においては、島コントロール制御ユニット装置５のＣＰＵ４１ａは、まず、Ｓ３４１０にて、後述のＳ４４２０及びＳ４６５０でセットされる玉抜きストッパー開放フラグＦ３がセットされているか否かを判断する。即ち、玉抜きストッパー２３０が開放中であるか否かを判断する。ここで、玉抜きストッパー開放フラグＦ３がセットされていれば、玉抜きストッパー２３０が開放中であると判断し（Ｓ３４１０）、Ｓ３４３０にて、ヒータ温度制御フラグＦ６をクリアして、Ｓ３４４０に移行する。
【０１５３】
一方、玉抜きストッパー開放フラグＦ３がクリアされていれば、玉抜きストッパー２３０が閉鎖中であると判断し（Ｓ３４１０）、Ｓ３４２０にて、ヒータ温度制御フラグＦ６をセットして、Ｓ３４４０に移行する。
【０１５４】
そしてＳ３４４０に移行すると、ヒータ電源端子Ｐ２８〜Ｐ３３をオンにする。これにより、ヒータ２２０への稼動指示を開始させる。
その後Ｓ３４５０にて、断線検知機能付きのヒータ電源端子Ｐ２８〜Ｐ３３で断線が検知されたか否かを判断する。ここで、断線が検知されていれば（Ｓ３４５０）、Ｓ３４９０にて、ヒータ電源が断線している旨（ヒータ断線異常）を島情報表示装置８に報知させ、Ｓ３５００にて、ヒータ電源端子Ｐ２８〜Ｐ３３をオフにする。その後、Ｓ３５１０にて、ヒータ稼働フラグＦ４をクリアして、スイッチパネル側ヒータ稼働処理を終了する。
【０１５５】
またＳ３４５０にて、断線が検知されていなければ（Ｓ３４５０）、Ｓ３４６０にて、ヒータ電源端子Ｐ２８〜Ｐ３３で断線を検知していない状態で５００ミリ秒経過したか否かを判断する。ここで、５００ミリ秒経過していなければ（Ｓ３４６０）、Ｓ３４５０に移行し、上述の処理を繰り返す。一方、５００ミリ秒経過すると（Ｓ３４６０）、Ｓ３４７０にて、ヒータ稼働フラグＦ４をセットして、Ｓ３４８０にて、ヒータ２２０の温度を制御するヒータ制御処理（後述）を行い、スイッチパネル側ヒータ稼働処理を終了する。
【０１５６】
［管理端末側ヒータ稼働処理］
次に、島コントロール制御ユニット装置５のＣＰＵ４１ａが実行する管理端末側ヒータ稼働処理の手順を、図２４を用いて説明する。図２４は管理端末側ヒータ稼働処理を表すフローチャートである。この管理端末側ヒータ稼働処理は、ヒータ稼働ボタンＨ０１０７が押下された時に実行される処理である。
【０１５７】
この管理端末側ヒータ稼働処理においては、島コントロール制御ユニット装置５のＣＰＵ４１ａは、まず、Ｓ３６３０にて、後述のＳ４４２０及びＳ４６５０でセットされる玉抜きストッパー開放フラグＦ３がセットされているか否かを判断する。即ち、玉抜きストッパー２３０が開放中であるか否かを判断する。ここで、玉抜きストッパー開放フラグＦ３がセットされていれば、玉抜きストッパー２３０が開放中であると判断し（Ｓ３６３０）、Ｓ３６５０にて、ヒータ温度制御フラグＦ６をクリアして、Ｓ３６６０に移行する。
【０１５８】
一方、玉抜きストッパー開放フラグＦ３がクリアされていれば、玉抜きストッパー２３０が閉鎖中であると判断し（Ｓ３６３０）、Ｓ３６４０にて、ヒータ温度制御フラグＦ６をセットして、Ｓ３６６０に移行する。
【０１５９】
そしてＳ３６６０に移行すると、ヒータ電源端子Ｐ２８〜Ｐ３３をオンにする。これにより、ヒータ２２０への稼動指示が開始される。
その後Ｓ３６７０にて、断線検知機能付きのヒータ電源端子Ｐ２８〜Ｐ３３で断線が検知されたか否かを判断する。ここで、断線が検知されていれば（Ｓ３６７０）、Ｓ３７１０にて、ヒータ電源が断線している旨（ヒータ断線異常）を島情報表示装置８に報知させ、Ｓ３７２０にて、ヒータ電源端子Ｐ２８〜Ｐ３３をオフにする。その後、Ｓ３７３０にて、ヒータ稼働フラグＦ４をクリアして、管理端末側ヒータ稼働処理を終了する。
【０１６０】
またＳ３６７０にて、断線が検知されていなければ（Ｓ３６７０）、Ｓ３６８０にて、ヒータ電源端子Ｐ２８〜Ｐ３３で断線を検知していない状態で５００ミリ秒経過したか否かを判断する。ここで、５００ミリ秒経過していなければ（Ｓ３６８０）、Ｓ３６７０に移行し、上述の処理を繰り返す。一方、５００ミリ秒経過すると（Ｓ３６８０）、Ｓ３６９０にて、ヒータ稼働フラグＦ４をセットして、Ｓ３７００にて、ヒータ２２０の温度を制御するヒータ制御処理（後述）を行い、管理端末側ヒータ稼働処理を終了する。
【０１６１】
［スイッチパネル側ヒータ停止処理］
次に、島コントロール制御ユニット装置５のＣＰＵ４１ａが実行するスイッチパネル側ヒータ停止処理の手順を、図２５を用いて説明する。図２５はスイッチパネル側ヒータ停止処理を表すフローチャートである。このスイッチパネル側ヒータ停止処理は、ヒータ２２０が稼働中に操作スイッチ群装置６のヒータ用操作部５４のボタン５４ａが押下された時に実行される処理である。
【０１６２】
このスイッチパネル側ヒータ停止処理においては、島コントロール制御ユニット装置５のＣＰＵ４１ａは、まず、Ｓ３８１０にて、ヒータ稼働フラグＦ４がセットされているか否かを判断する。即ち、ヒータ２２０が稼働中であるか否かを判断する。ここで、ヒータ稼働フラグＦ４がセットされていれば、ヒータ２２０が稼働中であると判断し（Ｓ３８１０）、Ｓ３８２０にて、断線検知機能付きのヒータ電源端子Ｐ２８〜Ｐ３３で断線が検知されたか否かを判断する。ここで、断線が検知されていれば（Ｓ３８２０）、Ｓ３８３０にて、ヒータ電源が断線している旨（ヒータ断線異常）を島情報表示装置８に報知させ、Ｓ３８４０に移行する。一方、断線が検知されていなければ（Ｓ３８２０）、Ｓ３８４０に移行する。
【０１６３】
またＳ３８１０にて、ヒータ稼働フラグＦ４がクリアされていれば（Ｓ３８１０）、Ｓ３８４０に移行する。
そしてＳ３８４０に移行すると、ヒータ電源端子Ｐ２８〜Ｐ３３をオフにして、更にＳ３８５０にて、ヒータ稼働フラグＦ４をクリアして、スイッチパネル側ヒータ停止処理を終了する。
【０１６４】
［管理端末側ヒータ停止処理］
次に、島コントロール制御ユニット装置５のＣＰＵ４１ａが実行する管理端末側ヒータ停止処理の手順を、図２６を用いて説明する。図２６は管理端末側ヒータ停止処理を表すフローチャートである。この管理端末側ヒータ停止処理は、ヒータ停止ボタンＨ０１０８が押下された時に実行される処理である。
【０１６５】
この管理端末側ヒータ停止処理においては、島コントロール制御ユニット装置５のＣＰＵ４１ａは、まず、Ｓ３９３０にて、ヒータ稼働フラグＦ４がセットされているか否かを判断する。即ち、ヒータ２２０が稼働中であるか否かを判断する。ここで、ヒータ稼働フラグＦ４がセットされていれば、ヒータ２２０が稼働中であると判断し（Ｓ３９３０）、Ｓ３９４０にて、断線検知機能付きのヒータ電源端子Ｐ２８〜Ｐ３３で断線が検知されたか否かを判断する。ここで、断線が検知されていれば（Ｓ３９４０）、Ｓ３９５０にて、ヒータ電源が断線している旨（ヒータ断線異常）を島情報表示装置８に報知させ、Ｓ３９６０に移行する。一方、断線が検知されていなければ（Ｓ３９４０）、Ｓ３９６０に移行する。
【０１６６】
またＳ３９３０にて、ヒータ稼働フラグＦ４がクリアされていれば（Ｓ３９３０）、Ｓ３９６０に移行する。
そしてＳ３９６０に移行すると、ヒータ電源端子Ｐ２８〜Ｐ３３をオフにして、更にＳ３９７０にて、ヒータ稼働フラグＦ４をクリアして、管理端末側ヒータ停止処理を終了する。
【０１６７】
［ヒータ定期監視処理］
次に、島コントロール制御ユニット装置５のＣＰＵ４１ａが実行するヒータ定期監視処理の手順を、図２７を用いて説明する。図２７はヒータ定期監視処理を表すフローチャートである。このヒータ定期監視処理は、ＣＰＵ４１ａが起動している間に５００ミリ秒毎に実行される処理である。
【０１６８】
このヒータ定期監視処理においては、島コントロール制御ユニット装置５のＣＰＵ４１ａは、Ｓ４１１０にて、ヒータ２２０の温度を制御するヒータ制御処理（後述）を行い、この処理を終了後に、Ｓ４１２０にて、断線検知機能付きのヒータ電源端子Ｐ２８〜Ｐ３３で断線が検知されたか否かを判断する。ここで、断線が検知されていれば（Ｓ４１２０）、Ｓ４１３０にて、ヒータ電源が断線している旨（ヒータ断線異常）を島情報表示装置８に報知させ、Ｓ４１４０にて、ヒータ電源端子Ｐ２８〜Ｐ３３をオフにする。その後、Ｓ４１５０にて、ヒータ稼働フラグＦ４をクリアして、ヒータ定期監視処理を終了する。またＳ４１２０にて、断線が検知されていなければ（Ｓ４１２０）、ヒータ定期監視処理を終了する。
【０１６９】
［ヒータ制御処理］
次に、Ｓ３４８０，Ｓ３７００及びＳ４１１０にて行われるヒータ制御処理の手順を、図２８を用いて説明する。図２８はヒータ制御処理を表すフローチャートである。
【０１７０】
このヒータ制御処理が起動されると、まず、Ｓ４２１０にて、ヒータ温度制御フラグＦ６がセットされているか否かを判断する。即ち、ヒータ２２０の温度制御が有効であるか否かを判断する。ここで、ヒータ温度制御フラグＦ６がクリアされていれば、ヒータ２２０の温度制御が無効であると判断し（Ｓ４２１０）、ヒータ制御処理を終了する。ヒータ制御処理を行わない理由としては、例えば、玉抜きストッパー２３０が開放しているためヒータ温度制御フラグＦ６がクリアされている状態では、遊技玉が補給樋２５０上に滞留していることは無く、ヒータ２２０によって補給樋が暖めすぎたとしても遊技玉が補給樋２５０から熱を吸収し続け高温になることがないため、ヒータ制御を行う必要が無いからである。
【０１７１】
一方、ヒータ温度制御フラグＦ６がセットされていれば、ヒータ２２０の温度制御が有効であると判断し（Ｓ４２１０）、Ｓ４２２０にて、温度検知端子Ｐ２６で検知された温度（以下、ヒータ検知温度１という）または温度検知端子Ｐ２７で検知された温度（以下、ヒータ検知温度２という）がヒータ停止判定値Ｋ１（本実施形態では例えば４５℃に相当する値）を越えているか否かを判断する。
【０１７２】
ここで、ヒータ検知温度１またはヒータ検知温度２がヒータ停止判定値Ｋ１を越えていれば（Ｓ４２２０）、Ｓ４２３０にて、ヒータ電源端子Ｐ２８〜Ｐ３３をオフにして、更にＳ４２４０にて、ヒータ稼働フラグＦ４をクリアして、ヒータ制御処理を終了する。一方、ヒータ検知温度１またはヒータ検知温度２がヒータ停止判定値Ｋ１以下であれば（Ｓ４２２０）、Ｓ４２５０にて、ヒータ検知温度１またはヒータ検知温度２がヒータ稼働判定値Ｋ２（本実施形態では例えば４０℃に相当する値）未満であるか否かを判断する。
【０１７３】
ここで、ヒータ検知温度１またはヒータ検知温度２がヒータ稼働判定値Ｋ２未満であれば（Ｓ４２５０）、Ｓ４２６０にて、ヒータ電源端子Ｐ２８〜Ｐ３３をオンにして、更にＳ４２７０にて、ヒータ稼働フラグＦ４をセットして、ヒータ制御処理を終了する。一方、ヒータ検知温度１またはヒータ検知温度２がヒータ稼働判定値Ｋ２以上であれば（Ｓ４２５０）、ヒータ制御処理を終了する。
【０１７４】
［スイッチパネル側玉抜きストッパー開放処理］
次に、島コントロール制御ユニット装置５のＣＰＵ４１ａが実行するスイッチパネル側玉抜きストッパー開放処理の手順を、図２９を用いて説明する。図２９はスイッチパネル側玉抜きストッパー開放処理を表すフローチャートである。このスイッチパネル側玉抜きストッパー開放処理は、玉抜きストッパー２３０が閉鎖中に操作スイッチ群装置６の玉抜きストッパー用操作部５３のボタン５３ａが押下された時に実行される処理である。
【０１７５】
このスイッチパネル側玉抜きストッパー開放処理においては、島コントロール制御ユニット装置５のＣＰＵ４１ａは、まず、Ｓ４４１０にて、ソレノイド開閉動作電源端子Ｐ２２〜Ｐ２５をオンにする。これにより、玉抜きストッパー２３０が開放する。そしてＳ４４２０にて、玉抜きストッパー開放フラグＦ３をセットし、Ｓ４４３０にて、ヒータ温度制御フラグＦ６をクリアする。
【０１７６】
その後Ｓ４４４０にて、玉通過検知端子Ｐ１８〜Ｐ２１がオンになっているか否かを判断する。即ち、玉抜きストッパー２３０の開放により玉が流れているか否かを判断する。ここで、玉通過検知端子Ｐ１８〜Ｐ２１がオンであれば、玉が流れていると判断し（Ｓ４４４０）、スイッチパネル側玉抜きストッパー開放処理を終了する。
【０１７７】
一方、玉通過検知端子Ｐ１８〜Ｐ２１がオフであれば、玉が流れていないと判断し（Ｓ４４４０）、Ｓ４４５０にて、玉通過検知端子Ｐ１８〜Ｐ２１がオフと判断されてから５秒経過したか否かを判断する。ここで、５秒経過していなければ（Ｓ４４５０）、Ｓ４４４０に移行し、上述の処理を繰り返す。一方、５秒経過すると（Ｓ４４５０）、Ｓ４４６０にて、玉が流れていない状況を解消する玉流れ異常処理（後述）を実行し、この処理が終了した後に、スイッチパネル側玉抜きストッパー開放処理を終了する。
【０１７８】
［管理端末側玉抜きストッパー開放処理］
次に、島コントロール制御ユニット装置５のＣＰＵ４１ａが実行する管理端末側玉抜きストッパー開放処理の手順を、図３０を用いて説明する。図３０は管理端末側玉抜きストッパー開放処理を表すフローチャートである。この管理端末側玉抜きストッパー開放処理は、玉抜きストッパー開放ボタンＨ０１０５が押下された時に実行される処理である。
【０１７９】
この管理端末側玉抜きストッパー開放処理においては、島コントロール制御ユニット装置５のＣＰＵ４１ａは、まず、Ｓ４６３０にて、還元機稼働フラグＦ１がセットされているか否かを判断する。即ち、還元機２００が稼働中であるか否かを判断する。ここで、還元機稼働フラグＦ１がセットされていれば、還元機２００が稼働中であると判断し（Ｓ４６３０）、管理端末側玉抜きストッパー開放処理を終了する。これにより、還元機２００が稼働中の場合には玉抜きストッパー開放ボタンＨ０１０５が押下されても玉抜きストッパー２３０は開放しない。
【０１８０】
一方、還元機稼働フラグＦ１がクリアされていれば、還元機２００が停止中であると判断し（Ｓ４６３０）、Ｓ４６４０にて、ソレノイド開閉動作電源端子Ｐ２２〜Ｐ２５をオンにする。これにより、玉抜きストッパー２３０が開放する。そしてＳ４６５０にて、玉抜きストッパー開放フラグＦ３をセットし、Ｓ４６６０にて、ヒータ温度制御フラグＦ６をクリアする。
【０１８１】
その後Ｓ４６７０にて、玉通過検知端子Ｐ１８〜Ｐ２１がオンになっているか否かを判断する。即ち、玉抜きストッパー２３０の開放により玉が流れているか否かを判断する。ここで、玉通過検知端子Ｐ１８〜Ｐ２１がオンであれば、玉が流れていると判断し（Ｓ４６７０）、管理端末側玉抜きストッパー開放処理を終了する。
【０１８２】
一方、玉通過検知端子Ｐ１８〜Ｐ２１がオフであれば、玉が流れていないと判断し（Ｓ４６７０）、Ｓ４６８０にて、玉通過検知端子Ｐ１８〜Ｐ２１がオフと判断されてから５秒経過したか否かを判断する。ここで、５秒経過していなければ（Ｓ４６８０）、Ｓ４６７０に移行し、上述の処理を繰り返す。一方、５秒経過すると（Ｓ４６８０）、Ｓ４６９０にて、玉が流れていない状況を解消する玉流れ異常処理（後述）を実行し、この処理が終了した後に、管理端末側玉抜きストッパー開放処理を終了する。
【０１８３】
［スイッチパネル側玉抜きストッパー閉鎖処理］
次に、島コントロール制御ユニット装置５のＣＰＵ４１ａが実行するスイッチパネル側玉抜きストッパー閉鎖処理の手順を、図３１を用いて説明する。図３１はスイッチパネル側玉抜きストッパー閉鎖処理を表すフローチャートである。このスイッチパネル側玉抜きストッパー閉鎖処理は、玉抜きストッパー２３０が開放中に操作スイッチ群装置６の玉抜きストッパー用操作部５３のボタン５３ａが押下された時に実行される処理である。
【０１８４】
このスイッチパネル側玉抜きストッパー閉鎖処理においては、島コントロール制御ユニット装置５のＣＰＵ４１ａは、まず、Ｓ４８１０にて、ソレノイド開閉動作電源端子Ｐ２２〜Ｐ２５をオフにする。これにより、玉抜きストッパー２３０が閉鎖する。そしてＳ４８２０にて、玉抜きストッパー開放フラグＦ３をクリアし、Ｓ４８３０にて、ヒータ温度制御フラグＦ６をセットする。
【０１８５】
その後Ｓ４８４０にて、玉通過検知端子Ｐ１８〜Ｐ２１がオンになっているか否かを判断する。即ち、玉抜きストッパー２３０の閉鎖により玉が流れていないか否かを判断する。ここで、玉通過検知端子Ｐ１８〜Ｐ２１がオフであれば、玉が流れていないと判断し（Ｓ４８４０）、スイッチパネル側玉抜きストッパー閉鎖処理を終了する。
【０１８６】
一方、玉通過検知端子Ｐ１８〜Ｐ２１がオンであれば、玉が流れていると判断し（Ｓ４８４０）、Ｓ４８５０にて、玉通過検知端子Ｐ１８〜Ｐ２１がオンと判断されてから５秒経過したか否かを判断する。ここで、５秒経過していなければ（Ｓ４８５０）、Ｓ４８４０に移行し、上述の処理を繰り返す。一方、５秒経過すると（Ｓ４８５０）、Ｓ４８６０にて、玉が流れている状況を解消する玉漏れ異常処理（後述）を実行し、この処理が終了した後に、スイッチパネル側玉抜きストッパー閉鎖処理を終了する。
【０１８７】
［管理端末側玉抜きストッパー閉鎖処理］
次に、島コントロール制御ユニット装置５のＣＰＵ４１ａが実行する管理端末側玉抜きストッパー閉鎖処理の手順を、図３２を用いて説明する。図３２は管理端末側玉抜きストッパー閉鎖処理を表すフローチャートである。この管理端末側玉抜きストッパー閉鎖処理は、玉抜きストッパー閉鎖ボタンＨ０１０６が押下された時に実行される処理である。
【０１８８】
この管理端末側玉抜きストッパー閉鎖処理においては、島コントロール制御ユニット装置５のＣＰＵ４１ａは、まず、Ｓ５０３０にて、ソレノイド開閉動作電源端子Ｐ２２〜Ｐ２５をオフにする。これにより、玉抜きストッパー２３０が閉鎖する。そしてＳ５０４０にて、玉抜きストッパー開放フラグＦ３をクリアし、Ｓ５０５０にて、ヒータ温度制御フラグＦ６をセットする。
【０１８９】
その後Ｓ５０６０にて、玉通過検知端子Ｐ１８〜Ｐ２１がオンになっているか否かを判断する。即ち、玉抜きストッパー２３０の閉鎖により玉が流れていないか否かを判断する。ここで、玉通過検知端子Ｐ１８〜Ｐ２１がオフであれば、玉が流れていないと判断し（Ｓ５０６０）、管理端末側玉抜きストッパー閉鎖処理を終了する。
【０１９０】
一方、玉通過検知端子Ｐ１８〜Ｐ２１がオンであれば、玉が流れていると判断し（Ｓ５０６０）、Ｓ５０７０にて、玉通過検知端子Ｐ１８〜Ｐ２１がオンと判断されてから５秒経過したか否かを判断する。ここで、５秒経過していなければ（Ｓ５０７０）、Ｓ５０６０に移行し、上述の処理を繰り返す。一方、５秒経過すると（Ｓ５０７０）、Ｓ５０８０にて、玉が流れている状況を解消する玉漏れ異常処理（後述）を実行し、この処理が終了した後に、管理端末側玉抜きストッパー閉鎖処理を終了する。
【０１９１】
［玉抜きストッパー定期監視処理］
次に、島コントロール制御ユニット装置５のＣＰＵ４１ａが実行する玉抜きストッパー定期監視処理の手順を、図３３を用いて説明する。図３３は玉抜きストッパー定期監視処理を表すフローチャートである。この玉抜きストッパー定期監視処理は、ＣＰＵ４１ａが起動している間に５００ミリ秒毎に実行される処理である。
【０１９２】
この玉抜きストッパー定期監視処理においては、島コントロール制御ユニット装置５のＣＰＵ４１ａは、まず、Ｓ５２１０にて、断線検知機能付きの玉通過検知端子Ｐ１８〜Ｐ２１で断線が検知されたか否かを判断する。ここで、断線が検知されていれば（Ｓ５２１０）、Ｓ５２２０にて、玉通過センサが断線している旨（玉通過センサ断線異常）を島情報表示装置８に報知させ、玉抜きストッパー定期監視処理を終了する。一方、断線が検知されていなければ（Ｓ５２１０）、Ｓ５２３０にて、玉抜きストッパー開放フラグＦ３がセットされているか否かを判断する。即ち、玉抜きストッパー２３０が開放中であるか否かを判断する。ここで、玉抜きストッパー開放フラグＦ３がセットされていれば、玉抜きストッパー２３０が開放中であると判断し（Ｓ５２３０）、Ｓ５２４０にて、玉通過検知端子Ｐ１８〜Ｐ２１がオンになっているか否かを判断する。即ち、玉抜きストッパー２３０の開放により玉が流れているか否かを判断する。ここで、玉通過検知端子Ｐ１８〜Ｐ２１がオンであれば、玉が流れていると判断し（Ｓ５２４０）、Ｓ５２５０にて、後述のＳ５５３０で実行される玉流れ異常の報知を禁止する。これにより、玉流れ異常の報知が行われている場合には、この報知が終了する。そして、玉抜きストッパー定期監視処理を終了する。
【０１９３】
一方、玉通過検知端子Ｐ１８〜Ｐ２１がオフであれば、玉が流れていないと判断し（Ｓ５２４０）、Ｓ５２６０にて、玉通過検知端子Ｐ１８〜Ｐ２１がオフと判断されてから５秒経過したか否かを判断する。ここで、５秒経過していなければ（Ｓ５２６０）、Ｓ５２４０に移行し、上述の処理を繰り返す。一方、５秒経過すると（Ｓ５２６０）、Ｓ５２７０にて、玉が流れていない状況を解消する玉流れ異常処理（後述）を実行し、この処理が終了した後に、玉抜きストッパー定期監視処理を終了する。
【０１９４】
またＳ５２３０に戻り、玉抜きストッパー開放フラグＦ３がクリアされていれば、玉抜きストッパー２３０が閉鎖中であると判断し（Ｓ５２３０）、Ｓ５２８０にて、玉通過検知端子Ｐ１８〜Ｐ２１がオンになっているか否かを判断する。即ち、玉抜きストッパー２３０の閉鎖により玉が流れていないか否かを判断する。ここで、玉通過検知端子Ｐ１８〜Ｐ２１がオフであれば、玉が流れていないと判断し（Ｓ５２８０）、後述のＳ５７７０で実行される玉漏れ異常の報知を禁止する。これにより、玉漏れ異常の報知が行われている場合には、この報知が終了する。そして、玉抜きストッパー定期監視処理を終了する。
【０１９５】
一方、玉通過検知端子Ｐ１８〜Ｐ２１がオンであれば、玉が流れていると判断し（Ｓ５２８０）、Ｓ５３００にて、玉が流れている状況を解消する玉漏れ異常処理（後述）を実行し、この処理が終了した後に、玉抜きストッパー定期監視処理を終了する。
【０１９６】
［玉流れ異常処理］
次に、Ｓ４４６０，Ｓ４６９０及びＳ５２７０にて行われる玉流れ異常処理の手順を、図３４を用いて説明する。図３４は玉流れ異常処理を表すフローチャートである。
【０１９７】
この玉流れ異常処理が起動されると、まず、Ｓ５４１０にて、第１繰り返し変数ｌｏｏｐ１と、第２繰り返し変数ｌｏｏｐ２の値を「０」にする。そしてＳ５４２０にて、ソレノイド開閉動作電源端子Ｐ２２〜Ｐ２５をオフにする。これにより、玉抜きストッパー２３０が閉鎖する。その後Ｓ５４３０にて、５０ミリ秒待つ。そして５０ミリ秒経過すると、Ｓ５４４０にて、ソレノイド開閉動作電源端子Ｐ２２〜Ｐ２５をオンにする。これにより、玉抜きストッパー２３０が開放する。その後Ｓ５４５０にて、５０ミリ秒待つ。そして５０ミリ秒経過すると、Ｓ５４６０にて、第１繰り返し変数ｌｏｏｐ１の値を「１」加算する。
【０１９８】
そしてＳ５４７０にて、第１繰り返し変数ｌｏｏｐ１の値が「１０」に等しいか否かを判断する。ここで、「１０」に等しくない場合には（Ｓ５４７０）、Ｓ５４２０に移行し、上述の処理を繰り返す。一方、「１０」に等しい場合には（Ｓ５４７０）、Ｓ５４８０にて、第１繰り返し変数ｌｏｏｐ１の値を「０」にする。
【０１９９】
その後Ｓ５４９０にて、玉通過検知端子Ｐ１８〜Ｐ２１がオンになっているか否かを判断する。即ち、Ｓ５４２０〜Ｓ５４７０の処理により玉が流れるようになったか否かを判断する。ここで、玉通過検知端子Ｐ１８〜Ｐ２１がオンであれば、玉が流れるようになったと判断し（Ｓ５４９０）、玉流れ異常処理を終了する。
【０２００】
一方、玉通過検知端子Ｐ１８〜Ｐ２１がオフであれば、玉が流れていないと判断し（Ｓ５４９０）、Ｓ５５００にて、玉通過検知端子Ｐ１８〜Ｐ２１がオフと判断されてから１秒経過したか否かを判断する。ここで、１秒経過していなければ（Ｓ５５００）、Ｓ５４９０に移行し、上述の処理を繰り返す。一方、１秒経過すると、玉が流れるようになっていないと判断し（Ｓ５５００）、Ｓ５５１０にて、第２繰り返し変数ｌｏｏｐ２の値を「１」加算する。
【０２０１】
そしてＳ５５２０にて、第２繰り返し変数ｌｏｏｐ２の値が「５」に等しいか否かを判断する。ここで、「５」に等しくない場合には（Ｓ５５２０）、Ｓ５４２０に移行し、上述の処理を繰り返す。一方、「５」に等しい場合には（Ｓ５５２０）、Ｓ５５３０にて、玉抜きストッパー２３０を開放させる指示を出したにもかかわらず玉が流れていない旨（玉流れ異常）を島情報表示装置８に報知させる。その後Ｓ５５４０にてソレノイド開閉動
作電源端子Ｐ２２〜Ｐ２５をオフにし、更にＳ５５５０にて、ヒータ温度制御フラグＦ６をクリアして、玉流れ異常処理を終了する。
【０２０２】
［玉漏れ異常処理］
次に、Ｓ４８６０，Ｓ５０８０及びＳ５３００にて行われる玉漏れ異常処理の手順を、図３５を用いて説明する。図３５は玉漏れ異常処理を表すフローチャートである。
【０２０３】
この玉漏れ異常処理が起動されると、まず、Ｓ５７１０にて、ソレノイド開閉動作電源端子Ｐ２２〜Ｐ２５をオフにし、更にＳ５７２０にて玉抜きストッパー開放フラグＦ３をクリアする。そしてＳ５７３０にて、玉抜きストッパー開放フラグＦ３をクリアしてから１秒経過したか否かを判断する。ここで、１秒経過していなければ（Ｓ５７３０）、Ｓ５７１０に移行し、上述の処理を繰り返す。一方、１秒経過すると（Ｓ５７３０）、Ｓ５７４０にて、玉通過検知端子Ｐ１８〜Ｐ２１がオンになっているか否かを判断する。ここで、玉通過検知端子Ｐ１８〜Ｐ２１がオフであれば、玉が流れていないと判断し（Ｓ５７４０）、玉漏れ異常処理を終了する。
【０２０４】
また、玉通過検知端子Ｐ１８〜Ｐ２１がオンであれば、玉が流れていると判断し（Ｓ５７４０）、Ｓ５７５０にて、玉通過検知端子Ｐ１８〜Ｐ２１がオンと判断されてから５秒経過したか否かを判断する。ここで、５秒経過していなければ（Ｓ５７５０）、Ｓ５７６０にて、ソレノイド開閉動作電源端子Ｐ２２〜Ｐ２５をオフにし、更にＳ５７４０に移行し、上述の処理を繰り返す。
【０２０５】
一方、５秒経過すると（Ｓ５７５０）、Ｓ５７７０にて、玉抜きストッパー２３０を閉鎖させる指示を出したにもかかわらず玉が流れている旨（玉漏れ異常）を島情報表示装置８に報知させ、玉漏れ異常処理を終了する。
【０２０６】
［スイッチパネル側布ベルト稼働処理］
次に、島コントロール制御ユニット装置５のＣＰＵ４１ａが実行するスイッチパネル側布ベルト稼働処理の手順を、図３６を用いて説明する。図３６はスイッチパネル側布ベルト稼働処理を表すフローチャートである。このスイッチパネル側布ベルト稼働処理は、布ベルト巻取り装置２４０が停止中に操作スイッチ群装置６の布ベルト巻取り装置用操作部５５のボタン５５ａが押下された時に実行される処理である。
【０２０７】
このスイッチパネル側布ベルト稼働処理においては、Ｓ５９１０にて、布ベルト巻取り装置２４０に布ベルトを巻き取らせる布ベルト巻取り処理（後述）を実行し、この処理が終了した後に、スイッチパネル側布ベルト稼働処理を終了する。
【０２０８】
［管理端末側布ベルト稼働処理］
次に、島コントロール制御ユニット装置５のＣＰＵ４１ａが実行する管理端末側布ベルト稼働処理の手順を、図３７を用いて説明する。図３７は管理端末側布ベルト稼働処理を表すフローチャートである。この管理端末側布ベルト稼働処理は、布ベルト巻取り装置稼働ボタンＨ０１０９が押下された時に実行される処理である。
【０２０９】
この管理端末側布ベルト稼働処理においては、島コントロール制御ユニット装置５のＣＰＵ４１ａは、まず、Ｓ６０３０にて、還元機稼働フラグＦ１がセットされているか否かを判断する。即ち、還元機２００が稼働中であるか否かを判断する。ここで、還元機稼働フラグＦ１がセットされていれば、還元機２００が稼働中であると判断し（Ｓ６０３０）、管理端末側布ベルト稼働処理を終了する。これにより、還元機２００が稼働中の場合には布ベルト巻取り装置稼働ボタンＨ０１０９が押下されても布ベルト巻取り装置２４０は稼働しない。
【０２１０】
一方、還元機稼働フラグＦ１がクリアされていれば、還元機２００が停止中であると判断し（Ｓ６０３０）、Ｓ６０４０にて、布ベルト巻取り装置２４０に布ベルトを巻き取らせる布ベルト巻取り処理（後述）を実行し、この処理が終了した後に、スイッチパネル側布ベルト稼働処理を終了する。
【０２１１】
［スイッチパネル側布ベルト停止処理］
次に、島コントロール制御ユニット装置５のＣＰＵ４１ａが実行するスイッチパネル側布ベルト停止処理の手順を、図３８を用いて説明する。図３８はスイッチパネル側布ベルト停止処理を表すフローチャートである。このスイッチパネル側布ベルト停止処理は、布ベルト巻取り装置２４０が稼働中に操作スイッチ群装置６の布ベルト巻取り装置用操作部５５のボタン５５ａが押下された時に実行される処理である。
【０２１２】
このスイッチパネル側布ベルト停止処理においては、Ｓ６１１０にて、クランプ開放電源端子Ｐ１７をオフにする。これにより、布ベルトがクランプされる。その後Ｓ６１２０にて、５秒待つ。そして５秒経過すると、Ｓ６１３０にて、送りモータ稼働電源端子Ｐ１５をオフにする。これにより、布ベルト巻取り装置２４０の送りモータが停止する。更にＳ６１４０にて、巻取りモータ稼働電源端子Ｐ１６をオフにする。これにより、布ベルト巻取り装置２４０の巻取りモータが停止する。そしてＳ６１５０にて、布ベルト稼働フラグＦ５をクリアして、スイッチパネル側布ベルト停止処理を終了する。
【０２１３】
［管理端末側布ベルト停止処理］
次に、島コントロール制御ユニット装置５のＣＰＵ４１ａが実行する管理端末側布ベルト停止処理の手順を、図３９を用いて説明する。図３９は管理端末側布ベルト停止処理を表すフローチャートである。この管理端末側布ベルト停止処理は、布ベルト巻取り装置停止ボタンＨ０１１０が押下された時に実行される処理である。
【０２１４】
この管理端末側布ベルト停止処理においては、島コントロール制御ユニット装置５のＣＰＵ４１ａは、まず、Ｓ６２３０にて、クランプ開放電源端子Ｐ１７をオフにする。これにより、布ベルトがクランプされる。その後Ｓ６２４０にて、５秒待つ。そして５秒経過すると、Ｓ６２５０にて、送りモータ稼働電源端子Ｐ１５をオフにする。これにより、布ベルト巻取り装置２４０の送りモータが停止する。更にＳ６２６０にて、巻取りモータ稼働電源端子Ｐ１６をオフにする。これにより、布ベルト巻取り装置２４０の巻取りモータが停止する。そしてＳ６２７０にて、布ベルト稼働フラグＦ５をクリアして、管理端末側布ベルト停止処理を終了する。
【０２１５】
［布ベルト定期監視処理］
次に、島コントロール制御ユニット装置５のＣＰＵ４１ａが実行する布ベルト定期監視処理の手順を、図４０を用いて説明する。図４０は布ベルト定期監視処理を表すフローチャートである。この布ベルト定期監視処理は、ＣＰＵ４１ａが起動している間に５００ミリ秒毎に実行される処理である。
【０２１６】
この布ベルト定期監視処理においては、島コントロール制御ユニット装置５のＣＰＵ４１ａは、まず、Ｓ６４１０にて、１ロール終了検知端子Ｐ１３がオンになっているか否かを判断する。即ち、布ベルトの１ロールが終了したか否かを判断する。ここで、１ロール終了検知端子Ｐ１３がオンであれば、布ベルトの１ロールが終了したと判断し（Ｓ６４１０）、Ｓ６４２０にて、布ベルトの１ロールが終了した旨（１ロール終了異常）を島情報表示装置８に報知させ、Ｓ６４５０に移行する。
【０２１７】
一方、１ロール終了検知端子Ｐ１３がオフであれば、布ベルトの１ロールが終了していないと判断し（Ｓ６４１０）、Ｓ６４３０にて、送りモータ過負荷電流検知端子Ｐ１４がオンになっているか否かを判断する。即ち、送りモータにおいて過負荷電流が発生しているか否かを判断する。ここで、送りモータ過負荷電流検知端子Ｐ１４がオンであれば、過負荷電流が発生していると判断し（Ｓ６４３０）、Ｓ６４４０にて、布ベルト巻取りに異常が発生している旨（巻取り異常）を島情報表示装置８に報知させ、Ｓ６４５０に移行する。
【０２１８】
そしてＳ６４５０に移行すると、クランプ開放電源端子Ｐ１７をオフにする。これにより、布ベルトがクランプされる。その後Ｓ６４６０にて、送りモータ稼働電源端子Ｐ１５をオフにする。これにより、布ベルト巻取り装置２４０の送りモータが停止する。更にＳ６４７０にて、巻取りモータ稼働電源端子Ｐ１６をオフにする。これにより、布ベルト巻取り装置２４０の巻取りモータが停止する。そしてＳ６４８０にて、布ベルト稼働フラグＦ５をクリアして、布ベルト定期監視処理を終了する。
【０２１９】
またＳ６４３０に戻り、送りモータ過負荷電流検知端子Ｐ１４がオフであれば、過負荷電流が発生していないと判断し（Ｓ６４３０）、Ｓ６４９０にて、布ベルト緩み検知端子Ｐ１１がオンになっているか否かを判断する。即ち、布ベルトに緩みが発生しているか否かを判断する。ここで、布ベルト緩み検知端子Ｐ１１がオンであれば、布ベルトに緩みが発生していると判断し（Ｓ６４９０）、Ｓ６５００にて、布ベルトの緩みを解消する緩み解消動作処理（後述）を実行し、この処理が終了した後に、布ベルト定期監視処理を終了する。一方、布ベルト緩み検知端子Ｐ１１がオフであれば、布ベルトに緩みが発生していないと判断し（Ｓ６４９０）、布ベルト定期監視処理を終了する。
【０２２０】
［布ベルト巻取り処理］
次に、Ｓ５９１０及びＳ６０４０にて行われる布ベルト巻取り処理の手順を、図４１を用いて説明する。図４１は布ベルト巻取り処理を表すフローチャートである。
【０２２１】
この布ベルト巻取り処理が起動されると、まず、Ｓ６６１０にて、１ロール終了検知端子Ｐ１３がオンになっているか否かを判断する。即ち、布ベルトの１ロールが終了したか否かを判断する。ここで、１ロール終了検知端子Ｐ１３がオンであれば、布ベルトの１ロールが終了したと判断し（Ｓ６６１０）、Ｓ６６６０にて、布ベルトの１ロールが終了した旨（１ロール終了異常）を島情報表示装置８に報知させ、更にＳ６６７０にて、クランプ開放電源端子Ｐ１７をオフにする。これにより、布ベルトがクランプされる。その後Ｓ６６８０にて、送りモータ稼働電源端子Ｐ１５をオフにする。これにより、布ベルト巻取り装置２４０の送りモータが停止する。更にＳ６６９０にて、巻取りモータ稼働電源端子Ｐ１６をオフにする。これにより、布ベルト巻取り装置２４０の巻取りモータが停止する。そしてＳ６７００にて、布ベルト稼働フラグＦ５をクリアして、布ベルト巻取り処理を終了する。
【０２２２】
一方、１ロール終了検知端子Ｐ１３がオフであれば、布ベルトの１ロールが終了していないと判断し（Ｓ６６１０）、Ｓ６６２０にて、クランプ開放電源端子Ｐ１７をオンにする。これにより、布ベルトのクランプが解除される。その後Ｓ６６３０にて、送りモータ稼働電源端子Ｐ１５をオンにする。これにより、布ベルト巻取り装置２４０の送りモータが駆動する。更にＳ６６４０にて、巻取りモータ稼働電源端子Ｐ１６をオンにする。これにより、布ベルト巻取り装置２４０の巻取りモータが駆動する。そしてＳ６６５０にて、布ベルト稼働フラグＦ５をセットする。
【０２２３】
その後Ｓ６７１０にて、布ベルト巻取り装置２４０に布ベルトを巻き取るために要した時間（以下、巻取り経過時間という）が異常判定巻取り時間Ｋ３未満であるか否かを判断する。ここで、巻取り経過時間が異常判定巻取り時間Ｋ３以上であれば（Ｓ６７１０）、Ｓ６７２０にて、布ベルトの巻取りに異常がある旨（巻取り異常）を島情報表示装置８に報知させ、更にＳ６７３０にて、クランプ開放電源端子Ｐ１７をオフにする。これにより、布ベルトがクランプされる。そしてＳ６７７０に移行する。
【０２２４】
一方、巻取り経過時間が異常判定巻取り時間Ｋ３未満であれば（Ｓ６７４０）、布ベルト巻取り装置２４０により巻き取られた布ベルトの長さ（以下、巻取り量という）が異常判定巻取り量Ｋ４未満であるか否かを判断する。ここで、巻取り量が異常判定巻取り量Ｋ４未満であれば（Ｓ６７４０）、Ｓ６６１０に移行し、上述の処理を繰り返す。一方、巻取り量が異常判定巻取り量Ｋ４以上であれば（Ｓ６７４０）、Ｓ６７５０にて、クランプ開放電源端子Ｐ１７をオフにする。これにより、布ベルトがクランプされる。その後Ｓ６２４０にて５秒待ち、５秒経過すると、Ｓ６７７０に移行する。
【０２２５】
そしてＳ６７７０に移行すると、送りモータ稼働電源端子Ｐ１５をオフにする。これにより、布ベルト巻取り装置２４０の送りモータが停止する。更にＳ６７８０にて、巻取りモータ稼働電源端子Ｐ１６をオフにする。これにより、布ベルト巻取り装置２４０の巻取りモータが停止する。そしてＳ６７９０にて、布ベルト稼働フラグＦ５をクリアして、布ベルト巻取り処理を終了する。
【０２２６】
［緩み解消動作処理］
次に、Ｓ６５００にて行われる緩み解消動作処理の手順を、図４２を用いて説明する。図４２は緩み解消動作処理を表すフローチャートである。
【０２２７】
この緩み解消動作処理が起動されると、まず、Ｓ６９１０にて、クランプ開放電源端子Ｐ１７をオフにする。これにより、布ベルトがクランプされる。そしてＳ６９２０にて、送りモータ稼働電源端子Ｐ１５をオンにする。これにより、布ベルト巻取り装置２４０の送りモータが駆動する。更にＳ６９３０にて、巻取りモータ稼働電源端子Ｐ１６をオンにする。これにより、布ベルト巻取り装置２４０の巻取りモータが駆動する。そしてＳ６９４０にて、布ベルト緩み検知端子Ｐ１１がオンになっているか否かを判断する。即ち、布ベルトに緩みが発生しているか否かを判断する。ここで、布ベルト緩み検知端子Ｐ１１がオフであれば、布ベルトに緩みが発生していないと判断し（Ｓ６９４０）、Ｓ６９７０に移行する。
【０２２８】
一方、布ベルト緩み検知端子Ｐ１１がオンであれば、布ベルトに緩みが発生していると判断し（Ｓ６９４０）、布ベルト緩み検知端子Ｐ１１がオンと判断されてから１秒経過したか否かを判断する。ここで、１秒経過していなければ（Ｓ６９５０）、Ｓ６９２０に移行し、上述の処理を繰り返す。一方、１秒経過すると（Ｓ６９５０）、Ｓ６９６０にて、布ベルトの張りが不足している旨（布ベルト張り不足異常）を島情報表示装置８に報知させ、Ｓ６９７０に移行する。
【０２２９】
そしてＳ６９７０に移行すると、送りモータ稼働電源端子Ｐ１５をオフにする。これにより、布ベルト巻取り装置２４０の送りモータが停止する。更にＳ６９８０にて、巻取りモータ稼働電源端子Ｐ１６をオフにする。これにより、布ベルト巻取り装置２４０の巻取りモータが停止する。そしてＳ６９９０にて、布ベルト稼働フラグＦ５をクリアして、緩み解消動作処理を終了する。
【０２３０】
［布ベルト・システム起動処理］
次に、島コントロール制御ユニット装置５のＣＰＵ４１ａが実行する布ベルト・システム起動処理の手順を、図４３を用いて説明する。図４３は布ベルト・システム起動処理を表すフローチャートである。この布ベルト・システム起動処理は、ＣＰＵ４１ａが起動した直後に１回実行される処理である。
【０２３１】
この布ベルト・システム起動処理においては、島コントロール制御ユニット装置５のＣＰＵ４１ａは、まず、Ｓ７１１０にて、クランプ開放電源端子Ｐ１７をオフにする。これにより、布ベルトがクランプされる。そしてＳ７１２０にて、送りモータ稼働電源端子Ｐ１５をオンにする。これにより、布ベルト巻取り装置２４０の送りモータが駆動する。更にＳ７１３０にて、巻取りモータ稼働電源端子Ｐ１６をオンにする。これにより、布ベルト巻取り装置２４０の巻取りモータが駆動する。
【０２３２】
その後Ｓ７１４０にて、５秒待つ。そして５秒経過すると、Ｓ７１５０にて、送りモータ稼働電源端子Ｐ１５をオフにする。これにより、布ベルト巻取り装置２４０の送りモータが停止する。更にＳ７１６０にて、巻取りモータ稼働電源端子Ｐ１６をオフにする。これにより、布ベルト巻取り装置２４０の巻取りモータが停止する。そして布ベルト・システム起動処理を終了する。
【０２３３】
次に、このように構成された遊技台稼働監視システム１が実行する各種処理の手順を以下に説明する。
［リモート開店処理］
まず、リモートモード（後述）の場合に、図４に示す開店前処理ボタンＨ０１０１が押下された時に遊技台稼働監視システム１が行う処理（以下、リモート開店処理という）の動作を図４４〜図４６を用いて説明する。図４４はリモート開店前処理の第１の部分、図４５はリモート開店前処理の第２の部分、図４６はリモート開店前処理の第３の部分を表すパケットシーケンスチャートである。
【０２３４】
まず、開店前処理ボタンＨ０１０１が押下されると（ＰＳ１−０１）、管理端末装置２は表示パネル２２ｂ（図３参照）に「開店前処理中」ダイアローグを表示する（ＰＳ１−０２）。尚、この時、島情報表示装置８の表示画面となる液晶ディスプレイ（ＬＣＤ）８ａには、「停止中」または「運転中」と表示されている（ＰＳ１−０３）。
【０２３５】
その後、管理端末装置２は、ネットワークアダプタ３に対して、「開店前処理中」である旨を示す管理端末状態設定情報を送信する（ＰＳ１−０４）。これにより、ネットワークアダプタ３は、管理端末装置２が「開店前処理中」であることを認識する（ＰＳ１−０５）。その後ネットワークアダプタ３は、管理端末装置２に対して、管理端末状態情報を受信した旨を示す管理端末状態設定応答情報を送信する（ＰＳ１−０６）。
【０２３６】
そして管理端末装置２は、管理端末状態設定応答情報を受信すると、島コントロール制御ユニット装置５に対して、「開店前処理中」である旨を示す管理端末定期通信情報を送信する（ＰＳ１−０７）。島コントロール制御ユニット装置５は、管理端末定期通信情報を受信すると、島情報表示装置８に対して、「開店前処理中」である旨を示す島情報表示装置情報を送信する（ＰＳ１−０８）。これにより島情報表示装置８は、「開店前処理中」と表示する（ＰＳ１−０９）（図８１（ａ）の表示画面Ｇ２１を参照）。これにより、遊技台島近傍で開店前の準備をしている店員が遊技台島の状況を用意に把握することができ、遊技台島内の各種装置が誤作動を起こしていないと判断することができる。
【０２３７】
また管理端末装置２は、遊技場内の遊技台島１００に設置された全ての島コントロール制御ユニット装置５に対して並列に、還元機２００を稼働させる還元機ＯＮ情報を送信する（ＰＳ１−１０）。これにより還元機２００は、還元機２００を稼働させる還元機ＯＮ処理を行う（ＰＳ１−１１）。尚、この還元機ＯＮ処理は数秒で終了する。そして島コントロール制御ユニット装置５は、管理端末装置２に対して、還元機ＯＮ情報を受信した旨を示す還元機ＯＮ応答情報を送信する（ＰＳ１−１２）。尚、上述した還元機ＯＮ情報は、各島に対して若干の時差を設けて送信し、各島の還元機２００の稼動開始タイミングを
ずらすことで、瞬間的な使用電力を抑えるようにしてもよい。
【０２３８】
その後、島コントロール制御ユニット装置５は、操作スイッチ群装置６に対して、還元機２００が稼働している旨を示す情報を送信する（ＰＳ１−１３）。これにより操作スイッチ群装置６は、還元機用操作部５１の２色ＬＥＤ５１ｂ（図９参照）を緑色に点灯させる（ＰＳ１−１４）。
【０２３９】
また管理端末装置２は、遊技場内の遊技台島１００に設置された全ての島コントロール制御ユニット装置５から還元機ＯＮ応答情報を受信するか、還元機ＯＮ情報を送信してから１分経過したことを検出した（ＰＳ１−１５）後に、遊技場内の遊技台島１００に設置された全ての玉通路シャッター２１０に対して並列に、玉通路シャッター２１０を開放させる玉通路シャッターＯＮ情報を送信する（ＰＳ１−１６）。これにより玉通路シャッター２１０は、玉通路シャッター２１０を開放させる玉通路シャッターＯＮ処理を行う（ＰＳ１−１７）。尚、この玉通路シャッターＯＮ処理は数秒で終了する。そして島コントロール制御ユニット装置５は、管理端末装置２に対して、玉通路シャッターＯＮ情報を受信した旨を示す玉通路シャッターＯＮ応答情報を送信する（ＰＳ１−１８）。尚、還元機ＯＮ情報を各島に対して若干の時差を設けて送信した場合においても、最後に還元機ＯＮ情報を送信してから所定時間後（約１分後）に遊技場内の遊技台島１００に設置された全ての玉通路シャッターに対して並列に玉通路シャッターＯＮ情報を送信すれば、各島の開店前処理のタイミングを同期させることができる。
【０２４０】
その後、島コントロール制御ユニット装置５は、操作スイッチ群装置６に対して、玉通路シャッター２１０が開放している旨を示す情報を送信する（ＰＳ１−１９）。これにより、図８に示す操作スイッチ群装置６は、玉通路シャッター用操作部５２の２色ＬＥＤ５２ｂ（図９参照）を緑色に点灯させる（ＰＳ１−２０）。
【０２４１】
また管理端末装置２は、遊技場内の遊技台島１００に設置された全ての島コントロール制御ユニット装置５からシャッターＯＮ応答情報を受信するか、玉通路シャッターＯＮ情報を送信してから１分経過したことを検出した（ＰＳ１−２１）後に、遊技場内の遊技台島１００に設置された全ての島コントロール制御ユニット装置５に対して並列に、玉抜きストッパー２３０を開放させる玉抜きストッパーＯＮ情報を送信する（ＰＳ１−２２）。これにより島コントロール制御ユニット装置５は、玉抜きストッパー２３０を開放させる玉抜きストッパーＯＮ処理を行う（ＰＳ１−２３）。尚、この玉抜きストッパーＯＮ処理は数秒で終了する。そして島コントロール制御ユニット装置５は、管理端末装置２に対して、玉抜きストッパーＯＮ情報を受信した旨を示す玉抜きストッパーＯＮ応答情報を送信する（ＰＳ１−２４）。
【０２４２】
その後、島コントロール制御ユニット装置５は、操作スイッチ群装置６に対して、玉抜きストッパー２３０が開放している旨を示す情報を送信する（ＰＳ１−２５）。これにより操作スイッチ群装置６は、玉抜きストッパー用操作部５３の２色ＬＥＤ５３ｂ（図９参照）を緑色に点灯させる（ＰＳ１−２６）。
【０２４３】
また管理端末装置２は、遊技場内の遊技台島１００に設置された全ての島コントロール制御ユニット装置５から玉抜きストッパーＯＮ応答情報を受信するか、玉抜きストッパーＯＮ情報を送信してから１分経過したことを検出した（ＰＳ１−２７）後に、玉抜きストッパー２３０を閉鎖させるまでの時間を計測する玉抜きストッパータイマーをＯＮにする。これにより、玉抜きストッパータイマーが計時を開始する（ＰＳ１−２８）。尚、玉抜きストッパータイマーの満了時間は、動作条件設定画面で設定することができる。
【０２４４】
そして管理端末装置２は、遊技場内の遊技台島１００に設置された全ての島コントロール制御ユニット装置５に対して並列に、ヒータ２２０を稼働させるヒータＯＮ情報を送信する（ＰＳ１−２９）。これにより島コントロール制御ユニット装置５は、ヒータ２２０を稼働させるヒータＯＮ処理を行う（ＰＳ１−３０）。尚、このヒータＯＮ処理は数秒で終了する。そして島コントロール制御ユニット装置５は、管理端末装置２に対して、ヒータＯＮ情報を受信した旨を示すヒータＯＮ応答情報を送信する（ＰＳ１−３１）。
【０２４５】
その後、島コントロール制御ユニット装置５は、操作スイッチ群装置６に対して、ヒータ２２０が稼働している旨を示す情報を送信する（ＰＳ１−３２）。これにより操作スイッチ群装置６は、ヒータ用操作部５４の２色ＬＥＤ５４ｂ（図９参照）を緑色に点灯させる（ＰＳ１−３３）。そして、管理端末装置２は、遊技場内の遊技台島１００に設置された全ての島コントロール制御ユニット装置５からヒータＯＮ応答情報を受信するか、ヒータＯＮ情報を送信してから１分経過したことを検出する（ＰＳ１−３４）。
【０２４６】
その後、玉抜きストッパータイマーが満了すると（ＰＳ１−３５）、遊技場内の遊技台島１００に設置された全ての島コントロール制御ユニット装置５に対して並列に、玉抜きストッパー２３０を閉鎖させる玉抜きストッパーＯＦＦ情報を送信する（ＰＳ１−３６）。これにより島コントロール制御ユニット装置５は、玉抜きストッパー２３０を閉鎖させる玉抜きストッパーＯＦＦ処理を行う（ＰＳ１−３７）。尚、この玉抜きストッパーＯＦＦ処理は数秒で終了する。そして島コントロール制御ユニット装置５は、管理端末装置２に対して、玉抜きストッパーＯＦＦ情報を受信した旨を示す玉抜きストッパーＯＦＦ応答情報を送信する（ＰＳ１−３８）。
【０２４７】
その後、島コントロール制御ユニット装置５は、操作スイッチ群装置６に対して、玉抜きストッパー２３０が閉鎖している旨を示す情報を送信する（ＰＳ１−３９）。これにより操作スイッチ群装置６は、玉抜きストッパー用操作部５３の２色ＬＥＤ５３ｂ（図９参照）を消灯させる（ＰＳ１−４０）。
【０２４８】
また管理端末装置２は、遊技場内の遊技台島１００に設置された全ての島コントロール制御ユニット装置５から玉抜きストッパーＯＦＦ応答情報を受信するか、玉抜きストッパーＯＦＦ情報を送信してから１分経過したことを検出した（ＰＳ１−４１）後に、ネットワークアダプタ３に対して、「運転中」である旨を示す管理端末状態設定情報を送信する（ＰＳ１−４２）。これにより、ネットワークアダプタ３は、管理端末装置２が「運転中」であることを認識する（ＰＳ１−４３）。その後ネットワークアダプタ３は、管理端末装置２に対して、管理端末状態情報を受信した旨を示す管理端末状態設定応答情報を送信する（ＰＳ１−４４）。
【０２４９】
そして管理端末装置２は、管理端末状態設定応答情報を受信すると、島コントロール制御ユニット装置５に対して、「運転中」である旨を示す管理端末定期通信情報を送信する（ＰＳ１−４５）。島コントロール制御ユニット装置５は、管理端末定期通信情報を受信すると、島情報表示装置８に対して、「運転中」である旨を示す島情報表示装置情報を送信する（ＰＳ１−４６）。これにより島情報表示装置８は、「運転中」と表示する（ＰＳ１−４７）（図８１（ｂ）の表示画面Ｇ２２を参照）。また管理端末装置２は、表示パネル２２ｂ上に表示された「開店前処理中」ダイアローグの表示を解除する（ＰＳ１−４８）。
【０２５０】
［リモート還元機ＯＮ・ＯＦＦ処理］
次に、リモートモード（後述）の場合に、図４に示す還元機稼働ボタンＨ０１０３または還元機停止ボタンＨ０１０４が押下された時に遊技台稼働監視システム１が行う処理（以下、リモート還元機ＯＮ・ＯＦＦ処理という）の動作を図４７を用いて説明する。図４７はリモート還元機ＯＮ・ＯＦＦ処理を表すパケットシーケンスチャートである。
【０２５１】
まず、還元機稼働ボタンＨ０１０３または還元機停止ボタンＨ０１０４が押下されると（ＰＳ２−０１）、管理端末装置２は、遊技場内の遊技台島１００に設置された全ての島コントロール制御ユニット装置５に対して並列に、押下されたボタンに従って還元機２００を稼働または停止させる還元機ＯＮ・ＯＦＦ情報を送信する（ＰＳ２−０２）。これにより島コントロール制御ユニット装置５は、還元機２００を稼働または停止させる還元機ＯＮ・ＯＦＦ処理を行う（ＰＳ２−０３）。尚、この還元機ＯＮ・ＯＦＦ処理は数秒で終了する。そして島コントロール制御ユニット装置５は、管理端末装置２に対して、還元機ＯＮ・ＯＦＦ情報を受信した旨を示す還元機ＯＮ・ＯＦＦ応答情報を送信する（ＰＳ２−０４）。
【０２５２】
その後島コントロール制御ユニット装置５は、操作スイッチ群装置６に対して、還元機２００が稼働または停止している旨を示す情報を送信する（ＰＳ２−０５）。これにより操作スイッチ群装置６は、還元機用操作部５１の２色ＬＥＤ５１ｂ（図９参照）を緑色に点灯させるか消灯させる（ＰＳ２−０６）。
【０２５３】
また管理端末装置２は、遊技場内の遊技台島１００に設置された全ての島コントロール制御ユニット装置５から還元機ＯＮ・ＯＦＦ応答情報を受信するか、還元機ＯＮ・ＯＦＦ情報を送信してから１分経過したことを検出した（ＰＳ２−０７）後に、遊技場内の遊技台島１００に設置された全ての島コントロール制御ユニット装置５に対して並列に、玉通路シャッター２１０を開放または閉鎖させる玉通路シャッターＯＮ・ＯＦＦ情報を送信する（ＰＳ２−０８）。これにより島コントロール制御ユニット装置５は、玉通路シャッター２１０を開放または閉鎖させる玉通路シャッターＯＮ・ＯＦＦ処理を行う（ＰＳ２−０９）。尚、この玉通路シャッターＯＮ・ＯＦＦ処理は数秒で終了する。そして島コントロール制御ユニット装置５は、管理端末装置２に対して、玉通路シャッターＯＮ・ＯＦＦ情報を受信した旨を示す玉通路シャッターＯＮ・ＯＦＦ応答情報を送信する（ＰＳ２−１０）。
【０２５４】
その後、島コントロール制御ユニット装置５は、操作スイッチ群装置６に対して、玉通路シャッター２１０が開放または閉鎖している旨を示す情報を送信する（ＰＳ２−１１）。これにより操作スイッチ群装置６は、玉通路シャッター用操作部５２の２色ＬＥＤ５２ｂ（図９参照）を緑色に点灯させるか消灯させる（ＰＳ２−１２）。
【０２５５】
また管理端末装置２は、遊技場内の遊技台島１００に設置された全ての島コントロール制御ユニット装置５からシャッターＯＮ・ＯＦＦ応答情報を受信するか、玉通路シャッターＯＮ・ＯＦＦ情報を送信してから１分経過したことを検出する（ＰＳ２−１３）。尚、管理端末装置２から還元機２００を稼働または停止させることができるので、還元機扉及び点検扉は閉鎖されており、操作スイッチ群装置６の還元機用操作部５１のボタン５１ａ（図９参照）を押下することはできない（ＰＳ２−１４）。
【０２５６】
［リモート玉抜きストッパーＯＮ・ＯＦＦ処理］
次に、リモートモード（後述）の場合に、図４に示す玉抜きストッパー開放ボタンＨ０１０５または玉抜きストッパー閉鎖ボタンＨ０１０６が押下された時に遊技台稼働監視システム１が行う処理（以下、リモート玉抜きストッパーＯＮ・ＯＦＦ処理という）の動作を図４８を用いて説明する。図４８はリモート玉抜きストッパーＯＮ・ＯＦＦ処理を表すパケットシーケンスチャートである。
【０２５７】
まず、玉抜きストッパー開放ボタンＨ０１０５または玉抜きストッパー閉鎖ボタンＨ０１０６が押下されると（ＰＳ３−０１）、管理端末装置２は、遊技場内の遊技台島１００に設置された全ての島コントロール制御ユニット装置５に対して並列に、押下されたボタンに従って玉抜きストッパー２３０を開放または閉鎖させる玉抜きストッパーＯＮ・ＯＦＦ情報を送信する（ＰＳ３−０２）。これにより島コントロール制御ユニット装置５は、玉抜きストッパー２３０を開放または閉鎖させる玉抜きストッパーＯＮ・ＯＦＦ処理を行う（ＰＳ３−０３）。尚、この玉抜きストッパーＯＮ・ＯＦＦ処理は数秒で終了する。そして島コントロール制御ユニット装置５は、管理端末装置２に対して、玉抜きストッパーＯＮ・ＯＦＦ情報を受信した旨を示す玉抜きストッパーＯＮ・ＯＦＦ応答情報を送信する（ＰＳ３−０４）。
【０２５８】
その後島コントロール制御ユニット装置５は、操作スイッチ群装置６に対して、玉抜きストッパー２３０が開放または閉鎖している旨を示す情報を送信する（ＰＳ３−０５）。これにより操作スイッチ群装置６は、玉抜きストッパー用操作部５３の２色ＬＥＤ５３ｂ（図９参照）を緑色に点灯させるか消灯させる（ＰＳ３−０６）。
【０２５９】
また管理端末装置２は、遊技場内の遊技台島１００に設置された全ての島コントロール制御ユニット装置５から玉抜きストッパーＯＮ・ＯＦＦ応答情報を受信するか、玉抜きストッパーＯＮ・ＯＦＦ情報を送信してから１分経過したことを検出する（ＰＳ３−０７）。尚、管理端末装置２から玉抜きストッパー２３０を開放または閉鎖させることができるので、還元機扉及び点検扉は閉鎖されており、操作スイッチ群装置６の玉抜きストッパー用操作部５３のボタン５３ａ（図９参照）を押下することはできない（ＰＳ３−０８）。
【０２６０】
［リモートヒータＯＮ・ＯＦＦ処理］
次に、リモートモード（後述）の場合に、図４に示すヒータ稼働ボタンＨ０１０７またはヒータ停止ボタンＨ０１０８が押下された時に遊技台稼働監視システム１が行う処理（以下、リモートヒータＯＮ・ＯＦＦ処理という）の動作を図４９を用いて説明する。図４９はリモートヒータＯＮ・ＯＦＦ処理を表すパケットシーケンスチャートである。
【０２６１】
まず、ヒータ稼働ボタンＨ０１０７またはヒータ停止ボタンＨ０１０８が押下されると（ＰＳ４−０１）、管理端末装置２は、遊技場内の遊技台島１００に設置された全ての島コントロール制御ユニット装置５に対して並列に、押下されたボタンに従ってヒータ２２０を稼働または停止させるヒータＯＮ・ＯＦＦ情報を送信する（ＰＳ４−０２）。これにより島コントロール制御ユニット装置５は、ヒータ２２０を稼働または停止させるヒータＯＮ・ＯＦＦ処理を行う（ＰＳ４−０３）。尚、このヒータＯＮ・ＯＦＦ処理は数秒で終了する。そして島コントロール制御ユニット装置５は、管理端末装置２に対して、ヒータＯＮ・ＯＦＦ情報を受信した旨を示すヒータＯＮ・ＯＦＦ応答情報を送信する（ＰＳ４−０４）。
【０２６２】
その後島コントロール制御ユニット装置５は、操作スイッチ群装置６に対して、ヒータ２２０が稼働または停止している旨を示す情報を送信する（ＰＳ４−０５）。これにより操作スイッチ群装置６は、玉抜きストッパー用操作部５３の２色ＬＥＤ５３ｂ（図９参照）を緑色に点灯させるか消灯させる（ＰＳ４−０６）。
【０２６３】
また管理端末装置２は、遊技場内の遊技台島１００に設置された全ての島コントロール制御ユニット装置５からヒータＯＮ・ＯＦＦ応答情報を受信するか、ヒータＯＮ・ＯＦＦ情報を送信してから１分経過したことを検出する（ＰＳ４−０７）。尚、管理端末装置２からヒータ２２０を稼働または停止させることができるので、還元機扉及び点検扉は閉鎖されており、操作スイッチ群装置６のヒータ用操作部５４のボタン５４ａ（図９参照）を押下することはできない（ＰＳ４−０８）。
【０２６４】
［リモート布ベルト自動巻取りＯＮ・ＯＦＦ処理］
次に、リモートモード（後述）の場合に、図４に示す布ベルト巻取り装置稼働ボタンＨ０１０９または布ベルト巻取り装置停止ボタンＨ０１１０が押下された時に遊技台稼働監視システム１が行う処理（以下、リモート布ベルト自動巻取りＯＮ・ＯＦＦ処理という）の動作を図５０を用いて説明する。図５０はリモート布ベルト自動巻取りＯＮ・ＯＦＦ処理を表すパケットシーケンスチャートである。
【０２６５】
まず、布ベルト巻取り装置稼働ボタンＨ０１０９または布ベルト巻取り装置停止ボタンＨ０１１０が押下されると（ＰＳ５−０１）、管理端末装置２は、遊技場内の遊技台島１００に設置された全ての島コントロール制御ユニット装置５に対して並列に、押下されたボタンに従って布ベルト巻取り装置２４０を稼働または停止させる布ベルト自動巻取りＯＮ・ＯＦＦ情報を送信する（ＰＳ５−０２）。これにより島コントロール制御ユニット装置５は、布ベルト巻取り装置２４０を稼働または停止させる布ベルト自動巻取りＯＮ・ＯＦＦ処理を行う（ＰＳ５−０３）。尚、この布ベルト自動巻取りＯＮ・ＯＦＦ処理は数秒で終了する。そして島コントロール制御ユニット装置５は、管理端末装置２に対して、布ベルト自動巻取りＯＮ・ＯＦＦ情報を受信した旨を示す布ベルト自動巻取りＯＮ・ＯＦＦ応答情報を送信する（ＰＳ５−０４）。
【０２６６】
その後島コントロール制御ユニット装置５は、操作スイッチ群装置６に対して、布ベルト巻取り装置２４０が稼働または停止している旨を示す情報を送信する（ＰＳ５−０５）。これにより操作スイッチ群装置６は、布ベルト巻取り装置用操作部５５の２色ＬＥＤ５５ｂ（図９参照）を緑色に点灯させるか消灯させる（ＰＳ５−０６）。
【０２６７】
また管理端末装置２は、遊技場内の遊技台島１００に設置された全ての島コントロール制御ユニット装置５から布ベルト自動巻取りＯＮ・ＯＦＦ応答情報を受信するか、布ベルト自動巻取りＯＮ・ＯＦＦ情報を送信してから１分経過したことを検出する（ＰＳ５−０７）。尚、管理端末装置２から布ベルト巻取り装置２４０を稼働または停止させることができるので、還元機扉及び点検扉は閉鎖されており、操作スイッチ群装置６の布ベルト巻取り装置用操作部５５のボタン５５ａ（図９参照）を押下することはできない（ＰＳ５−０８）。
【０２６８】
［島状態取得処理］
次に、遊技台島１００の状態についての情報を取得するために遊技台稼働監視システム１が行う処理（以下、島状態取得処理という）の動作を図５１を用いて説明する。図５１は島状態取得処理を表すパケットシーケンスチャートである。
【０２６９】
まず、島コントロール制御ユニット装置５は、遊技台島１００に設置された各種センサ（不図示）から、この各種センサがＯＮまたはＯＦＦであるかを示すセンサＯＮ・ＯＦＦ情報を５００ミリ秒毎に受信する（ＰＳ６−０１）。そして島コントロール制御ユニット装置５は、島情報表示装置８に対して、受信したセンサＯＮ・ＯＦＦ情報に基づいて島情報表示装置８に表示させる内容を示す島情報表示装置表示情報を送信する（ＰＳ６−０２）。これにより島情報表示装置８は、島情報表示装置表示情報に基づいた情報を表示する（ＰＳ６−０３）。
【０２７０】
また島コントロール制御ユニット装置５は、遊技台島１００に設置された各種センサ（不図示）から、センサＯＮ・ＯＦＦ情報を５秒毎に受信する（ＰＳ６−０４）。そして島コントロール制御ユニット装置５は、管理端末装置２に対して、受信したセンサＯＮ・ＯＦＦ情報に基づいて遊技台島１００の状態を示す島状態通知情報を送信する（ＰＳ６−０５）。
【０２７１】
そして管理端末装置２は、受信した島状態通知情報に基づいて、制御部２１のＲＡＭ２１ｃに設けられ、遊技場内の全ての遊技台島１００の状態を示す情報を記憶する状態テーブルを更新する（ＰＳ６−０６）。尚、島状態通知情報を受信できない遊技台島１００については、この遊技台島１００内の装置全てを「異常」として状態テーブルを更新する。
【０２７２】
［島状態表示処理］
次に、遊技台島１００の状態を表示するために遊技台稼働監視システム１が行う処理（以下、島状態表示処理という）の動作を図５２を用いて説明する。図５２は島状態表示処理を表すパケットシーケンスチャートである。
【０２７３】
まず、島状態表示ボタンＨ０１１４が押下されると、管理端末装置２は、表示パネル２２ｂ（図３参照）の表示を島状態表示画面に遷移させる（ＰＳ７−０１）。そして、状態テーブルに記憶された情報に基づいて各遊技台島１００の状態を表示パネル２２ｂに表示させる（ＰＳ７−０２）。
【０２７４】
図６７は、管理端末装置２の表示パネル２２ｂに表示される島状態表示画面Ｇ０２の説明図である。
島状態表示画面Ｇ０２には、図６７に示すように、遊技台島１００毎（図６７では、島番１〜１２の１２台）に各装置の状態を色分けで表示する装置状態表示ボックスＨ０２０１と、装置状態表示ボックスＨ０２０１の判例を表示する状態色分け判例表示Ｈ０２０２と、交換が必要な布ベルトの本数を表示する布ベルト交換本数表示Ｈ０２０３と、通信異常が発生している島数を表示する通信異常島数表示Ｈ０２０４と、遊技台島１００毎の玉量を表示する玉量表示ボックスＨ０２０５と、装置状態表示ボックスＨ０２０１を前に移動表示する場合に押下される前ボタンＨ０２０６と、装置状態表示ボックスＨ０２０１を次に移動表示する場合に押下される次ボタンＨ０２０７と、ベルト交換期限に達した場合にのみ表示され、ベルト交換画面Ｇ０４（後述）を表示する場合に押下されるＶベルト交換ボタンＨ０２０８及び皮ベルト交換ボタンＨ０２０９と、夜間監視画面Ｇ０５（後述）を表示する場合に押下される夜間監視ボタンＨ０２１０等が表示される。
【０２７５】
尚、上述したように、管理端末装置２は、表示パネル２２ｂの表示画面上に表示される各種ボタンを押下する操作が行われると、その旨を示す信号をネットワークアダプタ３へ送信するように構成されている。
【０２７６】
また、装置状態表示ボックスＨ０２０１では、装置異常が発生している装置に該当する欄を例えば赤色で塗りつぶして、警告表示するようにされており（例えば、島番５の還元機の異常を表示する装置異常警告表示Ｈ０２１１を参照）、装置異常警告表示Ｈ０２１１が押下されると、図６８に示すような異常詳細表示画面Ｇ０３に遷移する。
【０２７７】
図６８は、管理端末装置２の表示パネル２２ｂに表示される異常詳細表示画面Ｇ０３の説明図である。異常詳細表示画面Ｇ０３には、図６８に示すように、異常の発生日時、復旧日時、島番、種別及び発生内容を表示する異常履歴ボックスＨ０３０１と、異常内容の説明と対処方法等を表示する異常詳細表示Ｈ０３０２等が表示される。
【０２７８】
また図６７に戻り、島状態表示画面Ｇ０２のＶベルト交換ボタンＨ０２０８または皮ベルト交換ボタンＨ０２０９が押下されると、図６９に示すようなベルト交換画面Ｇ０４に遷移する。
【０２７９】
図６９は、管理端末装置２の表示パネル２２ｂに表示されるベルト交換画面Ｇ０４の説明図である。ベルト交換画面Ｇ０４には、図６９に示すように、遊技台島１００毎にＶベルトの使用開始日を入力・表示するためのＶベルト使用開始日入力テキストボックスＨ０４０１と、遊技台島１００毎にレシコンベルトの使用開始日を入力・表示するためのレシコンベルト使用開始日入力テキストボックスＨ０４０２と、交換が必要なＶベルトの本数を表示するＶベルト交換本数表示Ｈ０４０３と、交換が必要なレシコンベルトの本数を表示するレシコンベルト交換本数表示Ｈ０４０４と、設定した内容をネットワークアダプタ３に保存する場合に押下される設定保存ボタンＨ０４０５と、ベルト交換を促す文章を表示するヘルプ表示Ｈ０４０６等が表示される。
【０２８０】
尚、Ｖベルト使用開始日入力テキストボックスＨ０４０１及びレシコンベルト使用開始日入力テキストボックスＨ０４０２では、ベルト交換が必要な遊技台島１００に該当する欄が例えば赤色で塗りつぶされて、警告表示するようにされている（例えば、Ｖベルト使用開始日入力テキストボックスＨ０４０１の島番５，６，７に対応する欄を参照）。
【０２８１】
また図６７に戻り、島状態表示画面Ｇ０２の夜間監視ボタンＨ０２１０が押下されると、図７０に示すような夜間監視画面Ｇ０５に遷移する。
図７０は、管理端末装置２の表示パネル２２ｂに表示される夜間監視画面Ｇ０５の説明図である。夜間監視画面Ｇ０５には、図７０に示すように、夜間監視中に発生した異常の発生履歴を表示する夜間監視履歴表示Ｈ０４１１と、夜間監視履歴表示Ｈ０４１１の表示内容を選択する場合に押下される表示内容選択ボタン群Ｈ０４１２、表示画面の遷移先を選択する場合に押下される遷移画面選択ボタン群Ｈ０４１３等が表示される。尚、夜間監視中に発生した異常の発生履歴データを消去するための専用のパスワードを設け、該パスワードを遊技場を監視する第三者が保管することで、不正を監視するようにしてもよい。
【０２８２】
［発生履歴取得処理］
次に、遊技台島１００における異常発生履歴情報を取得するために遊技台稼働監視システム１が行う処理（以下、発生履歴取得処理という）の動作を図５３〜図５８を用いて説明する。図５３〜図５８は発生履歴取得処理の第１〜第６の部分を表すパケットシーケンスチャートである。
【０２８３】
まず、島コントロール制御ユニット装置５は、遊技台島１００に設置された各種センサから、この各種センサがＯＮまたはＯＦＦであるかを示すセンサＯＮ・ＯＦＦ情報を５００ミリ秒毎に受信する（ＰＳ８−０３）。これら各種センサの中で遊技台島１００内の異常を検出するセンサ（不図示）（以下、異常センサという）がＯＦＦ（ＰＳ８−０１）からＯＮ（ＰＳ８−０２）になると、島コントロール制御ユニット装置５は異常を検出し（ＰＳ８−０４）、島情報表示装置８に対して、受信したセンサＯＮ・ＯＦＦ情報に基づいて異常を検出した旨を示す島情報表示装置表示情報を送信する（ＰＳ８−０５）。これにより島情報表示装置８は、異常を検出した旨を表示する（ＰＳ８−０６）。
【０２８４】
更に島コントロール制御ユニット装置５は、操作スイッチ群装置６に対して、受信したセンサＯＮ・ＯＦＦ情報に基づいて異常を検出した旨を示す異常表示情報を送信する（ＰＳ８−０７）。これにより操作スイッチ群装置６は、７セグＬＥＤ５６ａ，５７ａ，５８ａ，５９ａ，６０ａ（図９参照）に異常を検出した旨を表示させる（ＰＳ８−０８）。
【０２８５】
また島コントロール制御ユニット装置５は、煙感知センサ（不図示）がＯＦＦからＯＮになると、遊技台島１００の環境に異常が発生したと検出し（ＰＳ８−０９）、ネットワークアダプタ３に対して、遊技台島１００の環境に異常が発生した旨を示す発生通知情報を送信する（ＰＳ８−１０）。
【０２８６】
そしてネットワークアダプタ３は、ネットワークアダプタ３内に設けられ、遊技場内の全ての遊技台島１００で発生した異常の履歴を示す情報を記憶する発生履歴テーブルに、受信した発生通知情報（つまり、異常の内容を示す情報）を蓄積する（ＰＳ８−１１）。尚、受信した発生通知情報を蓄積する際に、この発生通知情報には、異常が発生した時刻を示す時刻情報が付加される。更にネットワークアダプタ３は、発生履歴テーブルの最新レコード位置をポイントし（ＰＳ８−１２）、島コントロール制御ユニット装置５に対して、発生通知情報を受信した旨を示す発生通知応答情報を送信する（ＰＳ８−１３）。
【０２８７】
次に、島コントロール制御ユニット装置５は、遊技台島１００に設置された各種センサ（不図示）から、この各種センサがＯＮまたはＯＦＦであるかを示すセンサＯＮ・ＯＦＦ情報を５００ミリ秒毎に受信し（ＰＳ８−１５）、異常センサ（不図示）がＯＮ（ＰＳ８−０２）からＯＦＦ（ＰＳ８−１４）になると、異常復旧を検出し（ＰＳ８−１６）、島情報表示装置８に対して、受信したセンサＯＮ・ＯＦＦ情報に基づいて異常復旧を検出した旨を示す島情報表示装置表示情報を送信する（ＰＳ８−１７）。これにより島情報表示装置８は、異常を検出した旨の表示を解除する（ＰＳ８−１８）。
【０２８８】
更に島コントロール制御ユニット装置５は、操作スイッチ群装置６に対して、受信したセンサＯＮ・ＯＦＦ情報に基づいて異常復旧を検出した旨を示す異常表示情報を送信する（ＰＳ８−１９）。これにより操作スイッチ群装置６は、７セグＬＥＤ５６ａ，５７ａ，５８ａ，５９ａ，６０ａ（図９参照）に異常を検出した旨の表示を解除させる（ＰＳ８−２０）。
【０２８９】
また島コントロール制御ユニット装置５は、煙感知センサ（不図示）がＯＮからＯＦＦになると、遊技台島１００の環境異常が復旧したと検出し（ＰＳ８−２１）、ネットワークアダプタ３に対して、環境異常が復旧した旨を示す発生通知情報を送信する（ＰＳ８−２２）。
【０２９０】
そしてネットワークアダプタ３は、発生履歴テーブルに、受信した発生通知情報（つまり、環境異常が復旧したことを示す情報）を蓄積する（ＰＳ８−２３）。尚、受信した発生通知情報を蓄積する際に、この発生通知情報には、環境異常が復旧した時刻を示す時刻情報が付加される。更にネットワークアダプタ３は、発生履歴テーブルの最新レコード位置をポイントし（ＰＳ８−２４）、島コントロール制御ユニット装置５に対して、発生通知情報を受信した旨を示す発生通知応答情報を送信する（ＰＳ８−２５）。
【０２９１】
また、島コントロール制御ユニット装置５は、遊技台島１００に設置された各種センサ（不図示）から、この各種センサがＯＮまたはＯＦＦであるかを示すセンサＯＮ・ＯＦＦ情報を５秒毎に受信し（ＰＳ８−２８、ＰＳ８−３５、ＰＳ８−４３、ＰＳ８−５０）、煙感知センサ（不図示）以外の異常センサ（不図示）がＯＦＦ（ＰＳ８−２６）からＯＮ（ＰＳ８−２７）になると、島コントロール制御ユニット装置５は異常を検出し（ＰＳ８−２９）、ネットワークアダプタ３に対して、遊技台島１００に異常が発生した旨を示す発生通知情報を送信する（ＰＳ８−３０）。
【０２９２】
そしてネットワークアダプタ３は、発生履歴テーブルに、受信した発生通知情報（つまり、異常の内容を示す情報）を蓄積する（ＰＳ８−３１）。尚、受信した発生通知情報を蓄積する際に、この発生通知情報には、異常が発生した時刻を示す時刻情報が付加される。更にネットワークアダプタ３は、発生履歴テーブルの最新レコード位置をポイントし（ＰＳ８−３２）、島コントロール制御ユニット装置５に対して、発生通知情報を受信した旨を示す発生通知応答情報を送信する（ＰＳ８−３３）。
【０２９３】
更に島コントロール制御ユニット装置５は、煙感知センサ（不図示）以外の異常センサ（不図示）がＯＮ（ＰＳ８−２７）からＯＦＦ（ＰＳ８−３４）になると、異常復旧を検出し（ＰＳ８−３６）、ネットワークアダプタ３に対して、異常が復旧した旨を示す発生通知情報を送信する（ＰＳ８−３７）。
【０２９４】
そしてネットワークアダプタ３は、発生履歴テーブルに、受信した発生通知情報（つまり、異常が復旧したことを示す情報）を蓄積する（ＰＳ８−３８）。尚、受信した発生通知情報を蓄積する際に、この発生通知情報には、異常が復旧した時刻を示す時刻情報が付加される。更にネットワークアダプタ３は、発生履歴テーブルの最新レコード位置をポイントし（ＰＳ８−３９）、島コントロール制御ユニット装置５に対して、発生通知情報を受信した旨を示す発生通知応答情報を送信する（ＰＳ８−４０）。
【０２９５】
また、還元機扉及び点検扉等の開放を検出するセンサ（不図示）（以下、開放センサという）がＯＦＦ（ＰＳ８−４１）からＯＮ（ＰＳ８−４２）になると、島コントロール制御ユニット装置５は開放を検出し（ＰＳ８−４４）、ネットワークアダプタ３に対して、還元機扉及び点検扉等が開放した旨を示す発生通知情報を送信する（ＰＳ８−４５）。
【０２９６】
そしてネットワークアダプタ３は、発生履歴テーブルに、受信した発生通知情報（つまり、開放の内容を示す情報）を蓄積する（ＰＳ８−４６）。尚、受信した発生通知情報を蓄積する際に、この発生通知情報には、開放が発生した時刻を示す時刻情報が付加される。更にネットワークアダプタ３は、発生履歴テーブルの最新レコード位置をポイントし（ＰＳ８−４７）、島コントロール制御ユニット装置５に対して、発生通知情報を受信した旨を示す発生通知応答情報を送信する（ＰＳ８−４８）。
【０２９７】
更に島コントロール制御ユニット装置５は、開放センサ（不図示）がＯＮ（ＰＳ８−４２）からＯＦＦ（ＰＳ８−４９）になると、開放復旧を検出し（ＰＳ８−５１）、ネットワークアダプタ３に対して、開放が復旧した旨を示す発生通知情報を送信する（ＰＳ８−５２）。
【０２９８】
そしてネットワークアダプタ３は、発生履歴テーブルに、受信した発生通知情報（つまり、開放が復旧したことを示す情報）を蓄積する（ＰＳ８−５３）。尚、受信した発生通知情報を蓄積する際に、この発生通知情報には、開放が復旧した時刻を示す時刻情報が付加される。更にネットワークアダプタ３は、発生履歴テーブルの最新レコード位置をポイントし（ＰＳ８−５４）、島コントロール制御ユニット装置５に対して、発生通知情報を受信した旨を示す発生通知応答情報を送信する（ＰＳ８−５５）。
【０２９９】
［発生履歴表示処理］
次に、遊技台島１００における発生履歴を表示するために遊技台稼働監視システム１が行う処理（以下、発生履歴表示処理という）の動作を図５９を用いて説明する。図５９は発生履歴表示処理を表すパケットシーケンスチャートである。
【０３００】
まず、管理端末装置２は、ネットワークアダプタ３から発生履歴テーブルの最新レコードを３秒毎に取得する（ＰＳ９−０１）。そして、現在の発生履歴テーブルの最新レコードと（ＰＳ９−０１）で取得した最新レコードとに差分がない場合には、異常・開放の発生がないため処理を行わない（ＰＳ９−０２）。
【０３０１】
一方、ネットワークアダプタ３は、島コントロール制御ユニット装置５から、異常・開放が発生した旨を示す発生通知情報を受信すると（ＰＳ９−０３）、発生履歴テーブルを更新する（ＰＳ９−０４）。
【０３０２】
その後、管理端末装置２が、ネットワークアダプタ３から発生履歴テーブルの最新レコードを取得すると（ＰＳ９−０５）、現在の発生履歴テーブルの最新レコードと（ＰＳ９−０５）で取得した最新レコードとに差分があるため（ＰＳ９−０６）、管理端末装置２は、ネットワークアダプタ３から、該当する異常・開放を示す情報を取得する（ＰＳ９−０７）。
【０３０３】
そして、図４に示す島履歴ボタンＨ０１１６が押下されると島履歴画面Ｇ０６に遷移し、発生履歴テーブルに記憶された情報に基づいて、発生履歴を表示パネル２２ｂ（図３参照）に表示させる。
【０３０４】
図７１は、管理端末装置２の表示パネル２２ｂに表示される島履歴画面Ｇ０６の説明図である。島履歴画面Ｇ０６には、図７１に示すように、履歴の、発生日時、復旧日時、島番、種別及び発生内容を表示する島履歴リストＨ０５０１と、島履歴リストＨ０５０１に発生履歴のみを表示させる場合に押下される発生履歴表示ボタンＨ０５０２と、島履歴リストＨ０５０１に管理履歴のみを表示させる場合に押下される管理履歴表示ボタンＨ０５０３と、島履歴リストＨ０５０１に発生履歴と管理履歴を表示させる場合に押下される全件表示ボタンＨ０５０４と、島履歴リストＨ０５０１を前に移動表示する場合に押下される前ボタンＨ０５０５と、島履歴リストＨ０５０１を次に移動表示する場合に押下される次ボタンＨ０５０６等が表示される。
【０３０５】
尚、上述したように、管理端末装置２は、表示パネル２２ｂの表示画面上に表示される各種ボタンを押下する操作が行われると、その旨を示す信号をネットワークアダプタ３へ送信するように構成されている。
【０３０６】
［台状態取得処理］
次に、遊技台１２０の状態についての情報を取得するために遊技台稼働監視システム１が行う処理（以下、台状態取得処理という）の動作を図６０を用いて説明する。図６０は台状態取得処理を表すパケットシーケンスチャートである。
【０３０７】
まず、通信基板４は、台Ｉ／Ｏ基板７から、この台Ｉ／Ｏ基板７に接続された遊技台１２０の状態を示す台入力情報を受信すると（ＰＳ１０−０１）、通信基板４内に設けられ、遊技場内の全ての遊技台１２０の状態についての情報を記憶する台入力テーブルを更新する（ＰＳ１０−０２）。
【０３０８】
また、島コントロール制御ユニット装置５は、通信基板４に対して、台入力テーブルに記憶された情報を要求するための台入力テーブル問合わせ情報を５秒毎に送信する（ＰＳ１０−０３）。更に通信基板４は、台入力テーブル問合わせ情報を受信すると、台入力テーブルに記憶された情報（以下、台入力テーブル情報という）を島コントロール制御ユニット装置５へ送信する（ＰＳ１０−０４）。
【０３０９】
そして島コントロール制御ユニット装置５は、受信した台入力テーブル情報を保持し（ＰＳ１０−０５）、例えば、サンドメダル状態に前回受信時から変化がある場合には（ＰＳ１０−０６）、サンドメダルが不足している旨を示す島情報表示装置表示情報を送信する（ＰＳ１０−０７）。これにより島情報表示装置８（図１０参照）は、サンドメダルが不足している旨を表示する（ＰＳ１０−０８）。これにより、複数のサンドメダル不足を一括で確認することができるため、サンドメダルが不足している数に合わせて事前に他の店員に応援を依頼することができ、スムーズにサンドメダル補給作業を行うことができる。
【０３１０】
［台状態表示処理］
次に、遊技台１２０の状態を表示するために遊技台稼働監視システム１が行う処理（以下、台状態表示処理という）の動作を図６１を用いて説明する。図６１は台状態表示処理を表すパケットシーケンスチャートである。
【０３１１】
図６７に示す夜間監視ボタンＨ０２１０が押下されると、管理端末装置２は、表示パネル２２ｂ（図３参照）の表示を夜間監視画面Ｇ０５に遷移させる（ＰＳ１１−０１）。そして、ホールコンピュータの機能を使用して台状態の履歴を表示する（ＰＳ１１−０２）。
【０３１２】
［動作条件設定・表示処理］
次に、動作条件の設定と表示を行うために遊技台稼働監視システム１が行う処理（以下、動作条件設定・表示処理という）の動作を図６２を用いて説明する。図６２は動作条件設定・表示処理を表すパケットシーケンスチャートである。
【０３１３】
まず、動作条件設定ボタンＨ０１１７が押下されると、管理端末装置２は、表示パネル２２ｂ（図３参照）の表示を動作条件設定画面の島全体設定シートＧ０７に遷移させ（ＰＳ１２−０１）、ネットワークアダプタ３から動作条件を示す情報を取得する（ＰＳ１２−０２）。そして、取得した情報に基づいて、表示パネル２２ｂに動作条件を表示させる（ＰＳ１２−０３）。
【０３１４】
図７２は、管理端末装置２の表示パネル２２ｂに表示される動作条件設定画面Ｇ０７の説明図である。島全体設定シートＧ０７には、図７２に示すように、動作条件設定画面の島全体設定シートＧ０７を表示する場合に押下される島全体設定ボタンＨ０６０１と、動作条件設定画面のベルト設定シートＧ０８を表示する場合に押下されるベルト設定ボタンＨ０６０２と、動作条件設定画面の島別設定１シートＧ０９を表示する場合に押下される島別設定１ボタンＨ０６０３と、動作条件設定画面の島別設定２シートＧ１０を表示する場合に押下される島別設定２ボタンＨ０６０４と、動作条件設定画面の島別設定３シートＧ１１を表示する場合に押下される島別設定３ボタンＨ０６０５と、動作条件設定画面のダウンロードシートＧ１２を表示する場合に押下されるダウンロードボタンＨ０６０６と、３種類の島タイプの中から１つの島タイプを選択する場合に押下される島タイプ設定ボタンＨ０６０７と、玉抜きストッパー２３０の動作時間を表示する玉抜きストッパー動作時間表示Ｈ０６０８と、玉抜きストッパー動作時間表示Ｈ０６０８の数値に「１５」を加算して玉抜きストッパー動作時間表示Ｈ０６０８に表示する場合に押下される玉抜きストッパー動作時間加算ボタンＨ０６０９と、玉抜きストッパー動作時間表示Ｈ０６０８の数値から「１５」を減算して玉抜きストッパー動作時間表示Ｈ０６０８に表示する場合に押下される玉抜きストッパー動作時間減算ボタンＨ０６１０と、ヒータ２２０の設定温度を入力・表示するためのヒータ温度入力テキストボックスＨ０６１１と、設定した内容をネットワークアダプタ３に保存する場合に押下される設定保存ボタンＨ０６１２と、テキストなどにカーソルが当っているときに、入力を助言する文章を表示するヘルプ表示Ｈ０６１３等が表示される。
【０３１５】
尚、上述したように、管理端末装置２は、表示パネル２２ｂの表示画面上に表示される各種ボタンを押下する操作が行われると、その旨を示す信号をネットワークアダプタ３へ送信するように構成されている。
【０３１６】
更に、ベルト設定ボタンＨ０６０２が押下されると、図７３に示すような、動作条件設定画面のベルト設定シートＧ０８に遷移する。図７３は、管理端末装置２の表示パネル２２ｂに表示されるベルト設定シートＧ０８の説明図である。ベルト設定シートＧ０８には、図７３に示すように、遊技台島１００毎にＶベルトの使用開始日を入力・表示するためのＶベルト使用開始日入力テキストボックスＨ０７０１と、遊技台島１００毎にレシコンベルトの使用開始日を入力・表示するためのレシコンベルト使用開始日入力テキストボックスＨ０７０２と、設定した内容をネットワークアダプタ３に保存する場合に押下される設定保存ボタンＨ０７０３と、テキストなどにカーソルが当っているときに、入力を助言する文章を表示するヘルプ表示Ｈ０７０４等が表示される。
【０３１７】
また図７２に戻り、島別設定１ボタンＨ０６０３が押下されると、図７４に示すような、動作条件設定画面の島別設定１シートＧ０９に遷移する。図７４は、管理端末装置２の表示パネル２２ｂに表示される島別設定１シートＧ０９の説明図である。島別設定１シートＧ０９には、ネットワークアダプタ３と通信基板４のアドレスを遊技台島１００毎に入力・表示するためのアドレス設定入力テキストボックスＨ０８０１と、島コントロール制御ユニット装置５のアドレスを遊技台島１００毎に表示する島コンアドレス表示Ｈ０８０２と、設定した内容をネットワークアダプタ３に保存する場合に押下される設定保存ボタンＨ０８０３と、テキストなどにカーソルが当っているときに、入力を助言する文章を表示するヘルプ表示Ｈ０８０４等が表示される。
【０３１８】
また図７２に戻り、島別設定２ボタンＨ０６０４が押下されると、図７５に示すような、動作条件設定画面の島別設定２シートＧ１０に遷移する。図７５は、管理端末装置２の表示パネル２２ｂに表示される島別設定２シートＧ１０の説明図である。島別設定２シートＧ１０には、還元機２００の高さを遊技台島１００毎に入力・表示するための還元機高さ設定入力テキストボックスＨ０９０１と、玉抜きストッパー２３０やヒータ２２０等の各種装置の有無を遊技台島１００毎に入力・表示するための装置有無入力テキストボックスＨ０９０２と、設定した内容をネットワークアダプタ３に保存する場合に押下される設定保存ボタンＨ０９０３と、テキストなどにカーソルが当っているときに、入力を助言する文章を表示するヘルプ表示Ｈ０９０４等が表示される。
【０３１９】
また図７２に戻り、島別設定３ボタンＨ０６０５が押下されると、図７６に示すような、動作条件設定画面の島別設定３シートＧ１１に遷移する。図７６は、管理端末装置２の表示パネル２２ｂに表示される島別設定３シートＧ１１の説明図である。島別設定３シートＧ１１には、吸殻回収装置、ジェットカウンタ等の装置の有無を遊技台島１００毎に入力・表示するための装置有無入力テキストボックスＨ１００１と、設定した内容をネットワークアダプタ３に保存する場合に押下される設定保存ボタンＨ１００２と、テキストなどにカーソルが当っているときに、入力を助言する文章を表示するヘルプ表示Ｈ１００３等が表示される。
【０３２０】
尚、上記の動作条件設定画面の島全体設定シートＧ０７、ベルト設定シートＧ０８、島別設定１シートＧ０９、島別設定２シートＧ１０及び島別設定３シートＧ１１が表示されている場合に、設定を変更したが、設定保存せずに別画面に移動する操作を行うと、図８０（ａ）に示すように、「設定が保存されていません。破棄しますか？」と確認するダイアローグＤ０４が表示される。
【０３２１】
また、設定ファイルをネットワークアダプタ３から取得し、データを画面に表示するまでの間には、図８０（ｂ）に示すように、「データ読み込み中です。しばらくお待ちください。」と記載されたダイアローグＤ０５が表示される。
【０３２２】
また、設定したデータを設定ファイルとしてネットワークアダプタ３に保存するまでの間には、図８０（ｃ）に示すように、「データ書き込み中です。しばらくお待ちください。」と記載されたダイアローグＤ０６が表示される。
【０３２３】
また、上記の動作条件設定画面の島別設定２シートＧ１０が表示されている場合に、還元機高さ設定入力テキストボックスＨ０９０１内に規定値以外の値が入力されたときには、図８０（ｄ）に示すように、「還元機の高さ設定が正しくありません。それでも設定しますか？」と確認するダイアローグＤ０７が表示される。
【０３２４】
また図７２に戻り、ダウンロードボタンＨ０６０６が押下されると、図７７に示すような、動作条件設定画面のダウンロードシートＧ１２に遷移する。図７７は、管理端末装置２の表示パネル２２ｂに表示されるダウンロードシートＧ１２の説明図である。ダウンロードシートＧ１２には、島コントロール制御ユニット装置５へのダウンロードを全島一斉に行う設定とする場合に押下されるダウンロード全体一斉ボタンＨ１１０１と、島コントロール制御ユニット装置５へのダウンロードを指定した遊技台島１００のみに行う設定とする場合に押下されるダウンロード指定島コンボタンＨ１１０２と、指定した遊技台島１００の番号を入力・表示するためのダウンロード指定島番号入力テキストボックスＨ１１０３と、ダウンロードを実行する場合に押下されるダウンロード実行ボタンＨ１１０４と、テキストなどにカーソルが当っているときに、入力を助言する文章を表示するヘルプ表示Ｈ１１０５等が表示される。
【０３２５】
尚、上述したように、管理端末装置２は、表示パネル２２ｂの表示画面上に表示される各種ボタンを押下する操作が行われると、その旨を示す信号をネットワークアダプタ３へ送信するように構成されている。
【０３２６】
また図６２に戻り、設定保存ボタンＨ０６１２（図７２参照），Ｈ０７０３（図７３参照），Ｈ０８０３（図７３参照），Ｈ０９０３（図７５参照），Ｈ１００２（図７６参照）が押下されると（ＰＳ１２−０４）、管理端末装置２は、設定した動作条件を示す情報（以下、動作条件設定情報という）をネットワークアダプタ３へ送信する（ＰＳ１２−０５）。そして、ネットワークアダプタ３は、動作条件設定情報を受信すると、受信した動作条件設定情報をファイルに保存する（ＰＳ１２−０６）。
【０３２７】
更に、動作条件設定画面のダウンロードシートＧ１２のダウンロード実行ボタンＨ１１０４が押下されると（ＰＳ１２−０７）、図７９（ａ）に示すように、暗証番号の入力を要求するダイアローグＤ０２が表示され、正しい暗証番号が入力されると、図７８に示すように、ダウンロード中であることを示すダイアローグＤ０１が表示され（ＰＳ１２−０８）、この時、画面操作は無効化される。尚、ダウンロード実行ボタンＨ１１０４が押下された時点で、ダウンロードの対象となる遊技台島１００において停止していない装置がある場合には、図７９（ｂ）に示すように、「装置が停止していませんがダウンロードの実行を行いますか？」と確認するダイアローグＤ３が表示され、ダウンロードの実行を行う操作を行った場合には、上記の暗証番号入力ダイアローグが表示されて、ダウンロードのための処理が進行する。
【０３２８】
また図６２に戻り、ダウンロード中であることを示すダイアローグが表示された後に、管理端末装置２は、ネットワークアダプタ３に対して、ダウンロードの実施を指示するためのダウンロード実施情報を送信する（ＰＳ１２−０９）。そしてネットワークアダプタ３は、ダウンロード実施情報を受信すると、ファイルに保存した動作条件設定情報を島コントロール制御ユニット装置５にダウンロードする（ＰＳ１２−１０）。
【０３２９】
その後、ネットワークアダプタ３は、管理端末装置２に対して、ダウンロード実施情報を受信した旨を示すダウンロード実施応答情報を送信する（ＰＳ１２−１１）。そして管理端末装置２は、ダウンロード実施応答情報を受信すると、表示パネル２２ｂ上に表示された「ダウンロード中」ダイアローグＤ０１の表示を解除するとともに、画面操作無効化を解除する（ＰＳ１２−１２）。
【０３３０】
［リモート閉店後処理］
まず、リモートモード時に閉店後処理ボタンＨ０１０２が押下された時に遊技台稼働監視システム１が行う処理（以下、リモート閉店後処理という）の動作を図６３及び図６４を用いて説明する。図６３はリモート閉店後処理の前半部分、図６４はリモート閉店後処理の後半部分を表すパケットシーケンスチャートである。
【０３３１】
まず、閉店後処理ボタンＨ０１０２が押下されると（ＰＳ１４−０１）、管理端末装置２は表示パネル２２ｂ（図３参照）に「閉店後処理中」ダイアローグを表示する（ＰＳ１４−０２）。尚、この時、島情報表示装置８の表示画面となる液晶ディスプレイ（ＬＣＤ）８ａには、「停止中」または「運転中」と表示されている（ＰＳ１４−０３）。
【０３３２】
その後、管理端末装置２は、ネットワークアダプタ３に対して、「閉店後処理中」である旨を示す管理端末状態設定情報を送信する（ＰＳ１４−０４）。これにより、ネットワークアダプタ３は、管理端末装置２が「閉店後処理中」であることを認識する（ＰＳ１４−０５）。その後ネットワークアダプタ３は、管理端末装置２に対して、管理端末状態情報を受信した旨を示す管理端末状態設定応答情報を送信する（ＰＳ１４−０６）。
【０３３３】
そして管理端末装置２は、管理端末状態設定応答情報を受信すると、島コントロール制御ユニット装置５に対して、「閉店後処理中」である旨を示す管理端末定期通信情報を送信する（ＰＳ１４−０７）。島コントロール制御ユニット装置５は、管理端末定期通信情報を受信すると、島情報表示装置８に対して、「閉店後処理中」である旨を示す島情報表示装置情報を送信する（ＰＳ１４−０８）。これにより島情報表示装置８は、「閉店後処理中」と表示する（ＰＳ１４−０９）。
【０３３４】
また管理端末装置２は、遊技場内の遊技台島１００に設置された全ての島コントロール制御ユニット装置５に対して並列に、還元機２００を停止させる還元機ＯＦＦ情報を送信する（ＰＳ１４−１０）。これにより島コントロール制御ユニット装置５は、還元機２００を停止させる還元機ＯＦＦ処理を行う（ＰＳ１４−１１）。尚、この還元機ＯＦＦ処理は数秒で終了する。そして島コントロール制御ユニット装置５は、管理端末装置２に対して、還元機ＯＦＦＮ情報を受信した旨を示す還元機ＯＦＦ応答情報を送信する（ＰＳ１４−１２）。
【０３３５】
その後島コントロール制御ユニット装置５は、操作スイッチ群装置６に対して、還元機２００が停止している旨を示す情報を送信する（ＰＳ１４−１３）。これにより操作スイッチ群装置６は、還元機用操作部５１の２色ＬＥＤ５１ｂ（図９参照）を消灯させる（ＰＳ１４−１４）。
【０３３６】
また管理端末装置２は、遊技場内の遊技台島１００に設置された全ての島コントロール制御ユニット装置５から還元機ＯＦＦ応答情報を受信するか、還元機ＯＦＦ情報を送信してから１分経過したことを検出した（ＰＳ１４−１５）後に、管理端末装置２は、遊技場内の遊技台島１００に設置された全ての島コントロール制御ユニット装置５に対して並列に、布ベルト巻取り装置２４０を稼働させる布ベルト自動巻取りＯＮ情報を送信する（ＰＳ１４−１６）。これにより島コントロール制御ユニット装置５は、布ベルト巻取り装置２４０を稼働させる布ベルト自動巻取りＯＮ処理を行う（ＰＳ１４−１７）。尚、この布ベルト自動巻取りＯＮ処理は数秒で終了する。そして島コントロール制御ユニット装置５は、管理端末装置２に対して、布ベルト自動巻取りＯＮ情報を受信した旨を示す布ベルト自動巻取りＯＮ応答情報を送信する（ＰＳ１４−１８）。
【０３３７】
その後島コントロール制御ユニット装置５は、操作スイッチ群装置６に対して、布ベルト巻取り装置２４０が稼働している旨を示す情報を送信する（ＰＳ１４−１９）。これにより操作スイッチ群装置６は、玉抜きストッパー用操作部５３の２色ＬＥＤ５３ｂ（図９参照）を緑色に点灯させる（ＰＳ１４−２０）。
【０３３８】
また管理端末装置２は、遊技場内の遊技台島１００に設置された全ての布ベルト巻取り装置２４０から布ベルト自動巻取りＯＮ応答情報を受信するか、布ベルト自動巻取りＯＮ情報を送信してから１分経過したことを検出する（ＰＳ１４−２１）。
【０３３９】
その後、管理端末装置２は、ネットワークアダプタ３に対して、「停止中」である旨を示す管理端末状態設定情報を送信する（ＰＳ１４−２２）。これにより、ネットワークアダプタ３は、管理端末装置２が「停止中」であることを認識する（ＰＳ１４−２３）。その後ネットワークアダプタ３は、管理端末装置２に対して、管理端末状態情報を受信した旨を示す管理端末状態設定応答情報を送信する（ＰＳ１４−２４）。
【０３４０】
そして管理端末装置２は、管理端末状態設定応答情報を受信すると、島コントロール制御ユニット装置５に対して、「停止中」である旨を示す管理端末定期通信情報を送信する（ＰＳ１４−２５）。島コントロール制御ユニット装置５は、管理端末定期通信情報を受信すると、島情報表示装置８に対して、「停止中」である旨を示す島情報表示装置情報を送信する（ＰＳ１４−２６）。これにより島情報表示装置８は、「停止中」と表示する（ＰＳ１４−２７）。また管理端末装置２は、表示パネル２２ｂ上に表示された「閉店後処理中」ダイアローグの表示を解除する（ＰＳ１４−２８）。
【０３４１】
［夜間監視開始処理］
次に、夜間監視を開始するために遊技台稼働監視システム１が行う処理（以下、夜間監視開始処理という）の動作を図６５を用いて説明する。図６５は夜間監視開始処理を表すパケットシーケンスチャートである。
【０３４２】
ネットワークアダプタ３は、ホール状態が「開店中」または「閉店中」であることを認識している時に（ＰＳ１５−０２）、認識しているホール状態に応じてホール状態が「開店中」または「閉店中」であることを示すホール状態フィラーを島コントロール制御ユニット装置５へ送信する（ＰＳ１５−０３）。尚、島コントロール制御ユニット装置５は、ホール状態フィラーによりホール状態を認識し、ホール状態が「夜間監視中」以外のときは管理端末定期通信による管理端末状態の表示を優先する。また、この時、島情報表示装置８の表示画面となる液晶ディスプレイ（ＬＣＤ）８ａ（図９参照）には、「停止中」または「運転中」と表示されている（ＰＳ１５−０１）。
【０３４３】
その後、管理端末装置２において電源ＯＦＦの操作がされると（ＰＳ１５−０４）、管理端末装置２は、表示パネル２２ｂ（図３参照）に「夜間監視開始」ダイアローグを表示する（ＰＳ１５−０５）。
【０３４４】
そして、管理端末装置２において夜間監視開始ボタンが押下されると（ＰＳ１５−０６）、管理端末装置２は、ホールコンピュータの機能による夜間監視を開始する旨を示す夜間監視開始情報を送信する（ＰＳ１５−０７）。これにより、ネットワークアダプタ３は、夜間監視を開始するとともに（ＰＳ１５−０９）、ホール状態が「夜間監視中」であることを認識する（ＰＳ１５−１０）。尚、管理端末装置２は、夜間監視開始情報を送信した後に、電源ＯＦＦとなる（ＰＳ１５−０８）。
【０３４５】
その後ネットワークアダプタ３は、ホール状態が「夜間監視中」であることを示すホール状態フィラーを島コントロール制御ユニット装置５へ送信する（ＰＳ１５−１１）。島コントロール制御ユニット装置５は、ホール状態フィラーによりホール状態を認識し、ホール状態が「夜間監視中」ときはホール状態の表示を優先する。そして、島情報表示装置８に対して、「夜間監視中」である旨を示す島情報表示装置情報を送信する（ＰＳ１５−１２）。これにより島情報表示装置８は、「夜間監視中」と表示する（ＰＳ１５−１３）（図８１（ｄ）の表示画面Ｇ２４を参照）。
【０３４６】
［夜間監視解除処理］
次に、夜間監視を解除するために遊技台稼働監視システム１が行う処理（以下、夜間監視解除処理という）の動作を図６６を用いて説明する。図６６は夜間監視解除処理を表すパケットシーケンスチャートである。
【０３４７】
ホール状態が「夜間監視中」であることをネットワークアダプタ３が認識している時に（ＰＳ１６−０１）、管理端末装置２において電源ＯＮになると（ＰＳ１６−０２）、ホールコンピュータの機能による夜間監視を解除する旨を示す夜間監視解除情報を送信する（ＰＳ１６−０３）。これにより、ネットワークアダプタ３は、夜間監視を解除するとともに（ＰＳ１６−０４）、ホール状態が「開店中」または「閉店中」であることを認識する（ＰＳ１６−０５）。
【０３４８】
その後ネットワークアダプタ３は、ホール状態が「開店中」または「閉店中」であることを示すホール状態フィラーを島コントロール制御ユニット装置５へ送信する（ＰＳ１６−０６）。尚、島コントロール制御ユニット装置５は、ホール状態が「夜間監視中」以外に戻ったときは「待機中」表示にして、管理端末定期通信を待つ。以後、管理端末定期通信による管理端末状態の表示を優先する。
【０３４９】
そしてネットワークアダプタ３は、島情報表示装置８に対して、「待機中」である旨を示す島情報表示装置情報を送信する（ＰＳ１６−０７）。これにより島情報表示装置８は、「待機中」と表示する（ＰＳ１６−０８）（図８１（ｃ）の表示画面Ｇ２３を参照）。
【０３５０】
更に管理端末装置２は、島コントロール制御ユニット装置５に対して、「運転中」または「停止中」である旨を示す管理端末定期通信情報を送信する（ＰＳ１６−０９）。島コントロール制御ユニット装置５は、管理端末定期通信情報を受信すると、島情報表示装置８に対して、「運転中」または「停止中」である旨を示す島情報表示装置情報を送信する（ＰＳ１６−１０）。これにより島情報表示装置８は、「運転中」または「停止中」と表示する（ＰＳ１６−１１）。
【０３５１】
このように構成された遊技台島制御システム１では、遊技台島１００から離れた場所に設置された管理端末装置２によって、還元機２００、玉通路シャッター２１０、ヒータ２２０、玉抜きストッパー２３０及び布ベルト巻取り装置２４０を制御するための制御指示信号ＳＳが送信される。そして、メイン側第３コネクタ４６及び入出力部４１ｄによって、管理端末装置２から送信される制御指示信号ＳＳが受信され、更に、リモート開店処理、リモート閉店処理、管理端末側還元機稼働処理、管理端末側還元機停止処理、管理端末側ヒータ稼働処理、管理端末側ヒータ停止処理、管理端末側玉抜きストッパー開放処理、管理端末側玉抜きストッパー閉鎖処理、管理端末側布ベルト稼働処理または管理端末側布ベルト停止処理（以下、これらの処理をまとめて、島制御処理という）によって、受信された制御指示信号ＳＳに基づいて、還元機２００、玉通路シャッター２１０、ヒータ２２０、玉抜きストッパー２３０または布ベルト巻取り装置２４０が制御される。
【０３５２】
また、遊技台島１００に設置されたメンテナンス用操作部６３によって無効操作が入力された場合に（Ｓ１０）、Ｓ２０の処理によって、島制御処理による制御が制限される。
そして、管理端末装置２に設置された表示パネル２２ｂによって、管理端末装置２が制御指示信号ＳＳを送信したにも拘らず遊技球循環設備が稼働しない遊技台島１００が特定可能に表示される（Ｓ２２０）。また、管理端末装置２に設置された表示パネル２２ｂによって、島制御処理による制御が制限された遊技台島１００が特定可能に報知される（Ｓ２４０）。
【０３５３】
従って、Ｓ２２０の処理により報知されている遊技台島１００、即ち、管理端末装置２が制御指示信号ＳＳを送信したにも拘らず遊技球循環設備が稼働しない遊技台島１００のうちで、Ｓ２４０の処理により報知されている遊技台島１００（以下、制限報知遊技台島ともいう）は島制御処理による制御が制限されており、Ｓ２４０の処理により報知されていない遊技台島（以下、非制限報知遊技台島ともいう）は島制御処理による制御が制限されていないということを、管理端末装置２側で認識させることが可能になる。
【０３５４】
つまり、制限報知遊技台島はメンテナンス作業が行われているということと、非制限報知遊技台島は故障しているということを管理端末装置２側で認識させることが可能になる。
【０３５５】
このため、制限報知遊技台島については、別の作業スタッフが既にメンテナンス作業を行っており、作業スタッフを出向かわせる必要はない遊技台島１００であると管理端末装置２側で認識させることができる。従って、別の作業スタッフが既にメンテナンス作業を行っている遊技台島１００へ作業スタッフを出向かわせるという無駄な行動を抑制でき、作業スタッフの作業効率の向上を図ることができるという極めて優れた効果を奏する。
【０３５６】
更に、非制限報知遊技台島については、作業スタッフを出向かわせても、別の作業スタッフが既にメンテナンス作業を行っているということはないと管理端末装置２側で認識させることができる。
【０３５７】
従って、非制限報知遊技台島へ作業スタッフを出向かわせても、別の作業スタッフが既に当該遊技台島１００でメンテナンス作業を行っているということはない。このため、遊技台島１００へ作業スタッフを出向かわせることが無駄な行動となることを抑制でき、作業スタッフの作業効率の向上を図ることができるという極めて優れた効果を奏する。
【０３５８】
また、Ｓ２４０の処理による報知（「メンテナンス中」表示）の開始から所定消去時間が経過すると、Ｓ２４０の処理による報知が終了させられる（Ｓ２５０〜Ｓ２６０）。
このため、Ｓ２４０の処理による報知の開始から所定消去時間が経過した後に、島制御処理による制御が実際には制限されている遊技台島１００へ作業スタッフを出向かわせることになる。これにより、所定消去時間が経過する前にメンテナンス作業を行っていた作業スタッフが、メンテナンス用操作部６３のボタン６３ａをオン状態からオフ状態に変化させる操作（以下、解除操作という）を行うことを忘れていたときには、新たに当該遊技台島１００へ出向いた作業スタッフが、解除操作が行われていないことに気付いて、忘れられていた解除操作を行うことができるという効果を奏する。
【０３５９】
また、所定消去時間が経過する前にメンテナンス作業を行っていた作業スタッフが解除操作を行ったにもかかわらず、メンテナンス用操作部６３の故障のために当該解除操作が入力されなかった場合に、新たに当該遊技台島１００へ出向いた作業スタッフが、メンテナンス用操作部６３の故障に気付くことができるという効果を奏する。
【０３６０】
また、遊技台島１００に設置されたメンテナンス用操作部６３によって解除操作が入力された場合に（Ｓ４０）、島制御処理による制御の制限が解除される（Ｓ５０）。そして、島制御処理による制御の制限が解除されると、管理端末装置２に設置された表示パネル２２ｂによって、制限が解除された遊技台島１００が特定可能に表示される（Ｓ２８０）。
【０３６１】
このため、島制御処理による制御の制限が解除された遊技台島１００であることを認識させることができる。これにより、別の作業スタッフが既にメンテナンス作業を終了させており、作業スタッフを出向かわせる必要はない遊技台島１００であると認識させることができる。従って、別の作業スタッフが既にメンテナンス作業を行った遊技台島１００へ新たに作業スタッフを出向かわせるという無駄な作業を抑制でき、作業スタッフの作業効率の向上を図ることができるという極めて優れた効果を奏する。
【０３６２】
また、Ｓ２８０での表示により特定される遊技台島１００の想定稼働状況と実稼働状況とが比較され（Ｓ３００）、更に、管理端末装置２に設置された表示パネル２２ｂによって、Ｓ３００での比較で相違する内容が表示される（Ｓ３１０）。
【０３６３】
このため、想定稼働状況と実稼働状況との間で、相違する内容のみを認識させることができる。従って、島制御処理による制御の制限が解除された後に、想定稼働状況と実稼働状況とを一致させるために、遊技球循環設備をどのように稼働させればよいかを容易に認識させることができ、島制御処理による制御の制限が解除された後に遊技球循環設備を稼働させる作業の効率の向上を図ることができるという優れた効果を奏する。
【０３６４】
また、島制御処理による制御の制限が解除された後に、Ｓ２８０での表示により特定される遊技台島１００における想定稼働状況と実稼働状況とが一致するように、遊技球循環設備が制御される（Ｓ３４０）。つまり、島制御処理による制御が制限されている間に制御指示信号ＳＳで指示された処理（以下、制限時指示処理という）が解除操作の後に行われることになる。
【０３６５】
このため、解除操作の後に、制限時指示処理を実行する作業を遊技場のスタッフが行う必要がなくなる。これにより、遊技場のスタッフの作業効率の更なる向上を図ることができるという優れた効果を奏する。
【０３６６】
以上説明した実施形態において、遊技台島制御システム１は本発明における遊技台島の制御システム、還元機２００、玉通路シャッター２１０、ヒータ２２０、玉抜きストッパー２３０及び布ベルト巻取り装置２４０は本発明における遊技媒体循環手段、管理端末装置２は本発明における遠隔制御手段、メイン側第３コネクタ４６及び入出力部４１ｄは本発明における受信手段である。
【０３６７】
また、リモート開店処理、リモート閉店処理、管理端末側還元機稼働処理、管理端末側還元機停止処理、管理端末側ヒータ稼働処理、管理端末側ヒータ停止処理、管理端末側玉抜きストッパー開放処理、管理端末側玉抜きストッパー閉鎖処理、管理端末側布ベルト稼働処理または管理端末側布ベルト停止処理は本発明における島制御手段である。
【０３６８】
また、メンテナンス用操作部６３は本発明における無効操作入力手段及び解除操作入力手段、Ｓ２０の処理は本発明における制御制限手段、Ｓ５０の処理は本発明における解除手段、表示パネル２２ｂ及びＳ２２０の処理は本発明における第１の報知手段、表示パネル２２ｂ及びＳ２４０の処理は本発明における第２の報知手段、表示パネル２２ｂ及びＳ２８０の処理は本発明における第３の報知手段、Ｓ２５０〜Ｓ２６０の処理は本発明における報知終了手段、所定消去時間は本発明における所定時間である。
【０３６９】
また、Ｓ３００の処理は本発明における比較手段、表示パネル２２ｂ及びＳ３１０の処理は本発明における第４の報知手段、Ｓ３４０の処理は本発明における比較島制御手段である。
【０３７０】
以上、本発明の一実施例について説明したが、本発明は上記実施例に限定されるものではなく、本発明の技術的範囲に属する限り種々の形態を採ることができる。
例えば上記実施形態においては、管理端末装置２に設置された表示パネル２２ｂによって、「管理端末装置２が制御指示信号ＳＳを送信したにも拘らず遊技球循環設備が稼働しない遊技台島１００」の表示（Ｓ２２０）、「メンテナンス中」の表示（Ｓ２４０）、及び「メンテ終了」の表示（Ｓ２８０）を行うものを示したが、表示パネル２２ｂの代わりに、管理端末装置２の近傍に設けられた表示手段によって表示を行うようにしてもよい。
【０３７１】
また表示パネル２２ｂの代わりに、スピーカ等の音声出力手段によって、Ｓ２２０，Ｓ２４０及びＳ２８０の処理による表示で示される内容を報知するようにしてもよい。
【符号の説明】
【０３７２】
１…遊技台稼働監視システム、２…管理端末装置、３…ネットワークアダプタ、４…通信基板、５…島コントロール制御ユニット装置、６…操作スイッチ群装置、７…台Ｉ／Ｏ基板、７ａ…島端Ｉ／Ｏ基板、８…島情報表示装置、２１…制御部、２１ａ…ＣＰＵ、２１ｂ…ＲＯＭ、２１ｃ…ＲＡＭ、２１ｄ…入出力部、２１ｅ…バス、２２…ユーザＩ／Ｆ、２２ａ…操作部、２２ｂ…表示パネル、２３…通信部、３１…メイン制御基板、３２ａ，３２ｂ，３２ｃ，３２ｄ，３２ｅ…コネクタケーブル、３３…第１サブ基板、３３ａ…サブ側コネクタ、３３ｂ…入出力回路、３３ｃ…入出力端子部、３４…第２サブ基板、３４ａ…サブ側コネクタ、３４ｂ…入出力回路、３４ｃ…入出力端子部、３５…第３サブ基板、３５ａ…サブ側コネクタ、３５ｂ…入出力回路、３５ｃ…入出力端子部、３６…第４サブ基板、３６ａ…サブ側コネクタ、３６ｂ…入出力回路、３６ｃ…入出力端子部、３７…第５サブ基板、３７ａ…サブ側コネクタ、３７ｂ…入出力回路、３７ｃ…入出力端子部、３８…状態確認用ＬＥＤ群、４１…制御部、４１ａ…ＣＰＵ、４１ｂ…ＲＯＭ、４１ｃ…ＲＡＭ、４１ｄ…入出力部、４１ｅ…バス、４２…リセットＩＣ、４３…電源供給部、４４…メイン側第１コネクタ、４５…メイン側第２コネクタ、４６…メイン側第３コネクタ、４７…ＬＥＤ駆動回路、５１…還元機用操作部、５１ａ…ボタン、５１ｂ…２色ＬＥＤ、５２…玉通路シャッター用操作部、５２ａ…ボタン、５２ｂ…２色ＬＥＤ、５３…玉抜きストッパー用操作部、５３ａ…ボタン、５３ｂ…２色ＬＥＤ、５４…ヒータ用操作部、５４ａ…ボタン、５４ｂ…２色ＬＥＤ、５５…布ベルト巻取り装置用操作部、５５ａ…ボタン、５５ｂ…２色ＬＥＤ、５６…還元機用状態表示部、５６ａ…７セグＬＥＤ、５７…玉通路シャッター用状態表示部、５７ａ…７セグＬＥＤ、５８…玉抜きストッパー用状態表示部、５８ａ…７セグＬＥＤ、５９…ヒータ用状態表示部、５９ａ…７セグＬＥＤ、６０…布ベルト巻取り装置用状態表示部、６０ａ…７セグＬＥＤ、６１…布ベルト巻取り装置ブレーカ、６２…オーバーフロー確認用操作部、６２ａ…ボタン、６２ｂ…ＬＥＤ、６３…メンテナンス用操作部、６３ａ…ボタン、６３ｂ…ＬＥＤ、６４…スイッチパネル、６５…入出力部、１００…遊技台島、１１０…呼出ランプ装置、１２０…遊技台、１２１…アウト玉計数器、１３１…欄間開放センサ、１３２…内枠開放センサ、１４１…金庫開放センサ、１４２…両替機開放センサ、２００…還元機、２１０…玉通路シャッター、２２０…ヒータ、２３０…玉抜きストッパー、２４０…布ベルト巻取り装置、２５０…補給樋、２６０…回収樋、２７０，２８０…貯留タンク
【図１】
0005522238.tif 000002
【図２】
0005522238.tif 000003
【図３】
0005522238.tif 000004
【図４】
0005522238.tif 000005
【図５】
0005522238.tif 000006
【図６】
0005522238.tif 000007
【図７】
0005522238.tif 000008
【図８】
0005522238.tif 000009
【図９】
0005522238.tif 000010
【図１０】
0005522238.tif 000011
【図１１】
0005522238.tif 000012
【図１２】
0005522238.tif 000013
【図１３】
0005522238.tif 000014
【図１４】
0005522238.tif 000015
【図１５】
0005522238.tif 000016
【図１６】
0005522238.tif 000017
【図１７】
0005522238.tif 000018
【図１８】
0005522238.tif 000019
【図１９】
0005522238.tif 000020
【図２０】
0005522238.tif 000021
【図２１】
0005522238.tif 000022
【図２２】
0005522238.tif 000023
【図２３】
0005522238.tif 000024
【図２４】
0005522238.tif 000025
【図２５】
0005522238.tif 000026
【図２６】
0005522238.tif 000027
【図２７】
0005522238.tif 000028
【図２８】
0005522238.tif 000029
【図２９】
0005522238.tif 000030
【図３０】
0005522238.tif 000031
【図３１】
0005522238.tif 000032
【図３２】
0005522238.tif 000033
【図３３】
0005522238.tif 000034
【図３４】
0005522238.tif 000035
【図３５】
0005522238.tif 000036
【図３６】
0005522238.tif 000037
【図３７】
0005522238.tif 000038
【図３８】
0005522238.tif 000039
【図３９】
0005522238.tif 000040
【図４０】
0005522238.tif 000041
【図４１】
0005522238.tif 000042
【図４２】
0005522238.tif 000043
【図４３】
0005522238.tif 000044
【図４４】
0005522238.tif 000045
【図４５】
0005522238.tif 000046
【図４６】
0005522238.tif 000047
【図４７】
0005522238.tif 000048
【図４８】
0005522238.tif 000049
【図４９】
0005522238.tif 000050
【図５０】
0005522238.tif 000051
【図５１】
0005522238.tif 000052
【図５２】
0005522238.tif 000053
【図５３】
0005522238.tif 000054
【図５４】
0005522238.tif 000055
【図５５】
0005522238.tif 000056
【図５６】
0005522238.tif 000057
【図５７】
0005522238.tif 000058
【図５８】
0005522238.tif 000059
【図５９】
0005522238.tif 000060
【図６０】
0005522238.tif 000061
【図６１】
0005522238.tif 000062
【図６２】
0005522238.tif 000063
【図６３】
0005522238.tif 000064
【図６４】
0005522238.tif 000065
【図６５】
0005522238.tif 000066
【図６６】
0005522238.tif 000067
【図６７】
0005522238.tif 000068
【図６８】
0005522238.tif 000069
【図６９】
0005522238.tif 000070
【図７０】
0005522238.tif 000071
【図７１】
0005522238.tif 000072
【図７２】
0005522238.tif 000073
【図７３】
0005522238.tif 000074
【図７４】
0005522238.tif 000075
【図７５】
0005522238.tif 000076
【図７６】
0005522238.tif 000077
【図７７】
0005522238.tif 000078
【図７８】
0005522238.tif 000079
【図７９】
0005522238.tif 000080
【図８０】
0005522238.tif 000081
【図８１】
0005522238.tif 000082